(57)【要約】  本願は、無線通信分野に関し、特に、無線通信方法およびデバイスに関する。本願は、制御情報を送信するために用いられる時間単位が、データを送信するために用いられる時間単位とは異なり、前記制御情報が前記データと関連する場合、同じ時間単位に基づいて時系列を決定する段階を含む方法を提供する。本願において、均一な時系列を決定することにより、ロバスト性を改善し、基地局とユーザ機器との間の正常な通信を保証すべく、時系列が、同じ時間単位原理に基づいて、または同じタイミング基準に基づいて決定される。
2020523888.tif 000002
【特許請求の範囲】
【請求項１】
制御情報を送信するために用いられる時間単位が、データを送信するために用いられる時間単位とは異なり、前記制御情報が前記データと関連する場合、同じ時間単位に基づいて時系列を決定する段階
を備える無線通信方法。
【請求項２】
同じ時間単位に基づいて時系列を決定する前記段階は、
前記同じ時間単位に基づいて第１の時系列Ｋ０および第２の時系列Ｋ１を決定する段階であって、
前記第１の時系列Ｋ０は、物理ダウンリンク制御チャネルＰＤＣＣＨを送信するための時間単位と物理ダウンリンク共有チャネルＰＤＳＣＨを送信するための時間単位との間の時間関係であり、前記ＰＤＣＣＨは、前記制御情報を送信するために用いられ、前記ＰＤＳＣＨは、前記制御情報を用いてスケジューリングされるデータを送信するために用いられ、
前記第２の時系列Ｋ１は、前記ＰＤＳＣＨを送信するための前記時間単位とＰＵＣＣＨまたはＰＵＳＣＨを送信するための時間単位との間の時間関係であり、前記ＰＤＳＣＨは、データを送信するために用いられ、前記ＰＤＣＣＨまたは前記ＰＵＳＣＨは、前記データに対応する制御情報を送信するために用いられ、前記制御情報は、前記データに対応するアップリンクフィードバック情報である、段階を有する、
請求項１に記載の方法。
【請求項３】
同じ時間単位に基づいて時系列を決定する前記段階は、
前記同じ時間単位に基づいて第３の時系列Ｋ２を決定する段階であって、前記第３の時系列Ｋ２は、前記ＰＤＣＣＨを送信するための前記時間単位と前記ＰＵＳＣＨを送信するための前記時間単位との間の時間関係であり、前記ＰＤＣＣＨは、前記制御情報を送信するために用いられ、前記ＰＵＳＣＨは、前記制御情報を用いてスケジューリングされるアップリンクデータを送信するために用いられる、段階を有する、
請求項１または２に記載の方法。
【請求項４】
同じ時間単位に基づいて時系列を決定する前記段階は、
データを送信するために用いられる前記時間単位に基づいて前記時系列を決定する段階、または、
制御情報を送信するために用いられる前記時間単位に基づいて前記時系列を決定する段階、または、
制御情報を送信するために用いられる前記時間単位とデータを送信するために用いられる前記時間単位とのうちより長い時間単位に基づいて前記時系列を決定する段階、または、
制御情報を送信するために用いられる前記時間単位とデータを送信するために用いられる前記時間単位とのうちより短い時間単位に基づいて前記時系列を決定する段階、または、
ソース時間単位またはターゲット時間単位に基づいて前記時系列を決定する段階、または、
基準時間間隔に基づいて前記時系列を決定する段階
を有する、
請求項１から３のいずれか一項に記載の方法。
【請求項５】
ダウンリンク送信をスケジューリングするために用いられるダウンリンク制御情報ＤＣＩをユーザ機器ＵＥへ送信する段階であって、
ダウンリンク送信をスケジューリングするために用いられる前記ＤＣＩは、Ｋ０の値を示すために用いられる第１のインジケーションフィールドと、Ｋ１の値を通知するために用いられる第２のインジケーションフィールドとを含み、前記第１のインジケーションフィールドにより占有されるビットの数が、前記第２のインジケーションフィールドにより占有されるビットの数と等しい、段階
をさらに備える、請求項２に記載の方法。
【請求項６】
アップリンク送信をスケジューリングするために用いられる前記ダウンリンク制御情報ＤＣＩを前記ユーザ機器ＵＥへ送信する段階であって、
アップリンク送信をスケジューリングするために用いられる前記ＤＣＩは、Ｋ２の値情報を通知するために用いられる第３のインジケーションフィールドを含み、
前記第３のインジケーションフィールドにより占有されるビットの数と、前記第１のインジケーションフィールドにより占有されるビットの数と、前記第２のインジケーションフィールドにより占有されるビットの数とが等しいか、または、前記第３のインジケーションフィールドにより占有されるビットの数が、前記第１のインジケーションフィールドにより占有されるビットの前記数と前記第２のインジケーションフィールドにより占有されるビットの前記数との和と等しい、段階
をさらに備える、請求項５に記載の方法。
【請求項７】
少なくとも１つの第１のセット、および前記第１のセットと前記時間単位との間の関係を前記ＵＥへ送信する段階であって、前記第１のセットは、Ｋ０の少なくとも１つの異なる値を含む、段階、
少なくとも１つの第２のセット、および前記第２のセットと前記時間単位との間の関係を前記ＵＥへ送信する段階であって、前記第２のセットは、Ｋ１の少なくとも１つの異なる値を含む、段階、および、
少なくとも１つの第３のセット、および前記第３のセットと前記時間単位との間の関係を前記ＵＥへ送信する段階であって、前記第２のセットは、Ｋ２の少なくとも１つの異なる値を含む、段階
のうちの少なくとも１つをさらに備える、請求項５または６に記載の方法。
【請求項８】
プロセッサと、送信機と、受信機とを備え、
制御情報を送信するために用いられる時間単位が、データを送信するために用いられる時間単位とは異なり、前記制御情報が前記データと関連する場合、前記プロセッサは、同じ時間単位に基づいて時系列を決定するように構成される、
デバイス。
【請求項９】
前記プロセッサが、前記同じ時間単位に基づいて前記時系列を決定するように構成されることは、
前記プロセッサが、前記同じ時間単位に基づいて第１の時系列Ｋ０および第２の時系列Ｋ１を決定するように構成されることであって、
前記第１の時系列Ｋ０は、物理ダウンリンク制御チャネルＰＤＣＣＨを送信するための時間単位と物理ダウンリンク共有チャネルＰＤＳＣＨを送信するための時間単位との間の時間関係であり、前記ＰＤＣＣＨは、前記制御情報を送信するために用いられ、前記ＰＤＳＣＨは、前記制御情報を用いてスケジューリングされるデータを送信するために用いられ、
前記第２の時系列Ｋ１は、前記ＰＤＳＣＨを送信するための前記時間単位とＰＵＣＣＨまたはＰＵＳＣＨを送信するための時間単位との間の時間関係であり、前記ＰＤＳＣＨは、データを送信するために用いられ、前記ＰＤＣＣＨまたは前記ＰＵＳＣＨは、前記データに対応する制御情報を送信するために用いられ、前記制御情報は、前記データに対応するアップリンクフィードバック情報である、
こと
を含む、請求項８に記載のデバイス。
【請求項１０】
前記プロセッサが、前記同じ時間単位に基づいて前記時系列を決定するように構成されることは、
前記プロセッサが、前記同じ時間単位に基づいて第３の時系列Ｋ２を決定するように構成されることであって、
前記第３の時系列Ｋ２は、前記ＰＤＣＣＨを送信するための前記時間単位と前記ＰＵＳＣＨを送信するための前記時間単位との間の時間関係であり、前記ＰＤＣＣＨは、前記制御情報を送信するために用いられ、前記ＰＵＳＣＨは、前記制御情報を用いてスケジューリングされるアップリンクデータを送信するために用いられる、
こと
を含む、請求項８または９に記載のデバイス。
【請求項１１】
前記プロセッサが、前記同じ時間単位に基づいて前記時系列を決定するように構成されることは、
データを送信するために用いられる前記時間単位に基づいて前記時系列を決定すること、または、
制御情報を送信するために用いられる前記時間単位に基づいて前記時系列を決定すること、または、
制御情報を送信するために用いられる前記時間単位とデータを送信するために用いられる前記時間単位とのうちより長い時間単位に基づいて前記時系列を決定すること、または、
制御情報を送信するために用いられる前記時間単位とデータを送信するために用いられる前記時間単位とのうちより短い時間単位に基づいて前記時系列を決定すること、または、
ソース時間単位またはターゲット時間単位に基づいて前記時系列を決定すること、または、
基準時間間隔に基づいて前記時系列を決定すること
を含む、
請求項８から１０のいずれか一項に記載の方法。
【請求項１２】
前記送信機は、ダウンリンク送信をスケジューリングするために用いられるダウンリンク制御情報ＤＣＩをユーザ機器ＵＥへ送信するように構成され、
ダウンリンク送信をスケジューリングするために用いられる前記ＤＣＩは、Ｋ０の値を示すために用いられる第１のインジケーションフィールドと、Ｋ１の値を通知するために用いられる第２のインジケーションフィールドとを含み、前記第１のインジケーションフィールドにより占有されるビットの数が、前記第２のインジケーションフィールドにより占有されるビットの数と等しい、
請求項９から１１のいずれか一項に記載のデバイス。
【請求項１３】
前記送信機は、アップリンク送信をスケジューリングするために用いられる前記ダウンリンク制御情報ＤＣＩを前記ユーザ機器ＵＥへ送信するように構成され、
アップリンク送信をスケジューリングするために用いられる前記ＤＣＩは、Ｋ２の値情報を通知するために用いられる第３のインジケーションフィールドを含み、
前記第３のインジケーションフィールドにより占有されるビットの数と、前記第１のインジケーションフィールドにより占有されるビットの数と、前記第２のインジケーションフィールドにより占有されるビットの数とが等しいか、または、前記第３のインジケーションフィールドにより占有されるビットの数が、前記第１のインジケーションフィールドにより占有されるビットの前記数と前記第２のインジケーションフィールドにより占有されるビットの前記数との和と等しい、
請求項１０から１２のいずれか一項に記載のデバイス。
【請求項１４】
前記送信機はさらに、
少なくとも１つの第１のセット、および前記第１のセットと前記時間単位との間の関係を前記ＵＥへ送信する段階であって、前記第１のセットは、Ｋ０の少なくとも１つの異なる値を含む、段階、
少なくとも１つの第２のセット、および前記第２のセットと前記時間単位との間の関係を前記ＵＥへ送信する段階であって、前記第２のセットは、Ｋ１の少なくとも１つの異なる値を含む、段階、および、
少なくとも１つの第３のセット、および前記第３のセットと前記時間単位との間の関係を前記ＵＥへ送信する段階であって、前記第２のセットは、Ｋ２の少なくとも１つの異なる値を含む、段階
のうちの少なくとも１つを実行するように構成される、
請求項１２または１３に記載のデバイス。
【発明の詳細な説明】
【技術分野】
【０００１】
本願は、無線通信技術分野に関し、特に、無線通信方法およびデバイスに関する。
【背景技術】
【０００２】
増加するサービスタイプの要件を満たすために、第５世代（ｔｈｅ  ｆｉｆｔｈ  ｇｅｎｅｒａｔｉｏｎ、５Ｇ）モバイル通信システムが、エンハンスドモバイルブロードバンド（ｅｎｈａｎｃｅｄ  ｍｏｂｉｌｅ  ｂｒｏａｄｂａｎｄ、ｅＭＢＢ）、超高信頼性低レイテンシ通信（ｕｌｔｒａ  ｒｅｌｉａｂｌｅ  ａｎｄ  ｌｏｗ  ｌａｔｅｎｃｙ  ｃｏｍｍｕｎｉｃａｔｉｏｎｓ、ＵＲＬＬＣ）および大量マシンタイプ通信（ｍａｓｓｉｖｅ  ｍａｃｈｉｎｅ  ｔｙｐｅ  ｃｏｍｍｕｎｉｃａｔｉｏｎｓ、ｍＭＴＣ）という３つのタイプの適用シナリオをサポートすることが必要とされている。様々な適用シナリオのサービス機能、信頼性要件およびレイテンシ要件には明らかな違いが存在するので、異なるサービスには、サブキャリア間隔、シンボル長および時間単位などのシステムパラメータについての異なる要件がある。
【０００３】
データ送信において、データは、時間単位のある粒度で送信される。５Ｇシステムでは、異なるサービスの異なる要件を満たすために、サブキャリア間隔および時間単位を用いてデータ送信を実行する柔軟なメカニズムが提案されている。すなわち、５Ｇでは、時間単位が異なり得る。例えば、同じキャリア上で、アップリンク通信およびダウンリンク通信を実行するために異なる時間単位が用いられ得て、キャリアアグリゲーションのシナリオでは、キャリア間で用いられる時間単位も異なり得る。
【０００４】
しかしながら、通信に異なる時間単位を用いると、基地局とユーザ機器との間で一貫性がない時系列が生じ得る。
【発明の概要】
【０００５】
本願は、同じタイミング基準に基づいて時系列を決定し、異なるサービス要件に起因する異なるキャリアパラメータの異なるシナリオにおける時系列の不整合という課題を解消することにより円滑な通信を保証すべく、無線通信方法およびデバイスを説明する。
【０００６】
ある態様によれば、本願の実施形態は、無線通信方法を提供する。方法は、制御情報を送信するために用いられる時間単位が、データを送信するために用いられる時間単位とは異なり、制御情報がデータと関連する場合、同じ時間単位に基づいて時系列を決定する段階を含む。同じ時間単位に基づくことは、同じ時間単位に基づくこと、同じ時間単位原理に基づくこと、または同じタイミング基準に基づくこととして理解され得る。従って、基地局と端末との間の一貫した時系列を保証することにより、円滑な通信を保証し、異なるサービス要件を満たすべく、同じ時間単位基準に基づいて、タイミングが実行される。
【０００７】
可能な設計において、
同じ時間単位に基づいて時系列を決定する段階は、
同じ時間単位に基づいて第１の時系列Ｋ０および第２の時系列Ｋ１を決定する段階であって、
第１の時系列Ｋ０は、物理ダウンリンク制御チャネルＰＤＣＣＨを送信するための時間単位と物理ダウンリンク共有チャネルＰＤＳＣＨを送信するための時間単位との間の時間関係であり、ＰＤＣＣＨは、制御情報を送信するために用いられ、ＰＤＳＣＨは、制御情報を用いてスケジューリングされるデータを送信するために用いられ、
第２の時系列Ｋ１は、ＰＤＳＣＨを送信するための時間単位とＰＵＣＣＨまたはＰＵＳＣＨを送信するための時間単位との間の時間関係であり、ＰＤＳＣＨは、データを送信するために用いられ、ＰＤＣＣＨまたはＰＵＳＣＨは、データに対応する制御情報を送信するために用いられ、制御情報は、データに対応するアップリンクフィードバック情報である、段階を含む。従って、第１の時系列および第２の時系列が同じ時間単位に基づいて決定されることにより、時系列が一貫したものになる。
【０００８】
可能な設計において、第３の時系列Ｋ２はさらに、同じ時間単位に基づいて決定され、第３の時系列Ｋ２は、ＰＤＣＣＨを送信するための時間単位とＰＵＳＣＨを送信するための時間単位との間の時間関係であり、ＰＤＣＣＨは、制御情報を送信するために用いられ、ＰＵＳＣＨは、制御情報を用いてスケジューリングされるアップリンクデータを送信するために用いられる。第１の時系列、第２の時系列および第３の時系列が同じ時間単位に基づいて決定されることにより、時系列が一貫したものになる。これにより、円滑な通信が保証され、システム設計が簡略化される。
【０００９】
可能な設計において、
同じ時間単位に基づいて時系列を決定する段階は、
データを送信するために用いられる時間単位に基づいて時系列を決定する段階、または、
制御情報を送信するために用いられる時間単位に基づいて時系列を決定する段階、または、
制御情報を送信するために用いられる時間単位とデータを送信するために用いられる時間単位とのうちより長い時間単位に基づいて時系列を決定する段階、または、
制御情報を送信するために用いられる時間単位とデータを送信するために用いられる時間単位とのうちより短い時間単位に基づいて時系列を決定する段階、または、
ソース時間単位またはターゲット時間単位に基づいて時系列を決定する段階、または、
基準時間間隔に基づいて時系列を決定する段階
を含む。従って、本願は、柔軟な選択のために時系列を決定するための複数の方法を提供する。
【００１０】
可能な設計において、
時系列は、同じ時間単位に基づいて決定され、
方法は、
ダウンリンク送信をスケジューリングするために用いられるダウンリンク制御情報ＤＣＩをユーザ機器ＵＥへ送信する段階であって、
ダウンリンク送信をスケジューリングするために用いられるＤＣＩは、Ｋ０の値を示すために用いられる第１のインジケーションフィールドと、Ｋ１の値を通知するために用いられる第２のインジケーションフィールドとを含み、第１のインジケーションフィールドにより占有されるビットの数が、第２のインジケーションフィールドにより占有されるビットの数と等しい、段階
をさらに含む。従って、ＤＣＩシグナリングオーバヘッドが低減され得て、Ｋ０およびＫ１の柔軟性が保証され得る。
【００１１】
可能な設計において、
方法は、
アップリンク送信をスケジューリングするために用いられるダウンリンク制御情報ＤＣＩをユーザ機器ＵＥへ送信する段階であって、
アップリンク送信をスケジューリングするために用いられるＤＣＩは、Ｋ２の値情報を通知するために用いられる第３のインジケーションフィールドを含み、
第３のインジケーションフィールドにより占有されるビットの数と、第１のインジケーションフィールドにより占有されるビットの数と、第２のインジケーションフィールドにより占有されるビットの数とが等しいか、または、第３のインジケーションフィールドにより占有されるビットの数が、第１のインジケーションフィールドにより占有されるビットの数と第２のインジケーションフィールドにより占有されるビットの数との和と等しい、段階
をさらに含む。
【００１２】
可能な設計において、
方法は、
少なくとも１つの第１のセット、および第１のセットと時間単位との間の関係をＵＥへ送信する段階であって、第１のセットは、Ｋ０の少なくとも１つの異なる値を含む、段階、
少なくとも１つの第２のセット、および第２のセットと時間単位との間の関係をＵＥへ送信する段階であって、第２のセットは、Ｋ１の少なくとも１つの異なる値を含む、段階、および、
少なくとも１つの第３のセット、および第３のセットと時間単位との間の関係をＵＥへ送信する段階であって、第２のセットは、Ｋ２の少なくとも１つの異なる値を含む、段階
のうちの少なくとも１つをさらに含む。
従って、ＵＥは、時間単位またはサブキャリア間隔に基づいて、セットを決定し、ＤＣＩにおいて示される時系列の値に基づいて、特定の時系列を決定し得る。
【００１３】
別の態様によれば、本願は、デバイスを提供する。デバイスは、本願において提供される方法の関連する機能を実装し得る。当該機能は、ハードウェアを用いて実装され得るか、または対応するソフトウェアをハードウェアにより実行することにより実装され得る。ハードウェアまたはソフトウェアは、前述の機能に対応する１または複数のモジュールを含む。
【００１４】
別の態様によれば、本願は、プロセッサと、送信機と、受信機とを含むデバイスを提供する。制御情報を送信するために用いられる時間単位が、データを送信するために用いられる時間単位とは異なり、制御情報がデータと関連する場合、プロセッサは、同じ時間単位に基づいて時系列を決定するように構成される。デバイスは、本願において提供される方法の関連する機能を実装し得る。
【００１５】
ある態様によれば、本願は、コンピュータ記憶媒体を提供する。コンピュータ記憶媒体は、前述のデータ送信デバイスにより用いられるコンピュータソフトウェア命令を格納するように構成される。コンピュータ記憶媒体は、前述の態様を実行するよう設計されたプログラムを含む。
【００１６】
さらに別の態様によれば、本願は、コンピュータ記憶媒体を提供する。コンピュータ記憶媒体は、前述のデータ受信デバイスにより用いられるコンピュータソフトウェア命令を格納するように構成される。コンピュータ記憶媒体は、前述の態様を実行するよう設計されたプログラムを含む。
【００１７】
別の態様によれば、本願は、チップシステムを提供する。チップシステムは、前述の態様における機能を実装するようデバイスをサポートするように構成されたプロセッサを含む。チップシステムは、チップを含み得るか、またはチップおよび別のディスクリートデバイスを含み得る。
【００１８】
本願は、同じタイミング基準に基づいて時系列を決定し、異なるサービス要件に起因する異なるキャリアパラメータの異なるシナリオにおける時系列の不整合という課題を解消することにより円滑な通信を保証すべく、無線通信方法およびデバイスを説明する。
【図面の簡単な説明】
【００１９】
以下では、添付図面を参照して、本願の実施形態をより詳細に説明する。
【図１】本願の可能な適用シナリオの概略図を示す。
【図２】ＬＴＥ技術でのダウンリンク通信の例示的な図を示す。
【図３】ＬＴＥ技術でのアップリンク通信の例示的な図を示す。
【図４】本願による実施形態の例示的な図を示す。
【図５】本願による実施形態の例示的な図を示す。
【図６】本願による実施形態の例示的な図を示す。
【図７】本願による実施形態の例示的な図を示す。
【図８】本願による実施形態の例示的な図を示す。
【図９】本願による実施形態の例示的な図を示す。
【図１０】本願による実施形態の例示的な図を示す。
【図１１】本願による実施形態の例示的な図を示す。
【図１２】本願による実施形態の例示的な図を示す。
【図１３】本願による実施形態の例示的な図を示す。
【図１４】本願による実施形態の例示的な図を示す。
【図１５】本願による実施形態の例示的な図を示す。
【図１６】本願による実施形態の概略フローチャートを示す。
【図１７】本願による実施形態の例示的な図を示す。
【図１８】本願による実施形態の例示的な図を示す。
【図１９】本願による実施形態の例示的な図を示す。
【図２０】本願による実施形態の例示的な図を示す。
【図２１】本願による概略構造図を示す。
【発明を実施するための形態】
【００２０】
以下では、本願の実施形態における添付図面を参照して、本願の実施形態における技術的解決手段を明確かつ完全に説明する。
【００２１】
本願の以下の実施形態において説明するネットワークアーキテクチャおよびサービスシナリオは、本願の実施形態における技術的解決手段をより明確に説明することを意図しているが、本願の実施形態において提供される技術的解決手段を限定することは意図していない。当業者であれば、ネットワークアーキテクチャが進化しており、新しいサービスシナリオが出現しているので、本願の実施形態において提供される技術的解決手段が同様の技術的課題にさらに適用され得ることを認識し得る。
【００２２】
本発明において説明する技術は、ロングタームエボリューション（Ｌｏｎｇ  Ｔｅｒｍ  Ｅｖｏｌｕｔｉｏｎ、略してＬＴＥ）システム、または様々な無線アクセス技術が用いられる他の無線通信システム、例えば、符号分割多重アクセス、周波数分割多重アクセス、時間分割多重アクセス、直交周波数分割多重アクセスおよびシングルキャリア周波数分割多重アクセスなどのアクセス技術が用いられるシステムに適用され得て、さらに、第５世代５ＧシステムなどのＬＴＥシステムが用いられる後続の進化型システムに適用され得る。
【００２３】
図１は、本願の可能な適用シナリオの概略図を示す。ユーザ機器（Ｕｓｅｒ  Ｅｑｕｉｐｍｅｎｔ、ＵＥ）が、無線インタフェースを用いてネットワーク側デバイスにアクセスして通信を実行するか、または、例えば、デバイスツーデバイス（Ｄｅｖｉｃｅ  ｔｏ  Ｄｅｖｉｃｅ、Ｄ２Ｄ）シナリオまたはマシンツーマシン（Ｍａｃｈｉｎｅ  ｔｏ  Ｍａｃｈｉｎｅ、Ｍ２Ｍ）シナリオにおける通信で、別のユーザ機器と通信し得る。
【００２４】
ネットワーク側デバイスは、ユーザ機器と通信し得るか、または、例えば、マクロ基地局とアクセスポイントとの間の通信で別のネットワーク側デバイスと通信し得る。本願において、「ネットワーク」および「システム」という名詞は通常、交換可能に用いられるが、当業者には、これらの名詞の意味が理解され得る。本願におけるユーザ機器は、無線通信機能を有する様々なハンドヘルドデバイス、車載デバイス、ウェアラブルデバイス、コンピューティングデバイス、制御デバイス、または無線モデムに接続された別の処理デバイスを含み得ると共に、ＵＥ、移動局（Ｍｏｂｉｌｅ  ｓｔａｔｉｏｎ、ＭＳ）、端末（Ｔｅｒｍｉｎａｌ）、端末機器（Ｔｅｒｍｉｎａｌ  Ｅｑｕｉｐｍｅｎｔ）、または様々な形態の同様のものを含み得る。説明しやすくするために、本願において、上述の全てのデバイスは、ユーザ機器（ＵＥ）と総称される。本願におけるネットワーク側デバイスは、基地局（Ｂａｓｅ  Ｓｔａｔｉｏｎ、ＢＳ）、ネットワークコントローラ、移動交換局または同様のものを含む。無線チャネルを用いてユーザ機器と直接通信する装置は通常、基地局である。基地局は、マクロ基地局、マイクロ基地局、リレーノード、アクセスポイント、遠隔無線ユニット（Ｒｅｍｏｔｅ  Ｒａｄｉｏ  Ｕｎｉｔ、ＲＲＵ）、または様々な形態の同様のものを含み得る。当然ながら、ユーザ機器との無線通信を実行する装置は、無線通信機能を有する別のネットワーク側デバイスであり得る。このことは、本願において一意に限定されない。異なるシステムにおいて、基地局機能を有するデバイスの名前は異なり得る。これらの名前は、例えば、進化型ノードＢ（ｅｖｏｌｖｅｄ  ＮｏｄｅＢ、ｅＮＢまたはｅＮｏｄｅＢ）、ノードＢ（Ｎｏｄｅ  Ｂ）および送受信ポイント（Ｔｒａｎｓｍｉｓｓｉｏｎ  ａｎｄ  Ｒｅｃｅｐｔｉｏｎ  Ｐｏｉｎｔ、ＴＲＰ）である。
【００２５】
本願において提供される技術的解決手段は、アップリンクデータ送信および／またはダウンリンクデータ送信に適用され得る。アップリンクデータ送信では、データ送信デバイスがユーザ機器であり得て、データ受信デバイスが基地局などのネットワーク側デバイスであり得る。ダウンリンクデータ送信では、データ送信デバイスがネットワーク側デバイス、例えば、基地局であり得て、データ受信デバイスがユーザ機器であり得る。図２は、ＬＴＥ技術でのダウンリンク通信の例示的な図を示す。
【００２６】
既存のＬＴＥ技術でのダウンリンク通信が、例として用いられる。ダウンリンクスケジューリングのために用いられる時間単位と、対応するダウンリンクデータ送信のために用いられる時間単位との間の時間間隔が、本願においてＫ０時間単位として示される。ＬＴＥにおける時間単位は、固定され得て、例えば、１ｍｓである。図２において、各行におけるセルは、１つの時間単位とみなされ得る。
【００２７】
具体的には、ダウンリンクスケジューリング情報が、ｎ番目の時間単位において物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を用いて送信される場合、当該ダウンリンクスケジューリング情報は、ダウンリンク制御情報（Ｄｏｗｎｌｉｎｋ  Ｃｏｎｔｒｏｌ  Ｉｎｆｏｒｍａｔｉｏｎ、ＤＣＩ）であり得ると共に、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）を用いたダウンリンクデータ送信のために用いられる、対応する時間単位は、（ｎ＋Ｋ０）番目の時間単位である。現在のＬＴＥシステムにおいて、Ｋ０は０であり得る。
【００２８】
既存のＬＴＥ技術では、データ通信の信頼性を保証するために、ハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱ）メカニズム、すなわち、送信端が、データを送信した後に、確認情報を受信端がフィードバックするのを待機する必要があるメカニズムが導入されている。確認情報は、肯定応答（Ａｃｋｎｏｗｌｅｄｇｍｅｎｔ、ＡＣＫ）情報または否定応答（Ｎｅｇａｔｉｖｅ−Ａｃｋｎｏｗｌｅｄｇｍｅｎｔ、ＮＡＣＫ）情報であり得る。
【００２９】
ダウンリンクデータ送信のために用いられる時間単位と、対応する確認情報をフィードバックするために用いられる時間単位との間の時間間隔が、本願においてＫ１時間単位として示される。具体的には、ダウンリンクデータが、ｎ番目の時間単位においてＰＤＳＣＨを用いて送信される場合、物理アップリンク共有チャネル（(Ｐｈｙｓｉｃａｌ  Ｕｐｌｉｎｋ  Ｓｈａｒｅｄ  Ｃｈａｎｎｅｌ、ＰＵＳＣＨ）または物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）を用いた確認情報の送信のために用いられる、対応する時間単位は、（ｎ＋Ｋ１）番目の時間単位である。現在のＬＴＥシステムにおいて、Ｋ１は４であり得る。
【００３０】
確認情報をフィードバックするために用いられる時間単位と、対応するデータ再送信のために用いられる時間単位との間の時間間隔が、本願においてＫ３時間単位として示される。具体的には、確認情報が、ＰＵＳＣＨまたはＰＵＣＣＨを用いてｎ番目の時間単位においてフィードバックされる場合、データ再送信を実行するために基地局により用いられる、対応する時間単位は、（ｎ＋Ｋ３）番目の時間単位である。現在のＬＴＥシステムにおいて、Ｋ３は４であり得る。
【００３１】
図２に示されるように、ＬＴＥにおいて、Ｋ０＝０、Ｋ１＝４、かつ、Ｋ３＝４である場合、連続的なダウンリンク送信を保証するために、必要とされる工程の数は８である。図３は、ＬＴＥ技術でのアップリンク通信の例示的な図を示す。
【００３２】
ＬＴＥでの既存のアップリンク通信は、例として用いられる。アップリンクスケジューリングのために用いられる時間単位と、対応するアップリンクデータ送信のために用いられる時間単位との間の時間間隔が、本願においてＫ２時間単位として示される。時間単位の定義については、図２における関連する説明が参照され得る。
【００３３】
具体的には、ダウンリンクスケジューリング情報が、ＰＤＣＣＨを用いてｎ番目の時間単位において送信される場合、ＰＵＳＣＨを用いたアップリンクデータ送信のために用いられる、対応する時間単位は、（ｎ＋Ｋ２）番目の時間単位である。
【００３４】
アップリンクデータ送信のために用いられる時間単位と、対応するアップリンクデータ再送信スケジューリングのために用いられる時間単位との間の時間間隔が、本願においてＫ４時間単位として示される。具体的には、アップリンクデータ送信が、ＰＵＳＣＨを用いてｎ番目の時間単位において実行される場合、ＰＤＣＣＨを用いたアップリンクデータ再送信のスケジューリングのために用いられる、対応する時間単位は、（ｎ＋Ｋ４）番目の時間単位である。
【００３５】
図３に示されるように、ＬＴＥにおいて、Ｋ２＝４、かつ、Ｋ４＝４である場合、連続的なアップリンク送信を保証するために、必要となる工程の数は８である。
【００３６】
現在、ＬＴＥにおいて、Ｋ０は０である。周波数分割複信（Ｆｒｅｑｕｅｎｃｙ  Ｄｉｖｉｓｉｏｎ  Ｄｕｐｌｅｘｉｎｇ、ＦＤＤ）モードでは、Ｋ１およびＫ２は４であり、時分割複信（Ｔｉｍｅ  Ｄｉｖｉｓｉｏｎ  Ｄｕｐｌｅｘｉｎｇ、ＴＤＤ）モードでは、Ｋ１およびＫ２は、固定値であり、具体的には、ＴＤＤのサブフレーム構成に基づいて決定され得る。ｋ３およびＫ４は主に、基地局の能力およびスケジューリングステータスに基づいて決定される。ＬＴＥにおけるＦＤＤモードでは、Ｋ３およびＫ４は４である。
【００３７】
前述のＫ０、Ｋ１、Ｋ２、Ｋ３およびＫ４の定義は、後続の進化型システムにおいて、改めて参照され得る。Ｋ０、Ｋ１、Ｋ２、Ｋ３およびＫ４は、本願において時系列と称される。
【００３８】
異なるサービスの異なる要件を満たすために、異なるキャリアと、用いられる時間単位との間のサブキャリア間隔は、異なり得る。構成されるサブキャリア間隔は異なり、スロットまたはミニスロットに基づいて構成される送信は異なり、構成されるスロット番号、ミニスロット番号およびシンボル番号は異なる。これにより、異なる時間単位が生じ得る。同じキャリア上でのアップリンク送信およびダウンリンク送信のために用いられる時間単位も異なり得る。この場合、基地局とユーザ機器との間の正常な通信を保証するために時系列をどのように決定するかは、解決する必要がある課題である。
【００３９】
本明細書の全ての実施形態は、異なる時間単位を用いて説明される。また、異なる時間単位は、本明細書の全ての実施形態を説明するために、異なるサブキャリア間隔、異なるシンボル番号または異なるキャリアパラメータヌメロロジーと置き換えられ得る。キャリアのキャリア構成パラメータ（ヌメロロジー）は、サブキャリア間隔、時間単位長、ＣＰタイプまたは同様のものを含み得る。
【００４０】
従って、本願の実施形態は、無線通信方法を提供する。方法は、基地局またはユーザ機器などのネットワーク側デバイスにより実行され得る。
【００４１】
制御情報を送信するために用いられる時間単位が、データを送信するために用いられる時間単位とは異なる場合、時系列が同じ時間単位に基づいて決定される。
【００４２】
構成されるサブキャリア間隔、または用いられる時間単位が異なる場合、ロバスト性を改善し、基地局とユーザ機器との間の正常な通信を保証し、かつ、システム設計を簡略化すべく、均一な時系列が、基本単位として用いられる同じ時間単位に基づいて決定され得る。同じ時間単位に基づくことは、同じ時間単位に基づくこと、同じ時間単位原理に基づくこと、または同じタイミング基準に基づくこととして理解され得る。
【００４３】
制御情報は、送信されるデータに関連する。具体的には、制御情報は、ダウンリンクスケジューリング情報（例えば、ＤＣＩ）であり、ＰＤＣＣＨを用いて送信され、当該データは、ダウンリンクスケジューリング情報に対応するダウンリンクデータであり、ＰＤＳＣＨを用いて送信される。代替的に、当該データは、ダウンリンクデータであり、ＰＤＣＣＨを用いて送信され、制御情報は、アップリンク制御情報であり、ＰＵＳＣＨまたはＰＵＣＣＨを用いて送信され、例えば、制御情報は、肯定応答ＡＣＫメッセージまたは否定応答ＮＡＣＫメッセージなどの確認情報であり得る。代替的に、制御情報は、ダウンリンク制御情報ＤＣＩであり、ＰＤＣＣＨを用いて送信され、当該データは、ダウンリンク制御情報を用いてスケジューリングされるアップリンクデータであり、ＰＵＳＣＨを用いて送信される。すなわち、制御情報は、データをスケジューリングするための制御情報または当該データに対応するフィードバック情報であり得る（再送信が実行され得るかどうかを決定するために用いられ、例えば、ＡＣＫメッセージまたはＮＡＣＫメッセージなどの確認情報であり得る）。制御情報、データおよび対応するチャネルの後続の説明については、本セクションが参照され得る。このことは、本願において限定されない。
【００４４】
時系列が、同じ時間単位に基づいて決定される。代替的に、時系列が、同じ時間単位原理に基づいて、または同じタイミング基準に基づいて決定される。複数の時系列が、同じ単位に基づいて決定され得る。複数の時系列は、第１の時系列であり得る。第１の時系列は、Ｋ０であり得て、ＰＤＣＣＨを送信するための時間単位とＰＤＳＣＨを送信するための時間単位との間の時間関係を示すために用いられる。すなわち、基地局が時間単位ｎにおいてダウンリンクスケジューリング情報を送信する場合、ダウンリンクスケジューリング情報は、ＤＣＩ情報であり得て、対応するダウンリンクデータがその後、時間単位ｎ＋Ｋ０において送信される。代替的に、複数の時系列は、同じ時間単位に基づいて決定され得る。複数の時系列は、第２の時系列を含み得る。第２の時系列は、Ｋ１であり得ると共に、ＰＤＳＣＨを送信するための時間単位とＰＵＳＣＨまたはＰＵＣＣＨを送信するための時間単位との間の時間関係を示すために用いられる。すなわち、基地局が時間単位ｎにおいてダウンリンクデータを送信する場合、ダウンリンクデータに対応するアップリンクフィードバック情報（ＡＣＫメッセージまたはＮａｃｋメッセージ）が時間単位ｎ＋Ｋ１において送信される。
【００４５】
複数の時系列は、同じ時間単位に基づいて決定され得る。複数の時系列は、第３の時系列であり得る。第３の時系列は、Ｋ２であり得ると共に、ＰＤＣＣＨ送信とＰＵＳＨＣ送信との間の時間関係を示すために用いられる。すなわち、基地局が時間単位ｎにおいてダウンリンクスケジューリング情報（ＤＣＩであり得る）を送信する場合、対応するアップリンクデータは、時間単位ｎ＋Ｋ２において送信される。任意選択的に、Ｋ３またはＫ４はさらに、同じ時間単位に基づいて決定され得る。
【００４６】
Ｋ０、Ｋ１、Ｋ２、Ｋ３およびＫ４は、本願の本実施形態における説明のために引き続き用いられ得るが、時系列の名前は、限定されないか、または別の形式で表現され得ることに留意されたい。
【００４７】
加えて、ＰＤＣＣＨは、時間単位全体を完全には占有し得ないことに留意されたい。例えば、ＬＴＥにおける１つの時間単位は、１４個のシンボルでの１ｍｓであり、ＰＤＣＣＨは通常、１個から３個のシンボルのみを占有する。同様に、ＰＤＳＣＨ、ＰＵＳＣＨおよびＰＵＣＣＨは、時間単位全体を完全には占有し得ない。別のシステムにおいて、前述のチャネルの名前は、異なり得る。例えば、ＮＲは、ＮＲ−ＰＤＣＣＨ、ＮＲ−ＰＤＳＣＨ、ＮＲ−ＰＵＳＣＨおよびＮＲ−ＰＵＣＣＨであり得る。このことは、本明細書において限定されない。
【００４８】
従って、時系列が、同じ時間単位に基づいて決定される。これにより、ロバスト性が改善され、システム設計が簡略化され得る。
【００４９】
さらに、前述の複数の時系列は、同じタイミング基準に基づいて決定される。例えば、時系列は、制御情報を送信するために用いられる時間単位に基づいて決定され得るか、または、データを送信するために用いられる時間単位に基づいて決定され得るか、あるいは、制御情報を送信するために用いられる時間単位と、データを送信するために用いられる時間単位とのうちより長い時間単位に基づいて決定され得るか、または、制御情報を送信するために用いられる時間単位と、データを送信するために用いられる時間単位とのうちより短い時間単位に基づいて決定され得る。代替的に、時系列は、１ｍｓまたは７個のシンボルであり得る基準時間間隔に基づいて決定される。このことは、本願において限定されない。代替的に、時系列は、ソース時間単位に基づいて決定され得る。第１の時系列（ＰＤＣＣＨとＰＤＳＣＨとの間の時間関係）には、ＰＤＣＣＨを送信するための時間単位が、タイミング基準またはタイミング単位として用いられる。第３の時系列（ＰＤＣＣＨとＰＵＳＣＨとの間の時間関係）には、ＰＤＣＣＨを送信するための時間単位が、タイミング基準またはタイミング単位として用いられる。第２の時系列（ＰＤＳＣＨとＰＵＳＣＨ／ＰＵＣＣＨとの間の時間関係）には、ＰＤＣＣＨを送信するための時間単位が、タイミング基準またはタイミング単位として用いられる。代替的に、時系列は、ターゲット時間単位に基づいて決定され得て、例えば、第１の時系列Ｋ０（ＰＤＣＣＨとＰＤＳＣＨとの間の時間関係）には、ＰＤＣＣＨを送信するための時間単位が、タイミング基準またはタイミング単位として用いられ、第３の時系列Ｋ２（ＰＤＣＣＨとＰＵＳＣＨとの間の時間関係）には、ＰＵＣＣＨを送信するための時間単位が、タイミング基準またはタイミング単位として用いられ、Ｋ１（ＰＤＳＣＨとＰＵＳＣＨ／ＰＵＣＣＨとの間の時間関係）には、ＰＵＳＣＨ／ＰＵＣＣＨを送信するための時間単位が、タイミング基準またはタイミング単位として用いられる。代替的に、時系列は、データを送信するために用いられる時間単位に基づいて決定され、例えば、第１の時系列Ｋ０（ＰＤＣＣＨとＰＤＳＣＨとの間の時間関係）には、ＰＤＣＣＨを送信するための時間単位が、タイミング基準またはタイミング単位として用いられ、第３の時系列Ｋ２（ＰＤＣＣＨとＰＵＳＣＨとの間の時間関係）には、ＰＵＣＣＨを送信するための時間単位が、タイミング基準またはタイミング単位として用いられ、第２の時系列Ｋ１（ＰＤＳＣＨとＰＵＳＣＨ／ＰＵＣＣＨとの間の時間関係）には、ＰＤＣＣＨを送信するための時間単位が、タイミング基準またはタイミング単位として用いられる。従って、時系列が、同じ時間単位に基づいて決定される。すなわち、基地局と端末との間の通信の質を保証することによりロバスト性を改善すべく、時系列が、同じタイミング基準に基づいて決定される。
【００５０】
本願の実施形態において、基地局は、複数のセットをＵＥへ送信し得る。複数のセットは、１または複数のＫ０のセット、１または複数のＫ１のセット、１または複数のＫ２のセットおよび同様のものであり得る。基地局は、セット間の対応関係と、サブキャリア間隔および時間単位のうちの少なくとも１つをＵＥへ送信する。基地局はさらに、インジケーション情報をＵＥへ送信する。インジケーション情報は、時系列の値を示し得る。ＵＥは、前述の対応関係に基づいてセットを決定し、インジケーション情報に基づいて時系列の特定の値を決定し得る。従って、基地局は、複数の異なる時系列の値を送信し、ＵＥは、サブキャリア間隔または時間単位に基づいて異なるセットを決定し、さらに、インジケーション情報に基づいて時系列を決定する。これにより、異なるサブキャリアまたは異なる時間単位がスケジューリングされる場合、柔軟なスケジューリングが実行され得る。
【００５１】
本願の実施形態において、実施形態は、スケジューリングに関連する。Ｘ＞ＰＤＣＣＨの時間単位長とＰＤＳＣＨ／ＰＵＳＣＨの時間単位長の比＞１／Ｙであり、ＸおよびＹが正の整数である場合、基地局は、ＰＤＣＣＨおよび対応するＰＤＳＣＨまたはＰＵＳＣＨを構成する。任意選択的に、ＸおよびＹの両方は、２または４と等しい。代替的に、基地局は、ＰＤＣＣＨおよび対応するＰＤＳＣＨまたはＰＵＳＣＨを構成し、ＰＤＣＣＨおよび対応するＰＤＳＣＨまたはＰＵＳＣＨのサブキャリア間隔は、ＵＥによりサポートされるサブキャリア間隔である。例えば、ＵＥが１５ｋＨｚ、６０ｋＨｚおよび１２０ｋＨｚをサポートする場合、ＰＤＣＣＨおよび対応するＰＤＳＣＨまたはＰＵＳＣＨは、１５および６０を含む隣接する組み合わせまたは６０および１２０を含む隣接する組み合わせとして構成される。代替的に、ＵＥ用に構成されるか、またはアクティブ化される複数のキャリアが、少なくとも１つのキャリアグループに分類され、クロスキャリアスケジューリングおよび／またはキャリアアグリゲーションフィードバックが、当該キャリアグループにおいて実行され得る。
【００５２】
可能な実装において、１つのキャリアグループに含まれるキャリアは、同じサブキャリア間隔または同じ時間単位長を有する。すなわち、ネットワークデバイス（基地局など）は、同じサブキャリア間隔または同じ時間単位長を分割基準として用い、端末用に構成されるか、またはアクティブ化される複数のキャリアを少なくとも１つのキャリアグループに分類する。従って、このグループ化方式により、クロスキャリアスケジューリングまたはフィードバックが大きく簡略化され得る。加えて、別の可能な実装において、最大で１つのキャリアグループが、異なるサブキャリア間隔または異なる時間単位長を有するキャリアを含む。例えば、ネットワークデバイスは、まず、同じサブキャリア間隔または同じ時間単位長を分割基準として用い、端末用に構成される複数のキャリアを少なくとも１つのキャリアグループに分類し、次に、残りのキャリアを１つのキャリアグループとして用い得る。
【００５３】
可能な実装において、１つのキャリアグループに含まれるキャリアが、最大で２つの異なるタイプのサブキャリア間隔または時間単位長構成を有する。すなわち、ネットワークデバイスにより各キャリアグループに割り当てられるキャリアに最大で２つの異なるタイプのサブキャリア間隔または時間単位長構成が存在することにより、クロスキャリアスケジューリングまたはフィードバックの複雑性が簡略化される。これにより、当該キャリアにおける極めて大量のタイプのサブキャリア間隔または時間単位長構成に起因する、クロスキャリアスケジューリングおよびフィードバックの比較的高い複雑性が回避される。
【００５４】
さらに、任意選択的に、１つのキャリアグループに含まれるキャリアが、最大で２つの異なるタイプのサブキャリア間隔または時間単位長構成を有する。これら２つの異なるタイプのサブキャリア間隔または時間単位長構成は、端末またはシステムによりサポートされる２つのタイプの隣接するキャリア間隔または時間単位長である。例えば、サブキャリア間隔が１５ｋＨｚ、６０ｋＨｚおよび１２０ｋＨｚとして構成されるキャリアが存在する。サブキャリア間隔が１５ｋＨｚおよび６０ｋＨｚとして構成されるキャリアは、１つのグループに分類されるが、サブキャリア間隔が１５ｋＨｚおよび１２０ｋＨｚとして構成されるキャリアは、１つのグループに分類され得ない。
【００５５】
本願の実施形態において、実施形態は、フィードバックに関連する。Ｘ＞ＰＤＳＣＨの時間単位長とＰＵＣＣＨ／ＰＵＳＣＨの時間単位長の比＞１／Ｙであり、ＸおよびＹが正の整数である場合、基地局は、ＰＤＳＣＨおよび対応するＰＵＣＣＨまたはＰＵＳＣＨを構成する。任意選択的に、ＸおよびＹの両方は、２または４と等しい。基地局は、ＰＤＳＣＨおよび対応するＰＵＣＣＨまたはＰＵＳＣＨを構成し、ＰＤＳＣＨおよび対応するＰＵＣＣＨまたはＰＵＳＣＨのサブキャリア間隔は、ＵＥによりサポートされる隣接するサブキャリア間隔である。例えば、ＵＥが１５ｋ、６０ｋおよび１２０ｋをサポートする場合、１５および６０を含む隣接する組み合わせまたは６０および１２０を含む隣接する組み合わせが構成されるが、１５および１２０を含む組み合わせは、構成され得ない。基地局がキャリアを分類する場合、最大で１つのグループが、異なるサブキャリア間隔または時間単位長を有するキャリア、例えば、４つのグループに分類される１０個のキャリアを含む。グループ化は、サブキャリア間隔または時間単位長が同じであるかどうかに基づいて実行される。残りの異なるサブキャリア間隔または時間単位長が、１つのグループに分類される。基地局がキャリアを分類する場合、各グループは、異なるサブキャリア間隔または時間単位長を有する最大で２つのキャリアを含む。
【００５６】
送信時間単位は、サブフレームおよび送信時間間隔であり得る（１つの送信時間間隔がいくつかのサブフレームの長さの和と等しいか、または、いくつかの送信時間間隔の和が１つのサブフレームの長さと等しい）か、または、１つの時間領域シンボル、複数の時間領域シンボル、１つのスロット（ｓｌｏｔ）、複数のスロットのアグリゲーション、１つのミニスロット（ｍｉｎｉ−ｓｌｏｔ）、複数のミニスロットのアグリゲーションまたはミニスロットとスロットとのアグリゲーション、または同様のものであり得ることに留意されたい。サブキャリア間隔は、１５ｋＨｚ×２＾ｎであり得る（ｎは正の整数である）。すなわち、サブキャリア間隔は、１５ｋＨｚ、３０ｋＨｚまたは同様のものである。送信時間単位は、サブキャリア間隔およびシンボル番号により決定される。構成されるサブキャリア間隔またはスロット番号、ミニスロット番号およびシンボル番号は、異なる時間単位を生じ得る。従って、本明細書の全ての実施形態における送信時間単位に関連する構成解決手段または説明は、サブキャリア間隔に関連する構成解決手段または説明と置き換えられ得る。
【００５７】
以下では、異なる時間単位または異なるサブキャリア間隔の実施形態を参照して説明を提供する。以下の実施形態は、基地局またはユーザ機器により実行され得る。図４は、本願による実施形態の例示的な図を示す。
【００５８】
図４に示されるように、制御情報を送信するために用いられる時間単位は、データを送信するために用いられる時間単位よりも大きい。図４に示されるように、キャリア１の第１の時間単位が、ＰＤＣＣＨを送信するために用いられ、キャリア２の時間単位が、対応するＰＤＳＣＨを送信するために用いられ得る。図４における第１の列が、キャリア１により用いられる時間単位を示し、第２の列が、キャリア２により用いられる時間単位を示す。
【００５９】
本願における時間単位は、送信のための最小時間間隔であると共に、サブフレームであり得るか、または、１または複数の時間領域シンボル、１つのスロット（ｓｌｏｔ）もしくは複数のスロットのアグリゲーション、１つのミニスロット（ｍｉｎｉ−ｓｌｏｔ）もしくは複数のミニスロットのアグリゲーション、または同様のものであり得る。ここでは、キャリア１により用いられる時間単位は、キャリア２により用いられる時間単位よりも大きい。サブキャリア間隔は、１５ｋＨｚ×２＾ｍであり得る（ｍは正の整数である）。すなわち、サブキャリア間隔は、１５ｋＨ、３０ｋＨｚおよび同様のものである。送信時間単位が、サブキャリア間隔およびシンボル数により決定される。従って、本願の本実施形態における送信時間単位に関連する構成解決手段または説明は、サブキャリア間隔に関連する構成解決手段または説明と置き換えられ得る。ここで、キャリア１により用いられる時間単位は、キャリア２により用いられる時間単位よりも大きく、または、キャリア１により用いられるサブキャリア間隔は、キャリア２により用いられるサブキャリア間隔よりも小さい。
【００６０】
本願の実施形態において、より短い時間単位が、時系列を決定するための基本的な時間単位として用いられる。本願において、ＰＤＣＣＨは、ダウンリンクスケジューリングを実行するために用いられ、ＰＤＳＣＨは、ダウンリンクデータ送信を実行するために用いられる。ＰＤＣＣＨを送信するために用いられる時間単位とＰＤＳＣＨを送信するために用いられる時間単位との間の時間関係が、Ｋ０として示される。この場合において、より短い時間単位が基本的な時間単位として用いられるときは、Ｋ０は、０、１、２…または５であり得る。このことは、本願において限定されない。図５は、本願による実施形態の例示的な図を示す。
【００６１】
図５に示されるように、制御情報を送信するために用いられる時間単位は、データを送信するために用いられる時間単位よりも小さい。図５に示されるように、キャリア１の第１の時間単位が、ＰＤＣＣＨをスケジューリングするために用いられ、キャリア２の時間単位が、対応するＰＤＳＣＨをスケジューリングするために用いられ得る。図５に示されるように、ＰＤＣＣＨをスケジューリングするために用いられる２つの時間単位は、ＰＤＳＣＨをスケジューリングするために用いられ得る時間単位と揃えられる。
【００６２】
本願の実施形態において、より短い時間単位が、時系列を決定するための基本的な時間単位として用いられる。
【００６３】
本願において、ＰＤＣＣＨは、ダウンリンクスケジューリングを実行するために用いられ、ＰＤＳＣＨは、対応するダウンリンクデータ送信を実行するために用いられ、ＰＤＣＣＨを送信するために用いられる時間単位とＰＤＳＣＨを送信するために用いられる時間単位との間の時間関係はＫ０である。より短い時間単位が基本的な時間単位として用いられる場合、より短い時間単位とダウンリンクスケジューリングのための時間単位との間の時間間隔に基づいて、ＰＤＳＣＨをスケジューリングするために用いられる、ＰＤＣＣＨにより用いられる時間単位から１以下の距離にある時間単位である時間単位が、０番目の時間単位として用いられ、対応するＫ０は、０、２または４であり得る。図６は、本願による実施形態の例示的な図を示す。
【００６４】
図６と図５との間の違いは、ＰＤＣＣＨを送信するために用いられる時間単位の位置が既に、キャリア２により用いられる対応する時間単位Ａの後半にあることである（Ｍ個のより短い時間単位が１個のより長い時間単位（時間単位Ａ）と揃えられ、ＰＤＣＣＨを送信するために用いられる時間単位がＭ個のより短い時間単位のｉ番目の時間単位であると仮定する。ｉ＞１であり、後続の実施形態における対応する部分については、ここでの説明が参照され得る）。この場合、対応するＰＤＳＣＨにより用いられる時間単位は、Ａ時間単位の次の時間単位であり得る。任意選択的に、より短い時間単位が基本的な時間単位として用いられる場合、Ａ時間単位の次の時間単位とＰＤＣＣＨを送信するために用いられる時間単位との間の距離が、１個のより短い時間単位である。この場合、Ａ時間単位の次の時間単位のＫ０が１として示され、次のであるが１個の時間単位のＫ０が３として示され得て、以下の時間単位のＫ０が２だけ連続的に増やされ、残りは、類推により推定され得る。本実施形態において、ＰＤＳＣＨをスケジューリングするために用いられ得る時間単位のＫ０は、１または３である。このことは、本願において限定されない。
【００６５】
代替的に、ＰＤＣＣＨを送信するために用いられる時間単位が既に時間単位Ａの後半にあるので、ここで時間単位Ａをスケジューリングすることは、既に比較的困難である。Ａ時間単位の次の時間単位のＫ０が０として示され、次のであるが１個の時間単位のＫ０が２として示され得て、以下の時間単位のＫ０が２だけ連続的に増やされ、残りは、類推により推定され得る。本実施形態において、ＰＤＳＣＨをスケジューリングするために用いられ得る時間単位のＫ０は、０または２である。このことは、本願において限定されない。図７は、本願による実施形態の例示的な図を示す。
【００６６】
図７に示されるように、制御情報を送信するために用いられる時間単位は、データを送信するために用いられる時間単位よりも大きい。図７に示されるように、キャリア１の第１の時間単位が、ＰＤＣＣＨを送信するために用いられ、キャリア２の時間単位が、対応するＰＤＳＣＨを送信するために用いられ得る。ここで、キャリア１により用いられる時間単位は、キャリア２により用いられる時間単位よりも大きい。ＰＤＣＣＨをスケジューリングするために用いられる２つの時間単位は、ＰＤＳＣＨをスケジューリングするために用いられ得る時間単位と揃えられる。
【００６７】
本願において提供される実施形態において、より長い時間単位が、時系列を決定するための基本的な時間単位として用いられる。
【００６８】
本願において、ＰＤＣＣＨは、ダウンリンクスケジューリングを実行するために用いられ、ＰＤＳＣＨは、対応するダウンリンクデータ送信を実行するために用いられ、ＰＤＣＣＨを送信するために用いられる時間単位とＰＤＳＣＨを送信するために用いられる時間単位との間の時間関係はＫ０として示される。より長い時間単位が基本的な時間単位として用いられる場合、より長い時間単位とダウンリンクスケジューリングのための時間単位との間の時間間隔に基づいて、ＰＤＳＣＨをスケジューリングするために用いられる、ＰＤＣＣＨにより用いられる時間単位と共に１個の時間範囲内にある時間単位が、０番目の時間単位として用いられ、対応するＫ０は、０、０、１、１、２または２であり得て、残りは、類推により推定され得る。このことは、本願において限定されない。図８は、本願による実施形態の例示的な図を示す。
【００６９】
本実施形態において、制御情報を送信するために用いられる時間単位は、データを送信するために用いられる時間単位よりも小さい。図８に示されるように、キャリア１の第１の時間単位が、ＰＤＣＣＨをスケジューリングするために用いられ、キャリア２の時間単位が、対応するＰＤＳＣＨをスケジューリングするために用いられ得る。図５に示されるように、ＰＤＣＣＨをスケジューリングするために用いられる２つの時間単位は、ＰＤＳＣＨをスケジューリングするために用いられ得る時間単位と揃えられる。
【００７０】
本願の実施形態において、より長い時間単位が、時系列を決定するための基本的な時間単位として用いられる。
【００７１】
本願において、ＰＤＣＣＨは、ダウンリンクスケジューリングを実行するために用いられ、ＰＤＳＣＨは、対応するダウンリンクデータ送信を実行するために用いられ、ＰＤＣＣＨを送信するために用いられる時間単位とＰＤＳＣＨを送信するために用いられる時間単位との間の時間関係はＫ０である。より長い時間単位が基本的な時間単位として用いられる場合、より長い時間単位とＰＤＣＣＨを送信するために用いられる時間単位との間の時間間隔に基づいて、ＰＤＳＣＨを送信するために用いられ得る、ＰＤＣＣＨにより用いられる時間単位から１以下のより長い時間単位の距離にある時間単位（図における時間単位Ａ）のＫ０は０であり、次の時間単位のＫ０は１であり、類推により、Ｋ０の値が１だけ連続的に増やされ、または、ＰＤＳＣＨを送信するために用いられ得る、ＰＤＣＣＨを送信するために用いられる時間単位から１以下のより長い時間単位の距離にある時間単位のＫ０は０である。すなわち、時間単位Ａの後の第１の時間単位のＫ０は０であり、後続の時間単位のＫ０は１であり、類推により、Ｋ０の値が１だけ連続的に増やされる。
【００７２】
図９は、本願による実施形態の例示的な図を示す。
【００７３】
図９と図８との間の違いは、ＰＤＣＣＨを送信するために用いられる時間単位の位置が既に、キャリア２により用いられる時間単位Ａの後半にあることである（Ｍ個のより短い時間単位が１個のより長い時間単位（時間単位Ａ）と揃えられ、ＰＤＣＣＨを送信するために用いられる時間単位がＭ個のより短い時間単位のｉ番目の時間単位であると仮定する。ｉ＞１である）。この場合において、より長い時間単位が、時系列を決定するための基本的な時間単位として用いられるときは、ＰＤＳＣＨを送信するために用いられる対応する時間単位とＰＤＣＣＨを送信するために用いられる時間単位との間の距離が１以下のより長い時間単位である場合の時間単位である時間単位のＫ０が、０として示される。すなわち、図９において、時間単位Ａの後の第１の時間単位のＫ０が、０として示され、後続の時間単位のＫ０が１であり、後続の時間単位のＫ０が、１だけ連続的に増やされ、残りは、類推により推定され得る。本実施形態において、ＰＤＳＣＨを送信するために用いられ得る時間単位のＫ０は、０または１であり得る。
【００７４】
代替的に、より長い時間単位が基本的な時間単位として用いられ、図９において、時間単位ＡとＰＤＣＣＨを送信するために用いられる時間単位との間の時間間隔は、１以下のより長い時間単位である。この場合、ＡのＫ０が１として示され、後続の時間単位のＫ０が１だけ連続的に増やされ、残りは、類推により推定され得る。本実施形態において、ＰＤＳＣＨを送信するために用いられ得る時間単位のＫ０は、０、１または２であり得る。
【００７５】
本願はさらに、実施形態を提供する。本実施形態において、制御情報を送信するために用いられる時間単位の長さは、データを送信するために用いられる時間単位のものとは異なる。本実施形態において、制御情報は、ダウンリンクスケジューリング情報を送信するために用いられ得るＰＤＣＣＨを用いて送信される。ダウンリンクスケジューリング情報は、アップリンクスケジューリングを実行するために用いられ、例えば、ＤＣＩ情報である。データは、対応するアップリンクデータ送信を実行するために用いられるＰＵＳＣＨを用いて送信される。この場合、アップリンクスケジューリングのために用いられる時間単位とアップリンクデータ送信およびダウンリンクデータ送信のために用いられる時間単位との間の間隔が依然として、時系列Ｋ２として示され得る。より短い時間単位またはより長い時間単位を、前述の実施形態における時系列を決定するための基本的な時間単位として用いることについての説明が参照され得る。
【００７６】
本願はさらに、実施形態を提供する。本実施形態において、制御情報を送信するために用いられる時間単位の長さは、データを送信するために用いられる時間単位のものとは異なる。本実施形態において、データチャネルが、ダウンリンクデータを送信するために用いられるＰＤＳＣＨである。制御情報は、ダウンリンクデータのためにフィードバックされ得る確認情報、例えば、ダウンリンクデータに対応する肯定応答（Ａｃｋｎｏｗｌｅｄｇｍｅｎｔ、ＡＣＫ）情報または否定応答（Ｎｅｇａｔｉｖｅ−Ａｃｋｎｏｗｌｅｄｇｍｅｎｔ、ＮＡＣＫ）情報である。制御情報は、ＰＵＳＣＨまたはＰＵＣＣＨを用いて送信される。この場合、制御情報を送信するために用いられる時間単位とデータを送信するために用いられる時間単位との間の時間関係が、Ｋ１として示され得る。より短い時間単位またはより長い時間単位を、前述の実施形態における時系列を決定するための基本的な時間単位として用いることについての説明が参照され得る。以下では、ダイアグラムを参照して説明を提供する。図１０は、本願の実施形態による例示的な図を示す。
【００７７】
本実施形態において、ＰＤＳＣＨは、ダウンリンクデータを送信するために用いられ、ＰＵＳＣＨまたはＰＵＣＣＨは、制御情報を送信するために用いられ、データを送信するために用いられる時間単位は、制御情報を送信するために用いられる時間単位よりも大きい。図１０に示されるように、データを送信するために用いられる時間単位は、制御情報を送信するために用いられる２つの時間単位と揃えられる。本実施形態において、より短い時間単位が、時系列Ｋ１を決定するための基本的な時間単位として用いられる。本実施形態におけるより短い時間単位は、制御情報を送信するために用いられる時間単位である。
【００７８】
任意選択的に、スケジューリングされる可能性があるＰＵＳＣＨまたはＰＵＣＣＨにより用いられる第１の時間単位と、データを送信するために用いられる時間単位との間の距離が１よりも小さい場合、第１の時間単位のＫ１は１であり、後続の時間単位のＫ１が１だけ連続的に増やされる。
【００７９】
任意選択的に、スケジューリングされる可能性があるＰＵＳＣＨまたはＰＵＣＣＨにより用いられる第２の第１の時間単位と、データを送信するために用いられる時間単位との間の距離が１よりも小さい場合、第１の時間単位のＫ１は１であり、後続の時間単位のＫ１が１だけ連続的に増やされる。図１１は、本願の実施形態による例示的な図を示す。
【００８０】
本実施形態において、ＰＤＳＣＨは、ダウンリンクデータを送信するために用いられ、ＰＵＳＣＨまたはＰＵＣＣＨは、制御情報を送信するために用いられ、データを送信するために用いられる時間単位は、制御情報を送信するために用いられる時間単位よりも小さい。具体的には、図１１に示されるように、データを送信するために用いられる２つの時間単位は、制御情報を送信するために用いられる時間単位と揃えられる。本願の本実施形態において、より短い時間単位が、時系列Ｋ１を決定するための基本的な時間単位として用いられる。本実施形態において、より短い時間単位は、データを送信するために用いられる時間単位である。
【００８１】
図１１に示されるように、スケジューリングされる可能性があるＰＵＳＣＨまたはＰＵＣＣＨにより用いられる第１の時間単位のＫ１は０であり、後続の時間単位のＫ１が２だけ連続的に増やされる。図１２は、本願の実施形態による例示的な図を示す。
【００８２】
図１２と図１１との間の違いは、ダウンリンクデータを送信するために用いられる時間単位が既に、キャリア２により用いられる時間単位Ａの後半にあることである。この場合において、より短い時間単位が、時系列を決定するための時間単位として用いられるときは、Ａ時間単位の時系列Ｋ１は０であり得て、Ａ単位の後の第１の時間単位の時系列Ｋ１は１であり、後続の時間単位のＫ１が２だけ連続的に増やされ、残りは、類推により推定され得る、または、Ａ時間単位の後の第１の時間単位の時系列Ｋ１は０であり、後続の時間単位のＫ１が２だげ連続的に増やされ、残りは、類推により推定され得る。図１３は、本願の実施形態による例示的な図を示す。
【００８３】
本実施形態において、ＰＤＳＣＨは、ダウンリンクデータを送信するために用いられ、ＰＵＳＣＨまたはＰＵＣＣＨは、制御情報を送信するために用いられ、データを送信するために用いられる時間単位は、制御情報を送信するために用いられる時間単位よりも小さい。データを送信するために用いられる時間単位は、制御情報を送信するために用いられる時間単位よりも大きい。図１３に示されるように、データを送信するために用いられる時間単位は、制御情報を送信するために用いられる２つの時間単位と揃えられる。
【００８４】
本実施形態において、より長い時間単位が、時系列Ｋ１を決定するための基本的な時間単位として用いられる。本実施形態において、より長い時間単位は、データを送信するために用いられる時間単位である。ＰＵＳＣＨまたはＰＵＣＣＨを送信し得る第１の時間単位および第２の時間単位と、ダウンリンクデータを送信するために用いられる時間単位との間の間隔は、１よりも小さいより長い時間単位である。この場合、第１の時間単位および第２の時間単位のＫ１は１である。第３の時間単位とダウンリンクデータを送信するために用いられる時間単位との間の間隔は、１つのより長い時間単位であり、第４の時間単位とダウンリンクデータを送信するために用いられる時間単位との間の間隔は、２つのより長い時間単位よりも小さい。この場合、第３の時間単位および第４の時間単位のＫ１は２であり、残りは類推により推定され得る。図１４は、本願による実施形態の例示的な図を示す。
【００８５】
本実施形態において、ＰＤＳＣＨは、ダウンリンクデータを送信するために用いられ、ＰＵＳＣＨまたはＰＵＣＣＨは、制御情報を送信するために用いられ、データを送信するために用いられる時間単位は、制御情報を送信するために用いられる時間単位よりも小さい。具体的には、図１１に示されるように、データを送信するために用いられる２つの時間単位は、制御情報を送信するために用いられる時間単位と揃えられる。本願の本実施形態において、より長い時間単位が、基本的な時間単位として用いられる。すなわち、制御情報を送信するために用いられる時間単位は、基本的な時間単位として用いられる。
【００８６】
任意選択的に、時間単位ＡとＰＤＳＣＨを送信するために用いられる時間単位との間の間隔は、より長い時間間隔よりも小さく、ＡのＫ１は０であり得て、後続の時間単位のＫ１が１だけ連続的に増やされ、残りは、類推により推定され得る。
【００８７】
代替的に、時間単位Ａの後の第１の時間単位のＫ１は０であり、後続の時間単位のＫ１が１だげ連続的に増やされ、残りは、類推により推定され得る。図１５は、本願による実施形態の例示的な図を示す。
【００８８】
図１５と図１４との間の違いは、ダウンリンクデータを送信するために用いられる時間単位が既に、キャリア２により用いられる時間単位Ａの後半にあることである。この場合、より長い時間単位が、時系列を決定するための時間単位として用いられる。
【００８９】
時間単位Ａの後の第１の時間単位とＰＤＳＣＨを送信するために用いられる時間単位との間の距離が１つのより長い時間単位よりも小さいので、Ｋ１は、Ａが０である後の第１の時間単位であり、次に、１だけ連続的に増やされる。代替的に、時間単位ＡのＫ１は０であり、次に、Ｋ１は１だげ連続的に増やされる。
【００９０】
本願はさらに、実施形態を提供し、ターゲット時間単位が、時系列を決定するための基本的な時間単位として用いられる。例えば、Ｋ０（ＰＤＣＣＨとＰＤＳＣＨとの間の時間関係）には、ＰＤＳＣＨを送信するために用いられる時間単位が、タイミング基準またはタイミング単位として用いられ、Ｋ２（ＰＤＣＣＨとＰＵＳＣＨとの間の時間関係）には、ＰＵＳＣＨを送信するために用いられる時間単位が、タイミング基準またはタイミング単位として用いられ、Ｋ１（ＰＤＳＣＨとＰＵＳＣＨ／ＰＵＣＣＨとの間の時間関係）には、ＰＵＳＣＨ／ＰＵＣＣＨを送信するために用いられる時間単位が、タイミング基準またはタイミング単位として用いられる。すなわち、図４から図９における実施形態において、ＰＤＳＣＨを送信するために用いられる時間単位は、基本的な時間単位として用いられ、図１０から図１５における実施形態において、ＰＵＳＣＨまたはＰＵＣＣＨを送信するために用いられる時間単位は、基本的な時間単位として用いられる。
【００９１】
本願はさらに、実施形態を提供し、ソース時間単位が、時系列を決定するための基本的な時間単位として用いられる。例えば、Ｋ０（ＰＤＣＣＨとＰＤＳＣＨとの間の時間関係）には、ＰＤＣＣＨを送信するために用いられる時間単位が、タイミング基準またはタイミング単位として用いられ、Ｋ２（ＰＤＣＣＨとＰＵＳＣＨとの間の時間関係）には、ＰＤＣＣＨを送信するために用いられる時間単位が、タイミング基準またはタイミング単位として用いられ、Ｋ１（ＰＤＳＣＨとＰＵＳＣＨ／ＰＵＣＣＨとの間の時間関係）には、ＰＤＳＣＨを送信するために用いられる時間単位が、タイミング基準またはタイミング単位として用いられる。すなわち、図４から図９における実施形態において、ＰＤＣＣＨを送信するために用いられる時間単位は、基本的な時間単位として用いられ、図１０から図１５における実施形態において、ＰＤＳＣＨを送信するために用いられる時間単位は、基本的な時間単位として用いられる。
【００９２】
本願はさらに、実施形態を提供し、データを送信するために用いられる時間単位が、時系列を決定するための基本的な時間単位として用いられる。例えば、Ｋ０（ＰＤＣＣＨとＰＤＳＣＨとの間の時間関係）には、ＰＤＣＣＨを送信するために用いられる時間単位が、タイミング基準またはタイミング単位として用いられ、Ｋ１（ＰＤＳＣＨと対応するＰＵＳＣＨまたはＰＵＣＣＨとの間の時間関係）には、ＰＤＳＣＨを送信するために用いられる時間単位が、タイミング基準またはタイミング単位として用いられる。すなわち、図４から図９における実施形態において、ＰＤＣＣＨを送信するために用いられる時間単位は、基本的な時間単位として用いられる。制御チャネルＰＤＣＣＨを送信するために用いられる時間単位＜データチャネルＰＤＳＣＨを送信するために用いられる時間単位である場合、データチャネルの時間単位（より長い時間単位）をタイミング基準またはタイミング単位として用いることには、制御チャネルの時間単位（より短い時間単位）をタイミング基準またはタイミング単位として用いることよりも低いインジケーションオーバヘッドがある。Ｍ個のより短い時間単位が１つのより長い時間単位と揃えられると仮定するので、Ｍ個のより短い時間単位と、同じより長い時間単位との間の間隔Ｋ０は、等しい（注：より短い時間単位がタイミング用に用いられる場合、Ｋ０の値は、等しくない。第１のより短い時間単位とより長い時間単位との間の間隔は、Ｋ０＝Ｘ個のより短い時間単位と仮定する。この場合、第２のより短い時間単位とより長い時間単位との間の間隔は、Ｋ０＝Ｘ＋１個のより短い時間単位であり、Ｍ番目のより短い時間単位とより長い時間単位との間の間隔は、Ｋ０＝Ｘ＋Ｍ個のより短い時間単位である。以下の説明では、必要とされるＫ０セットのサイズは大きく、ＤＣＩインジケーションフィールドの必要とされるビット数は大きい）。加えて、制御チャネルの時間単位（より短い時間単位）をタイミング基準またはタイミング単位として用いるときの値と比較して、Ｋ０の値は、より小さく、Ｋ０の値は、比較的小さく、インジケーション絶対時間範囲が与えられる場合、Ｋ０の値の変動は、比較的小さい（このように、以下の説明では、Ｋ０セットのサイズが小さく、ＤＣＩインジケーションフィールドのビットの数も小さい）。制御チャネルＰＤＣＣＨを送信するために用いられる時間単位＞データチャネルＰＤＳＣＨを送信するために用いられる時間単位である場合、データチャネルの時間単位（より短い時間単位）をタイミング基準またはタイミング単位として用いると、制御チャネルの時間単位（より長い時間単位）をタイミング基準またはタイミング単位として用いるよりも小さいスケジューリングレイテンシ、例えば、Ｋ０＝２になる。データチャネルの時間単位が用いられる場合、スケジューリングレイテンシは、２つのより短い時間単位であり、または、制御チャネルの時間単位が用いられる場合、スケジューリングレイテンシは、２つのより長い時間単位である。さらに、システム設計を簡略化するために、Ｋ１には、Ｋ０と同じタイミング基準を用い得る。データ送信の時間単位は、基本的な時間単位として用いられる。これは、ＰＤＣＣＨを送信するために用いられる時間単位がＰＤＳＣＨを送信するために用いられる時間単位と置き換えられた後に決定される時間関係として理解され得る。さらに、Ｋ２（ＰＤＣＣＨとＰＵＳＣＨとの間の時間関係）には、ＰＵＳＣＨを送信するための時間単位が、タイミング基準またはタイミング単位として用いられる。図１０から図１５における実施形態において、ＰＵＳＣＨを送信するために用いられる時間単位は、基本的な時間単位として用いられる。
【００９３】
前述の本願の実施形態は、時系列決定方法を提供する。本願はその後、基地局と端末との間の時系列通信プロシージャを説明する。時系列の決定および他の関連する内容については、前述の実施形態における説明が参照され得る。図１６に示されるように、本願は、実施形態の概略フローチャートを提供する。
【００９４】
Ｓ１６０１．基地局が複数のセットをＵＥへ送信する。当該セットは、時系列の異なる値を含むセットである。
【００９５】
任意選択的に、複数のセットは、１つのＫ０セット、１つのＫ１セット、１つのＫ２セットを含み、または、複数のセットは、少なくとも２つのＫ０セット、および／または少なくとも２つのＫ１セット、および／または少なくとも２つのＫ２セットを含む。
【００９６】
ある例において、複数のセットは、Ｋ０のセット（略して、Ｋ０セット）を含み得て、Ｋ０セットは｛１，２｝であってよく、複数のセットは、Ｋ１のセット（略して、Ｋ１セット）をさらに含み得て、Ｋ１セットは｛３，４｝であってよく、複数のセットは、Ｋ２のセット（略して、Ｋ２セット）をさらに含み得て、Ｋ２セットは｛５，６｝であってよい。
【００９７】
基地局は、上位層シグナリングを用いて、前述の複数のセットをＵＥへ送信し得る。例えば、複数のセットは、ＲＲＣシグナリングを用いて送信される。複数のセットは、無線リソース制御（ｒａｄｉｏ  ｒｅｓｏｕｒｃｅ  ｃｏｎｔｒｏｌ、ＲＲＣ）構成、または、マスター情報ブロック（ｍａｓｔｅｒ  ｉｎｆｏｒｍａｔｉｏｎ  ｂｌｏｃｋ、ＭＩＢ）メッセージ、システム情報ブロック（ｓｙｓｔｅｍ  ｉｎｆｏｒｍａｔｉｏｎ  ｂｌｏｃｋ、ＳＩＢ）メッセージ、または無線リソース制御（ｒａｄｉｏ  ｒｅｓｏｕｒｃｅ  ｃｏｎｔｒｏｌ、ＲＲＣ）シグナリング、または媒体アクセス制御制御要素（ｍｅｄｉａ  ａｃｃｅｓｓ  ｃｏｎｔｒｏｌ  ｃｏｎｔｒｏｌ  ｅｌｅｍｅｎｔ、ＭＡＣ  ＣＥ）シグナリングを用いて送信される。異なるセットが、異なる時間単位または異なるサブキャリア間隔を含む対応関係を有し得るか、または、異なる時間単位および異なるサブキャリア間隔を含む対応関係を有し得る。
【００９８】
代替的に、異なるセットが、異なる時間単位間隔または異なるサブキャリア間隔を含む対応関係を有し得る。
【００９９】
代替的に、異なるセットが、異なるサブキャリア間隔ペアを含む対応関係を有し得るか、または、異なるセットが、異なる時間単位ペアを含む対応関係を有し得る。例えば、（１５ｋＨｚ、６０ｋＨｚ）のペアがＫ１のセット１に対応し、（１５ｋＨｚ、１２０ｋＨｚ）のペアがＫ１のセット２に対応する。
【０１００】
Ｓ１６０２．基地局が、時間単位およびサブキャリア間隔のうちの少なくとも１つとセットとの間の対応関係をＵＥへ送信する。
【０１０１】
任意選択的に、当該関係は、サブキャリア間隔１５ｋＨｚとセット１との間の対応関係、または、７個のシンボルを有する時間単位とセット１との間の対応関係、または、サブキャリア間隔１５ｋＨｚと、７個のシンボルを有する時間単位と、セット１との間の対応関係であり得る。
【０１０２】
当該対応関係は、異なるセットと異なる時間単位との間の対応関係、異なるセットと異なるサブキャリア間隔との間の対応関係、もしくは両方、または、異なるセットと異なる時間単位間隔との間の対応関係、または、異なるセットと異なるサブキャリア間隔との間の対応関係、または、異なるサブキャリア間隔／時間単位長ペア（ｐａｉｒ）と異なる時系列セットとの間の対応関係として理解され得る。例えば、Ｋ１セット１は、１５ｋ＿ｔｏ＿３０ｋ用に構成され、Ｋ１セット１は、３０ｋ＿ｔｏ＿１５ｋ用に構成される。ＰＤＳＣＨが１５ｋであり、かつ、３０ｋであるＰＵＳＣＨ／ＰＵＣＣＨに対して復号結果がフィードバックされる場合、ＤＣＩに示されるＫ１の値は、セット１からのものである。同様に、ＰＤＳＣＨが３０ｋであり、かつ、１５ｋであるＰＵＳＣＨ／ＰＵＣＣＨに対して復号結果がフィードバックされる場合、ＤＣＩに示されるＫ１の値は、セット２からのものである。
【０１０３】
基地局は、前述の複数の対応関係をＵＥへ送信し得る。基地局は、上位層シグナリングを用いて、前述の対応関係をＵＥへ送信し得る。
【０１０４】
従って、異なるサブキャリア間隔または時間単位が、異なる処理レイテンシに対応している。これにより、ＤＣＩシグナリングオーバヘッドが節約され得る。
【０１０５】
Ｓ１６０３．基地局が、ＤＣＩ情報をＵＥへ送信する。ＤＣＩは、時系列の値を示すために用いられる情報を含む。
【０１０６】
任意選択的に、ダウンリンクデータスケジューリングＤＣＩは、Ｋ０の値情報を示すために用いられる第１のインジケーションフィールドと、Ｋ１の値情報を示すために用いられる第２のインジケーションフィールドとを含む。
【０１０７】
アップリンクデータスケジューリングＤＣＩは、Ｋ２の値情報を示すために用いられる第３のインジケーションフィールドを含む。
【０１０８】
ある例において、前述の値情報は、前述のセットにおける特定の値を示す。例えば、Ｋ０セットは｛２，４，５，６｝であり、第１のインジケーションフィールドにより示される値情報は２である。これは、Ｋ０の値が当該セットにおける第２の値であること、すなわち、Ｋ０＝４であることを示す。
【０１０９】
ある実装において、第１のインジケーションフィールドのビットの数、第２のインジケーションフィールドのビットの数、および第３のインジケーションフィールドのビットの数は等しく、例えば、２ビットである。この場合、第１のインジケーションフィールド、第２のインジケーションフィールドおよび第３のインジケーションフィールドの柔軟性は同じである。すなわち、セットは同じサイズのものである。
【０１１０】
別の実装において、第１のインジケーションフィールドのビットの数と第２のインジケーションフィールドのビットの数との和は、第３のインジケーションフィールドのビットの数と等しく、例えば、第１のインジケーションフィールドのビットの数は１であり、第２のインジケーションフィールドのビットの数は１であり、第３のインジケーションフィールドのビットの数は２である。これにより、アップリンクＤＣＩおよびダウンリンクＤＣＩのオーバヘッドまたはサイズが同様または同じであることが保証され得る。
【０１１１】
任意選択的に、Ｓ１６０３の解決手段は、Ｓ１６０１およびＳ１６０２と組み合わされ得ない。このことは、本願において限定されない。
【０１１２】
異なるＵＥおよび異なるサブキャリア間隔について、ＵＥにより必要とされるシンボルおよび時間単位の数、最小のＫ１およびＫ２は異なる。例えば、ＵＥについては、１５ｋのスロットが時間単位として用いられる場合、ＵＥのＫ１は１であり得る。しかしながら、６０ｋのスロットが時間単位として用いられる場合、ＵＥのＫ１は、少なくとも４である必要がある。例えば、１５ｋにより必要とされるセットは｛１，２｝であり、６０ｋにより必要とされるセットは｛４，５｝である。
【０１１３】
１つのセットのみが構成される場合、｛１，２，４，５｝が構成される必要がある。ＤＣＩにおける時系列フィールドは、２ビットを含む必要がある。この解決手段では、２つのセットが用いられる。この場合、ＤＣＩにおける時系列フィールドは、１ビットのみを含む必要がある。従って、ＤＣＩオーバヘッドが、本願の解決手段に基づいて低減され得る。
【０１１４】
Ｓ１６０４．ＵＥが、時間単位、サブキャリア間隔およびセットのうちの少なくとも１つと、ＤＣＩ情報における時系列の値を示すために用いられる情報との間の対応関係に基づいて時系列を決定する。
【０１１５】
複数のＫ１セットが構成され得るので、ＵＥは、セットを決定する必要があり、次に、ＤＣＩにおける第２のインジケーションフィールドのインジケーション情報に基づいて、Ｋ１の特定の値を決定する。具体的には、ＵＥは、現在構成されているサブキャリア間隔（または時間単位）、およびサブキャリア間隔（または時間単位）とＳ１６０１における複数のセットとの間の対応関係とに基づいて、セットを決定する。
【０１１６】
以下の例では、Ｋ１の特定の値をどのように決定するかを説明する。Ｋ０およびＫ２の特定の値を説明するための方式は、Ｋ１の特定の値を説明するための方式と同様であり、詳細は改めて説明しない。
【０１１７】
１つのサブキャリア間隔（または時間単位長）の値が１つのＫ１セットに対応している場合、例えば、１５ｋＨｚ（または１ｍｓ）がＫ１セット１に対応しており、６０ｋＨｚ（または０．２５ｍｓ）がＫ１セット２に対応している場合、ある実装において、ＵＥは、ＰＤＳＣＨのサブキャリア間隔（または時間単位長）の値に基づいて、Ｋ１セットを決定し（例えば、ＰＤＳＣＨのサブキャリア間隔が１５ｋＨｚである場合、Ｋ１セット１が決定される）、次に、ＤＣＩにおける第２のインジケーションフィールドのインジケーション情報とＫ１セット１とに基づいて、Ｋ１の最終値を決定する。
【０１１８】
別の実装において、ＵＥは、ＰＵＳＣＨ／ＰＵＣＣＨのサブキャリア間隔（または時間単位長）の値に基づいてＫ１セットを決定し（例えば、ＰＵＳＣＨ／ＰＵＣＣＨのサブキャリア間隔が６０ｋＨｚである場合、Ｋ１セット２が決定される）、次に、ＤＣＩにおける第２のインジケーションフィールドのインジケーション情報とＫ１セット２とに基づいて、Ｋ１の最終値を決定する。
【０１１９】
１つのサブキャリア間隔（または時間単位長）の値が１つのＫ１セットに対応している場合、例えば、１５ｋＨｚから６０ｋＨｚ（または０．２５ｍｓから１ｍｓ）がＫ１セット１に対応しており、１２０ｋＨｚから２４０ｋＨｚがＫ１セット２に対応している場合、ある実装において、ＵＥは、ＰＤＳＣＨのサブキャリア間隔（または時間単位長）の値に基づいて、Ｋ１セットを決定し（例えば、ＰＤＳＣＨのサブキャリア間隔が１５ｋＨｚである場合、Ｋ１セット１が決定される）、次に、ＤＣＩにおける第２のインジケーションフィールドのインジケーション情報とＫ１セット１とに基づいて、Ｋ１の最終値を決定する。
【０１２０】
別の実装において、ＵＥは、ＰＵＳＣＨ／ＰＵＣＣＨのサブキャリア間隔（または時間単位長）の値に基づいてＫ１セットを決定し（例えば、ＰＵＳＣＨ／ＰＵＣＣＨのサブキャリア間隔が６０ｋＨｚである場合、Ｋ１セット１が決定される）、次に、ＤＣＩにおける第２のインジケーションフィールドのインジケーション情報とＫ１セット１とに基づいて、Ｋ１の最終値を決定する。
【０１２１】
１つのサブキャリア間隔ペアまたはサブキャリア間隔インターバルペア（または１つの時間単位長ペアもしくは時間単位長インターバルペア）の値が１つのＫ１セットに対応している場合、例えば、１つの（１５ｋＨｚ、６０ｋＨｚ）のペアが１つのＫ１セット１に対応している場合、１つの（１５ｋＨｚ、１２０ｋＨｚ）のペアが１つのＫ１セット２に対応しており、ある実装において、ＵＥは、ＰＤＳＣＨのサブキャリア間隔（または時間単位長）の値とＰＵＳＣＨ／ＰＵＣＣＨのサブキャリア間隔（または時間単位長）の値とに基づいて、Ｋ１セットを決定し（例えば、ＰＤＳＣＨのサブキャリア間隔が１５ｋＨｚであり、ＰＵＳＣＨ／ＰＵＣＣＨのサブキャリア間隔が６０ｋＨｚである場合、Ｋ１セット１が決定される）、次に、ＤＣＩにおける第２のインジケーションフィールドのインジケーション情報とＫ１セット１とに基づいて、Ｋ１の最終値を決定し（または、ＰＤＳＣＨのサブキャリア間隔が１５ｋＨｚであり、ＰＵＳＣＨ／ＰＵＣＣＨのサブキャリア間隔が１２０ｋＨｚである場合、Ｋ１セット１が決定される）、次に、ＤＣＩにおける第２のインジケーションフィールドのインジケーション情報とＫ１セット２とに基づいて、Ｋ１の最終値を決定する。
【０１２２】
例えば、基地局は、キャリア１を用いてスケジューリング情報を保持し、キャリア２を用いて対応するデータ送信を実行する。キャリア２のキャリア間隔が１５ｋＨｚである場合、情報スケジューリングのために用いられる時間単位とデータ送信のために用いられる時間単位との間の時間単位の数はセット１である。セット１は、複数の異なる値を含み得て、例えば｛１，２｝であり得る。キャリア２のキャリア間隔が３０ｋＨｚである場合、情報スケジューリングのために用いられる時間単位とデータ送信のために用いられる時間単位との間の時間単位の数はセット２である。セット２は、複数の異なる値を含み得て、例えば｛３，４｝であり得る。基地局は、セット１と１５ｋＨｚとの間の対応関係、およびセット２と３０ｋＨｚとの間の対応関係をＵＥへ送信し得る。さらに、基地局は、インジケーション情報をＵＥへ送信する。インジケーション情報は、情報スケジューリングのための用いられる時間単位とデータ送信のための用いられる時間単位との間の時間単位の数を示すために用いられる。インジケーション情報は、ＤＣＩなどのダウンリンクスケジューリング情報に含まれ得る。インジケーション情報が第２の値を示す場合、ＵＥは、キャリア２の、１５ｋＨｚであるキャリア間隔に基づいてセット１を決定する。この場合、第２の値は、セット１における２である。すなわち、情報スケジューリングのために用いられる時間単位とデータ送信のために用いられる時間単位との間の時間単位の数は、２である。
【０１２３】
例えば、基地局は、キャリア１を用いてスケジューリング情報を保持し、キャリア２を用いて対応するデータ送信を実行する。ＵＥの能力が考慮される場合において、ＵＥについては、キャリア２のキャリア間隔が１５ｋＨｚであり、時間単位長が１４個のシンボルであるときは、情報をスケジューリングするために用いられる時間単位とデータ情報のために用いられる時間単位との間の時間単位の数は、１であり得る。キャリア２のキャリア間隔が６０ｋＨｚであり、時間単位長が７個のシンボルである場合、情報をスケジューリングするために用いられる時間単位とデータ情報のために用いられる時間単位との間の時間単位の数は、少なくとも４である。この場合、基地局は、セット１およびセット２、セット１とキャリア間隔との間の対応関係、セット１と時間単位長との間の対応関係または両方、ならびに、セット２とキャリア間隔との間の対応関係、セット２と時間単位長との間の対応関係または両方をＵＥへ送信し得る。例えば、セット１は、｛１，２｝であり、１５ｋＨｚであるキャリア間隔と、１４個のシンボルである時間単位長とに対応しており、セット２は、｛４，５｝であり、６０ｋＨｚであるキャリア間隔と、７個のシンボルである時間単位長とに対応している。さらに、基地局は、インジケーション情報をＵＥへ送信する。インジケーション情報は、情報スケジューリングのための用いられる時間単位とデータ送信のための用いられる時間単位との間の時間単位の数を示すために用いられる。対応するデータ送信を実行するために用いられるキャリア２のキャリア間隔が１５ｋＨｚであり、時間単位長が１４個のシンボルである場合、ＵＥは、データ送信において用いられる、１５ｋＨｚであるキャリア間隔と、１４個のシンボルである時間単位長とに基づいて、セット１を決定し、インジケーション情報において示される第２の値に基づいて、情報スケジューリングのために用いられる時間単位とデータ送信のために用いられる時間単位との間の時間単位の数は２であることを決定する。
【０１２４】
例えば、基地局は、キャリア１を用いてデータ送信を実行する。ＵＥは、キャリア２、すなわち、復号結果を用いて、確認情報をフィードバックする。キャリア１のキャリア間隔が１５ｋＨｚであり、キャリア２のキャリア間隔が３０ｋＨｚである場合において、１５ｋＨｚのキャリアが３０ｋＨｚのキャリアをスケジューリングするときは、基地局は、｛１，２｝であるセット１を構成する。キャリア１のキャリア間隔が３０ｋＨｚであり、キャリア２のキャリア間隔が１５ｋＨｚである場合、基地局は、｛３，４｝であるセット２を構成する。基地局は、セット１およびセット２をユーザ機器へ送信する。さらに、基地局は、インジケーション情報をＵＥへ送信する。ＵＥは、データ送信を実行するために用いられる、キャリアの、１５ｋＨｚであるキャリア間隔と、確認情報をフィードバックするために用いられる、キャリアの、３０ｋＨｚであるキャリア間隔とに基づいて、セット１を決定し、インジケーション情報において示される第２の値に基づいて、セット１における２を決定する、すなわち、確認情報をフィードバックする時間単位とデータ送信のために用いられる時間単位との間の時間単位の数が２であると決定する。
【０１２５】
従って、異なるサブキャリア間隔または時間単位に対応する複数のセットが送信され、時系列の値を示すためにＤＣＩが通知されることにより、異なるサブキャリア間隔または時間単位のシナリオにおける柔軟なスケジューリングが実装され得る。これにより、シグナリングオーバヘッドが低減される。
【０１２６】
本願は、異なる時間単位長のクロスキャリアスケジューリングに関連する実施形態を提供する。図１７は、本願の実施形態の例示的な図を示す。
【０１２７】
図１７に示される実施形態において、基地局は、ＵＥ用に複数のキャリア、例えば、図１６におけるキャリア１およびキャリア２を構成する。キャリア１は、キャリア２のＰＤＳＣＨまたはＰＵＳＣＨに対してクロスキャリアスケジューリングを実行し得る。キャリア１により用いられる時間単位は、キャリア２により用いられる時間単位よりも小さい。
【０１２８】
キャリア１の時間単位がキャリア２のものと同じである場合において、Ｋ２＝２、かつ、Ｋ４＝２であるときは、連続送信を保証するために必要となる工程の数は４である。
【０１２９】
キャリア１により用いられる時間単位がキャリア２の時間単位よりも小さい場合、より短い時間単位が、より長い時間単位をスケジューリングし、Ｋ２＋Ｋ４個の工程が連続送信を保証し得る。図１８は、本願の実施形態の例示的な図を示す。
【０１３０】
図１８に示される実施形態において、キャリア１が、キャリア２のＰＤＳＣＨまたはＰＵＣＣＨに対してクロスキャリアスケジューリングを実行する。キャリア１により用いられる時間単位は、キャリア２により用いられる時間単位の４分の１である。
【０１３１】
キャリア１の時間単位がキャリア２のものと同じである場合において、Ｋ２＝４、かつ、Ｋ４＝４であるときは、連続送信を保証するために必要となる工程の数は８である。
【０１３２】
キャリア２により用いられる時間単位が、キャリア１により用いられる時間単位の４倍である場合、連続送信を保証するために、Ｍ−１＋Ｋ２＋Ｋ４個の工程が必要とされる。Ｍは、より長い時間単位とより短い時間単位の比である。
【０１３３】
従って、本願の本実施形態は、解決手段を提供し、連続送信のために必要とされる工程の数が増えることを回避すべく、ＰＤＣＣＨを送信するための時間単位の長さは、ＰＵＳＣＨまたはＰＤＳＣＨを送信するための時間単位長以下である。
【０１３４】
本願の実施形態において、ＰＤＣＣＨおよびＰＵＳＣＨまたはＰＤＳＣＨが１つのスロットスロットに対して構成される場合、ＰＤＣＣＨを送信するためのサブキャリア間隔は、ＰＵＳＣＨまたはＰＤＳＣＨを送信するためのサブキャリア間隔以上である。すなわち、スロットの数またはシンボルの数が同じである場合、サブキャリア間隔が制限される。例えば、ＰＤＣＣＨを送信するためのサブキャリア間隔は、ＰＵＳＣＨまたはＰＤＳＣＨを送信するためのサブキャリア間隔以上である。詳細が以下の表に示される。
【表１】
2020523888.tif 000003
【０１３５】
本願の実施形態において、ＰＤＣＣＨにより構成されるサブキャリア間隔および時間単位がそれぞれ、６０ｋＨｚおよび１つのスロットである場合、ＰＵＳＣＨまたはＰＤＳＣＨの構成は、ＰＵＳＣＨまたはＰＤＳＣＨの時間単位長がＰＤＣＣＨの時間単位長以上であること、例えば、サブキャリア間隔が１５Ｋ、３０Ｋ、６０Ｋまたは１２０Ｋであり得て、時間単位が２つのスロットであることを保証する必要がある。すなわち、スロットの数またはシンボルの数が異なる場合、サブキャリア間隔、スロットの数またはシンボルの数は、考慮のために組み合わされ得て、シンボルの数またはスロットの数およびサブキャリア間隔のうちの少なくとも１つにより、時間単位長が決定され得る。詳細が以下の表に示される。
【表２】
2020523888.tif 000004
【０１３６】
本願において提供される実施形態において、ＰＤＣＣＨを送信するための時間単位の長さは、ＰＵＳＣＨまたはＰＤＳＣＨを送信するための時間単位の長さよりも大きいことがある。連続送信を保証するために必要とされる工程の数が過度に増えることを回避するために、ＰＤＣＣＨを送信するための時間単位の長さは、ＰＵＳＣＨまたはＰＤＳＣＨを送信するための時間単位の長さよりも大きくなるように構成され、ＰＵＳＣＨまたはＰＤＳＣＨを送信するための時間単位の長さは、ＰＤＣＣＨを送信するための時間単位の長さの１／Ｘよりも大きい。Ｘは、正の整数である。任意選択的に、Ｘは、２または４であり得る。
【０１３７】
Ｘ＝２であり、ＰＤＣＣＨおよびＰＵＳＣＨまたはＰＤＳＣＨが１つのスロットに対して構成される場合において、ＰＤＣＣＨのサブキャリア間隔が６０ｋＨｚであるときは、ＰＵＳＣＨまたはＰＤＳＣＨのサブキャリア間隔は、１２０ｋＨｚ以下である。詳細が以下の表に示される。
【表３】
2020523888.tif 000005
【０１３８】
代替的に、Ｘ＝２であり、ＰＤＣＣＨが６０ｋの１つのスロットに対して構成される場合、ＰＵＳＣＨ／ＰＤＳＣＨの時間単位長は、ＰＤＣＣＨの時間単位長以下になるように構成され、例えば、サブキャリア間隔は、１５ｋ、３０ｋ、６０ｋ、１２０ｋまたは２４０ｋであり得て、時間単位は、２つのスロットである。すなわち、スロットの数およびシンボルの数が異なる場合、シンボルの数またはスロットの数およびサブキャリア間隔が組み合わされて、時間単位長が決定される。詳細が以下の表に示される。
【表４】
2020523888.tif 000006
【０１３９】
さらに、Ｍの値は、ＵＥの能力と、システムまたはＵＥによりサポートされる工程の最大数とに関連する。本願のある例において、Ｍの構成は、以下の条件、つまり、Ｋ２＋Ｋ４（ここでは、Ｋ２＋Ｋ４は、時間単位長が同じである場合に必要とされる工程の数である）＋Ｍ−１の値がシステムによりサポートされる（またはＵＥによりサポートされる）工程の最大数以下である、という条件を満たす必要がある。ここでの工程の最大数が１６であり、Ｋ２＋Ｋ４＝８である場合、Ｍは、９以下である。
【０１４０】
より小さいＫ２およびＫ４をサポートするＵＥは、ＰＤＣＣＨを送信するための時間単位の長さが、ＰＵＳＣＨまたはＰＤＳＣＨを送信するための時間単位の長さよりも大きいことをサポートし得ない。代替的に、Ｍの値は、可能な限り小さく、２であり得る。これは主に、「アイドルレート＝（Ｍ−１）／（Ｋ２＋Ｋ４＋Ｍ−１）」を考慮していることに基づく。具体的には、Ｋ２＝１、Ｋ４＝１、かつ、Ｍ＝４である場合、アイドルレートは、３／５＝６０％である。しかしながら、Ｋ２＝４、Ｋ４＝４、かつ、Ｍ＝４である場合、アイドルレートは、３／１１＝２７％である。
【０１４１】
本願は、スケジューリングに関連する実施形態を提供する。基地局が、ＰＤＣＣＨおよび対応するＰＤＳＣＨまたはＰＵＳＣＨを構成する。Ｘ＞ＰＤＣＣＨとＰＤＳＣＨ／ＰＵＳＣＨの比（この比は、時間単位長比またはサブキャリア間隔比であり得る）＞１／Ｙであり、ＸおよびＹは、正の整数である。任意選択的に、ＸおよびＹの両方が２または４と等しい。代替的に、基地局が、ＰＤＣＣＨおよび対応するＰＤＳＣＨまたはＰＵＳＣＨを構成し、ＰＤＣＣＨおよび対応するＰＤＳＣＨまたはＰＵＳＣＨのサブキャリア間隔は、ＵＥによりサポートされるサブキャリア間隔であり、例えば、ＵＥが１５ｋＨｚ、６０ｋＨｚおよび１２０ｋＨｚをサポートする場合、ＰＤＣＣＨおよび対応するＰＤＳＣＨまたはＰＵＳＣＨは、１５および６０を含む隣接する組み合わせまたは６０および１２０を含む隣接する組み合わせとして構成される。基地局がキャリアを分類する場合、最大で１つのキャリアグループが、異なるサブキャリア間隔または時間単位長を有し、例えば、１０個のキャリアが４つのグループに分類される。サブキャリア間隔または時間単位長が同じであるかどうかに基づいて、グループ化が実行される。残りの異なるサブキャリア間隔または時間単位長は、１つのグループに分類される。代替的に、基地局がキャリアを分類する場合、最大で２つのキャリアグループが、異なるサブキャリア間隔または時間単位長を有する。
【０１４２】
本願は、異なる時間単位長に対するＨＡＲＱフィードバックに関連する実施形態を提供する。図１９は、本願によれば実施形態の例示的な図を示す。
【０１４３】
図１９に示されるように、基地局は、ＵＥ用に複数のキャリア、例えば、図１８におけるキャリア１およびキャリア２を構成する。キャリア１により用いられる時間単位の長さは、キャリア２により用いられる時間単位の長さの４倍である。
【０１４４】
図１９に示されるように、データがより長い時間単位のキャリア上で送信され、例えば、肯定応答ＡＣＫメッセージまたは否定応答ＮＡＣＫメッセージなどの確認情報が、より短い時間単位のキャリアに対してフィードバックされる。
【０１４５】
キャリア１の時間単位長がキャリア２のものと同じである場合、必要とされる工程の数は、Ｋ１＋Ｋ３＋Ｋ０である。Ｋ０＝０、Ｋ１＝２、かつ、Ｋ３＝２である場合、必要とされる工程の数は、４である。キャリア１の時間単位の長さがキャリア２の時間単位の長さよりも大きい場合、図１９に示されるように、必要とされる工程の数は、依然として４である。図２０は、本願によれば実施形態の例示的な図を示す。
【０１４６】
図２０に示されるように、基地局は、ＵＥ用に複数のキャリア、例えば、図１９におけるキャリア１およびキャリア２を構成する。キャリア１により用いられる時間単位の長さは、キャリア２により用いられる時間単位の長さの４分の１である。
【０１４７】
図２０に示されるように、データがより短い時間単位のキャリア上で送信され、確認情報がより長い時間単位のキャリア上でフィードバックされる。これにより、連続送信を保証するために必要とされる工程の数が増え得る。
【０１４８】
キャリア１の時間単位長がキャリア２のものと同じである場合、必要とされる工程の数は、Ｋ１＋Ｋ３＋Ｋ０である。Ｋ０＝０、Ｋ１＝４、かつ、Ｋ３＝４である場合、必要とされる工程の数は、８である。
【０１４９】
図２０に示されるように、キャリア１により用いられる時間単位の長さが、キャリア２により用いられる時間単位の長さの４分の１であり、必要とされる工程の数がＫ１＋Ｋ３＋Ｋ０＋２Ｍ−２、すなわち１６である場合、Ｍは、より長い時間単位とより短い時間単位の比であり、ここでは４である。
【０１５０】
従って、本願において提供される解決手段は、ＰＤＳＣＨを送信するための時間単位長が、ＰＵＳＣＨまたはＰＵＣＣＨを送信するための時間単位長以上になるように構成される、ということである。
【０１５１】
本願において提供されるある例において、ＰＤＳＣＨを送信するための時間単位およびＰＵＳＣＨまたはＰＵＣＣＨを送信するための時間単位の両方が１つのスロットであるように構成される場合、サブキャリア間隔は、以下の条件、つまり、ＰＤＳＣＨのサブキャリア間隔が３０ｋである場合、ＰＵＳＣＨまたはＰＤＳＣＨのサブキャリア間隔は、３０ｋ以上、例えば、３０ｋ、６０ｋ、１２０ｋまたは２４０ｋである必要がある、という条件を満たす必要がある（スロットの数およびシンボルの数が同じである場合、サブキャリア間隔のみが考慮される。スロットの数、シンボルの数およびサブキャリア間隔が共に時間単位長を決定する。より多くの例が以下の表に示される）。詳細が以下の表に示される。
【表５】
2020523888.tif 000007
【０１５２】
本願において提供されるある例において、６０ｋＨｚの１つのスロットに対してＰＤＣＣＨが構成される場合、ＰＵＳＣＨまたはＰＵＣＣＨの構成は、以下の条件、つまり、ＰＵＳＣＨまたはＰＵＣＣＨの時間単位長は、ＰＤＣＣＨの時間単位長以下である、例えば、サブキャリア間隔は、６０ｋ、１２０ｋまたは２４０ｋであり得る、という条件を満たす必要がある（スロットの数およびシンボルの数が異なる場合、シンボルの数またはスロットの数とサブキャリア間隔とが組み合わされて、時間単位長が決定される）。
【表６】
2020523888.tif 000008
【０１５３】
任意選択的に、本願において、ＰＤＳＣＨを送信するための時間単位の長さが、ＰＵＳＣＨまたはＰＵＣＣＨを送信するための時間単位の長さよりも小さくなるように構成され得て、ＰＤＳＣＨの時間単位の長さは、１／Ｘだけ、ＰＵＳＣＨまたはＰＵＣＣＨを送信するための時間単位の長さよりも大きい。Ｘは正の整数である。さらに、Ｘ＝２または４である。
【０１５４】
Ｘ＝２である場合において、ＰＤＳＣＨおよびＰＵＳＣＨまたはＰＵＣＣＨが１４個のシンボルを有するスロットであるように構成されるときは、サブキャリア間隔は、以下の条件、つまり、ＰＤＳＣＨのサブキャリア間隔が３０ｋである場合、ＰＵＳＣＨ／ＰＵＣＣＨのサブキャリア間隔は、３０ｋ以上、例えば、１５ｋ、３０ｋ、６０ｋ、１２０ｋまたは２４０ｋである必要がある、という条件を満たす必要がある。詳細が以下の表に示される。
【表７】
2020523888.tif 000009
【表８】
2020523888.tif 000010
【０１５５】
さらに、Ｍの選択は、ＵＥの能力（Ｋ１およびＫ３の値に関連する）と、システムまたはＵＥによりサポートされる工程の最大数とに関連する。
【０１５６】
任意選択的に、Ｍが以下の条件、つまり、Ｋ１＋Ｋ３（時間単位が同じである場合に必要とされる工程の数）＋２Ｍ−２の値が、システムによりサポートされる工程の最大数（またはＵＥによりサポートされる工程の最大数）以下、という条件を満たす必要がある場合、システムまたはＵＥによりサポートされる工程の最大数は、１６であり得る。Ｋ１＋Ｋ３＝８である場合、Ｍは５以下である。
【０１５７】
代替的に、より小さいＫ１およびＫ３をサポートするＵＥは、ＰＤＳＣＨの時間単位長がＰＵＳＣＨ／ＰＵＣＣＨの時間単位長よりも小さいことをサポートしない。代替的に、Ｍの値は、可能な限り小さく、例えば、２である。これは、「アイドルレート＝（２Ｍ−２）／（Ｋ１＋Ｋ３＋２Ｍ−２）」を考慮していることに基づく。具体的には、Ｋ１＝１、Ｋ３＝１、かつ、Ｍ＝４である場合、アイドルレートは、６／８＝７５％である。しかしながら、Ｋ１＝４、Ｋ３＝４、かつ、Ｍ＝４である場合、アイドルレートは、６／１６＝３７．５％である。
【０１５８】
Ｍは、より長い時間単位の長さとより短い時間単位の長さの比（またはＰＵＳＣＨ／ＰＵＣＣＨの時間単位長とＰＤＳＣＨの時間単位長の比）であることに留意されたい。
【０１５９】
５Ｇにおいて、１つの時間単位は、同じＵＥの２つのＰＵＣＣＨ時分割を含む。従って、２つのＰＵＣＣＨ時分割が存在する場合、Ｍは、２で除算され得る。５Ｇにおいて、１つのスロットのシンボルの数は、シンボル７個またはシンボル１４個、拡張ＣＰ下ではシンボル６個またはシンボル１２個であり得る。
【０１６０】
本願は、フィードバックに関連する実施形態を提供する。基地局が、ＰＤＳＣＨおよび対応するＰＵＣＣＨまたはＰＵＳＣＨを構成する。Ｘ＞ＰＤＳＣＨとＰＵＣＣＨ／ＰＵＳＣＨの比（この比は、時間単位長比またはサブキャリア間隔比であり得る）＞１／Ｙであり、ＸおよびＹは、正の整数である。任意選択的に、ＸおよびＹの両方が２または４と等しい。基地局は、ＰＤＳＣＨおよび対応するＰＵＣＣＨまたはＰＵＳＣＨを構成し、ＰＤＳＣＨおよび対応するＰＵＣＣＨまたはＰＵＳＣＨのサブキャリア間隔は、ＵＥによりサポートされる隣接するサブキャリア間隔であり、例えば、ＵＥが１５ｋ、６０ｋおよび１２０ｋをサポートする場合、１５および６０を含む隣接する組み合わせまたは１５および１２０を含む隣接組み合わせが構成されるが、１５および１２０を含む組み合わせは、構成され得ない。基地局がキャリアを分類する場合、最大で１つのグループが、異なるサブキャリア間隔または時間単位長を有するキャリア、例えば、４つのグループに分類される１０個のキャリアを含む。サブキャリア間隔または時間単位長が同じであるかどうかに基づいて、グループ化が実行される。残りの異なるサブキャリア間隔または時間単位長は、１つのグループに分類される。基地局がキャリアを分類する場合、各グループは、異なるサブキャリア間隔または時間単位長を有する最大で２つのキャリアを含む。
【０１６１】
「第１の」、「第２の」または同様のものなどの本願におけるシンボルシーケンスの数は、明確性のためのみに用いられ、限定を構成しないことに留意されたい。異なる実施形態における、同じ番号を有するシンボルシーケンスは、同じであり得るか、または異なり得る。前述の機能を実装するために、ネットワーク側デバイス（例えば、基地局）またはＵＥなどのネットワーク要素が、当該機能を実行するために用いられる、対応するハードウェア構造および／またはソフトウェアモジュールを含むことが理解され得る。当業者であれば、本明細書において開示される実施形態において説明されている例との組み合わせで、本願が、ハードウェアまたはハードウェアとコンピュータソフトウェアとの組み合わせにより実装され得ることを容易に認識しているはずである。ある機能がハードウェアにより実行されるか、またはコンピュータソフトウェアにより駆動されるハードウェアにより実行されるかは、技術的解決手段の特定の用途および設計上の制約によって決まる。当業者であれば、異なる方法を用いて、説明された機能を特定の用途ごとに実装し得るが、当該実装が本願の範囲を超えるとみなされるべきではない。
【０１６２】
図２１は、前述の実施形態におけるデバイスの可能な概略構造図を示す。デバイスは、ネットワーク側デバイス、例えば、基地局であり得るか、またはユーザ機器ＵＥであり得る。前述の実施形態における対応する機能または段階などの関連する内容は、デバイスを用いて実行され得る。
【０１６３】
具体例において、デバイスは、プロセッサおよび送信機を含む。具体例において、デバイスの構造は、受信機をさらに含み得る。具体例において、デバイスがネットワーク側デバイスである場合、データ送信デバイスの構造は、別のネットワーク側デバイスとの通信、例えば、コアネットワークノードとの通信をサポートするように構成された通信ユニットをさらに含み得る。可能な例において、デバイスは、メモリをさらに含み得る。メモリは、プロセッサに結合され、データ送信デバイスにより必要とされるプログラム命令およびデータを格納するように構成される。プロセッサは、デバイスの動作を制御および管理するように構成されると共に、前述の実施形態におけるデバイスにより実行される処理を実行するように構成され、例えば、データ送信に対する処理を実行するよう、および／または本願において説明する技術の別の工程を実行するようデバイスを制御するように構成される。図２１に対応する例において、本願におけるデバイスの構造は、送信機２１０１、受信機２１０２、プロセッサ２１０３およびメモリ２１０４を含む。
【０１６４】
図２１はデバイスの簡略化された設計を示しているに過ぎないことが理解され得る。実際の用途では、デバイスは、任意の数の送信機、受信機、プロセッサ、メモリおよび同様のものを含み得て、本願を実装し得る全てのデータ受信デバイスが、本願の保護範囲に含まれる。
【０１６５】
本願はさらに、デバイスを提供する。デバイスは、前述の実施形態を実装する機能を有する。当該機能は、ハードウェアを用いて実装され得るか、または対応するソフトウェアをハードウェアにより実行することにより実装され得る。ハードウェアまたはソフトウェアは、前述の機能に対応する１または複数のモジュールを含む。
【０１６６】
本願の実施形態は、相互参照され得ると共に、それに応じて、ネットワークデバイスおよびユーザ機器により実行され得る。
【０１６７】
本願におけるデバイスの機能を実行するように構成されたプロセッサは、中央処理装置（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブル論理デバイス、トランジスタ論理デバイス、ハードウェアコンポーネント、またはそれらの任意の組み合わせであり得る。コントローラ／プロセッサは、本願において開示される内容を参照して説明される様々な例示的な論理ブロック、モジュールおよび回路を実装または実行し得る。代替的に、プロセッサは、コンピューティング機能を実装するプロセッサの組み合わせ、例えば、１または複数のマイクロプロセッサの組み合わせ、またはＤＳＰおよびマイクロプロセッサの組み合わせであり得る。
【０１６８】
本願において開示される内容と組み合わせて説明されている方法またはアルゴリズムの段階は、ハードウェアにより実装されても、プロセッサによりソフトウェア命令を実行することにより実装されてもよい。ソフトウェア命令は、対応するソフトウェアモジュールを含んでよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブル磁気ディスク、ＣＤ−ＲＯＭ、または当該技術分野において既知の任意の他の形態の記憶媒体に配置され得る。例えば、記憶媒体は、プロセッサに結合され、これにより、プロセッサは、記憶媒体から情報を読み取ることができ、または記憶媒体に情報を書き込むことができる。当然ながら、記憶媒体は、プロセッサのコンポーネントであり得る。プロセッサおよび記憶媒体は、ＡＳＩＣに配置され得る。加えて、ＡＳＩＣは、データ受信デバイスおよび／またはデータ送信デバイスに配置され得る。当然ながら、プロセッサおよび記憶媒体は、ディスクリートコンポーネントとして、データ受信デバイスまたはデータ送信デバイスに存在し得る。
【０１６９】
当業者であれば、前述の１または複数の例において、本願において説明されている機能が、ハードウェア、ソフトウェア、ファームウェア、またはそれらの任意の組み合わせにより実装され得ることを認識しているはずである。本発明がソフトウェアにより実装される場合、前述の機能は、コンピュータ可読媒体に格納されても、コンピュータ可読媒体内の１または複数の命令またはコードとして送信されてもよい。コンピュータ可読媒体は、コンピュータ記憶媒体および通信媒体を含む。通信媒体は、コンピュータプログラムを１つの箇所から別の箇所へ送信することを可能にする任意の媒体を含む。記憶媒体は、汎用コンピュータまたは専用コンピュータにアクセス可能な任意の利用可能な媒体であってよい。
【０１７０】
本願の目的、技術的解決手段および利点はさらに、前述の具体的な実施形態において詳細に説明されている。前述説明は、本願の特定の実施形態に過ぎず、本願の保護範囲を限定することを意図していないことを理解されたい。本願の技術的解決手段に基づいてなされるあらゆる修正、均等な置き換えまたは改良は、本願の保護範囲に含まれるものとする。
【図１】
2020523888.tif 000011
【図２】
2020523888.tif 000012
【図３】
2020523888.tif 000013
【図４】
2020523888.tif 000014
【図５】
2020523888.tif 000015
【図６】
2020523888.tif 000016
【図７】
2020523888.tif 000017
【図８】
2020523888.tif 000018
【図９】
2020523888.tif 000019
【図１０】
2020523888.tif 000020
【図１１】
2020523888.tif 000021
【図１２】
2020523888.tif 000022
【図１３】
2020523888.tif 000023
【図１４】
2020523888.tif 000024
【図１５】
2020523888.tif 000025
【図１６】
2020523888.tif 000026
【図１７】
2020523888.tif 000027
【図１８】
2020523888.tif 000028
【図１９】
2020523888.tif 000029
【図２０】
2020523888.tif 000030
【図２１】
2020523888.tif 000031
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
物理ダウンリンク制御チャネルのｎ番目の時間単位においてダウンリンク制御情報を受信する段階であって、前記ダウンリンク制御情報は、データ送信をスケジューリングするための情報を保持する、段階と、
前記ダウンリンク制御情報に対応するデータ送信チャネル上で、（ｎ＋ｘ）番目の時間単位においてデータ送信を実行する段階であって、ｘは、前記データ送信チャネルのヌメロロジーに基づく、段階と
を備える通信方法。
【請求項２】
前記ダウンリンク制御情報は、物理アップリンク共有チャネルのデータ送信をスケジューリングするための情報を保持し、前記データ送信チャネルは、前記物理アップリンク共有チャネルである、
請求項１に記載の通信方法。
【請求項３】
ｘ＝ｋ２であり、データ送信を実行する前記段階は、前記物理アップリンク共有チャネル上で（ｎ＋ｋ２）番目の時間単位においてデータを送信する段階を有する、請求項２に記載の通信方法。
【請求項４】
前記ダウンリンク制御情報は、ｋ２の値を示す情報をさらに保持し、ｋ２の前記値は、前記物理アップリンク共有チャネルの前記ヌメロロジーに基づくセットに属する、請求項３に記載の通信方法。
【請求項５】
前記ダウンリンク制御情報は、物理ダウンリンク共有チャネルのデータ送信をスケジューリングするための情報を保持し、前記データ送信チャネルは、前記物理ダウンリンク共有チャネルである、請求項１に記載の通信方法。
【請求項６】
ｘ＝ｋ０であり、データ送信を実行する前記段階は、前記物理ダウンリンク共有チャネル上で、（ｎ＋ｋ０）番目の時間単位においてデータを受信する段階を有する、
請求項５に記載の通信方法。
【請求項７】
物理アップリンク制御チャネル上で、（ｎ＋ｋ０＋ｋ１）番目の時間単位においてフィードバック情報を送信する段階であって、ｋ１は、前記物理アップリンク制御チャネルのヌメロロジーに基づく、段階
をさらに備える、請求項６に記載の通信方法。
【請求項８】
前記物理ダウンリンク制御チャネルのヌメロロジーが、前記データ送信チャネルの前記ヌメロロジーとは異なる、
請求項１から７のいずれか一項に記載の通信方法。
【請求項９】
物理ダウンリンク制御チャネルのｎ番目の時間単位においてダウンリンク制御情報を送信する段階であって、前記ダウンリンク制御情報は、データ送信をスケジューリングするための情報を保持する、段階と、
前記ダウンリンク制御情報に対応するデータ送信チャネル上で、（ｎ＋ｘ）番目の時間単位においてデータ送信を実行する段階であって、ｘは、前記データ送信チャネルのヌメロロジーに基づく、段階と
を備える通信方法。
【請求項１０】
前記ダウンリンク制御情報は、物理アップリンク共有チャネルのデータ送信をスケジューリングするための情報を保持し、前記データ送信チャネルは、前記物理アップリンク共有チャネルである、請求項９に記載の通信方法。
【請求項１１】
ｘ＝ｋ２であり、データ送信を実行する前記段階は、前記物理アップリンク共有チャネル上で、（ｎ＋ｋ２）番目の時間単位においてデータを受信する段階を有する、
請求項１０に記載の通信方法。
【請求項１２】
前記ダウンリンク制御情報は、ｋ２の値を示す情報をさらに保持し、ｋ２の前記値は、前記物理アップリンク共有チャネルの前記ヌメロロジーに基づくセットに属する、請求項１１に記載の通信方法。
【請求項１３】
前記ダウンリンク制御情報は、物理ダウンリンク共有チャネルのデータ送信をスケジューリングするための情報を保持し、前記データ送信チャネルは、前記物理ダウンリンク共有チャネルである、請求項９に記載の通信方法。
【請求項１４】
ｘ＝ｋ０であり、データ送信を実行する前記段階は、前記物理ダウンリンク共有チャネル上で、（ｎ＋ｋ０）番目の時間単位においてデータを送信する段階を有する、
請求項１３に記載の通信方法。
【請求項１５】
物理アップリンク制御チャネル上で、（ｎ＋ｋ０＋ｋ１）番目の時間単位においてフィードバック情報を受信する段階であって、ｋ１は、前記物理アップリンク制御チャネルのヌメロロジーに基づく、段階
をさらに備える、請求項１４に記載の通信方法。
【請求項１６】
前記物理ダウンリンク制御チャネルのヌメロロジーが、前記データ送信チャネルの前記ヌメロロジーとは異なる、請求項９から１５のいずれか一項に記載の通信方法。
【請求項１７】
請求項１から８のいずれか一項に記載の通信方法を実装するように構成される通信装置。
【請求項１８】
請求項９から１６のいずれか一項に記載の通信方法を実装するように構成される通信装置。
【請求項１９】
請求項１から８のいずれか一項に記載の通信方法をプロセッサに実行させるプログラム。
【請求項２０】
請求項９から１６のいずれか一項に記載の通信方法をプロセッサに実行させるプログラム。
【手続補正２】
【補正対象書類名】明細書
【補正対象項目名】全文
【補正方法】変更
【補正の内容】
【発明の詳細な説明】
【技術分野】
【０００１】
本願は、無線通信技術分野に関し、特に、無線通信方法およびデバイスに関する。
【背景技術】
【０００２】
増加するサービスタイプの要件を満たすために、第５世代（ｔｈｅ  ｆｉｆｔｈ  ｇｅｎｅｒａｔｉｏｎ、５Ｇ）モバイル通信システムが、エンハンスドモバイルブロードバンド（ｅｎｈａｎｃｅｄ  ｍｏｂｉｌｅ  ｂｒｏａｄｂａｎｄ、ｅＭＢＢ）、超高信頼性低レイテンシ通信（ＵＲＬＬＣ）および大量マシンタイプ通信（ｍａｓｓｉｖｅ  ｍａｃｈｉｎｅ  ｔｙｐｅ  ｃｏｍｍｕｎｉｃａｔｉｏｎｓ、ｍＭＴＣ）という３つのタイプの適用シナリオをサポートすることが必要とされている。様々な適用シナリオのサービス機能、信頼性要件およびレイテンシ要件には明らかな違いが存在するので、異なるサービスには、サブキャリア間隔、シンボル長および時間単位などのシステムパラメータについての異なる要件がある。
【０００３】
データ送信において、データは、時間単位のある粒度で送信される。５Ｇシステムでは、異なるサービスの異なる要件を満たすために、サブキャリア間隔および時間単位を用いてデータ送信を実行する柔軟なメカニズムが提案されている。すなわち、５Ｇでは、時間単位が異なり得る。例えば、同じキャリア上で、アップリンク通信およびダウンリンク通信を実行するために異なる時間単位が用いられ得て、キャリアアグリゲーションのシナリオでは、キャリア間で用いられる時間単位も異なり得る。
【０００４】
しかしながら、通信に異なる時間単位を用いると、基地局とユーザ機器との間で一貫性がない時系列が生じ得る。
【発明の概要】
【０００５】
本願は、同じタイミング基準に基づいて時系列を決定し、異なるサービス要件に起因する異なるキャリアパラメータの異なるシナリオにおける時系列の不整合という課題を解消することにより円滑な通信を保証すべく、無線通信方法およびデバイスを説明する。
【０００６】
ある態様によれば、本願の実施形態は、無線通信方法を提供する。方法は、制御情報を送信するために用いられる時間単位が、データを送信するために用いられる時間単位とは異なり、制御情報がデータと関連する場合、同じ時間単位に基づいて時系列を決定する段階を含む。同じ時間単位に基づくことは、同じ時間単位に基づくこと、同じ時間単位原理に基づくこと、または同じタイミング基準に基づくこととして理解され得る。従って、基地局と端末との間の一貫した時系列を保証することにより、円滑な通信を保証し、異なるサービス要件を満たすべく、同じ時間単位基準に基づいて、タイミングが実行される。
【０００７】
可能な設計において、
同じ時間単位に基づいて時系列を決定する段階は、
同じ時間単位に基づいて第１の時系列Ｋ０および第２の時系列Ｋ１を決定する段階であって、
第１の時系列Ｋ０は、物理ダウンリンク制御チャネルＰＤＣＣＨを送信するための時間単位と物理ダウンリンク共有チャネルＰＤＳＣＨを送信するための時間単位との間の時間関係であり、ＰＤＣＣＨは、制御情報を送信するために用いられ、ＰＤＳＣＨは、制御情報を用いてスケジューリングされるデータを送信するために用いられ、
第２の時系列Ｋ１は、ＰＤＳＣＨを送信するための時間単位とＰＵＣＣＨまたはＰＵＳＣＨを送信するための時間単位との間の時間関係であり、ＰＤＳＣＨは、データを送信するために用いられ、ＰＤＣＣＨまたはＰＵＳＣＨは、データに対応する制御情報を送信するために用いられ、制御情報は、データに対応するアップリンクフィードバック情報である、段階を含む。従って、第１の時系列および第２の時系列が同じ時間単位に基づいて決定されることにより、時系列が一貫したものになる。
【０００８】
可能な設計において、第３の時系列Ｋ２はさらに、同じ時間単位に基づいて決定され、第３の時系列Ｋ２は、ＰＤＣＣＨを送信するための時間単位とＰＵＳＣＨを送信するための時間単位との間の時間関係であり、ＰＤＣＣＨは、制御情報を送信するために用いられ、ＰＵＳＣＨは、制御情報を用いてスケジューリングされるアップリンクデータを送信するために用いられる。第１の時系列、第２の時系列および第３の時系列が同じ時間単位に基づいて決定されることにより、時系列が一貫したものになる。これにより、円滑な通信が保証され、システム設計が簡略化される。
【０００９】
可能な設計において、
同じ時間単位に基づいて時系列を決定する段階は、
データを送信するために用いられる時間単位に基づいて時系列を決定する段階、または、
制御情報を送信するために用いられる時間単位に基づいて時系列を決定する段階、または、
制御情報を送信するために用いられる時間単位とデータを送信するために用いられる時間単位とのうちより長い時間単位に基づいて時系列を決定する段階、または、
制御情報を送信するために用いられる時間単位とデータを送信するために用いられる時間単位とのうちより短い時間単位に基づいて時系列を決定する段階、または、
ソース時間単位またはターゲット時間単位に基づいて時系列を決定する段階、または、
基準時間間隔に基づいて時系列を決定する段階
を含む。従って、本願は、柔軟な選択のために時系列を決定するための複数の方法を提供する。
【００１０】
可能な設計において、
時系列は、同じ時間単位に基づいて決定され、
方法は、
ダウンリンク送信をスケジューリングするために用いられるダウンリンク制御情報ＤＣＩをユーザ機器ＵＥへ送信する段階であって、
ダウンリンク送信をスケジューリングするために用いられるＤＣＩは、Ｋ０の値を示すために用いられる第１のインジケーションフィールドと、Ｋ１の値を通知するために用いられる第２のインジケーションフィールドとを含み、第１のインジケーションフィールドにより占有されるビットの数が、第２のインジケーションフィールドにより占有されるビットの数と等しい、段階
をさらに含む。従って、ＤＣＩシグナリングオーバヘッドが低減され得て、Ｋ０およびＫ１の柔軟性が保証され得る。
【００１１】
可能な設計において、
方法は、
アップリンク送信をスケジューリングするために用いられるダウンリンク制御情報ＤＣＩをユーザ機器ＵＥへ送信する段階であって、
アップリンク送信をスケジューリングするために用いられるＤＣＩは、Ｋ２の値情報を通知するために用いられる第３のインジケーションフィールドを含み、
第３のインジケーションフィールドにより占有されるビットの数と、第１のインジケーションフィールドにより占有されるビットの数と、第２のインジケーションフィールドにより占有されるビットの数とが等しいか、または、第３のインジケーションフィールドにより占有されるビットの数が、第１のインジケーションフィールドにより占有されるビットの数と第２のインジケーションフィールドにより占有されるビットの数との和と等しい、段階
をさらに含む。
【００１２】
可能な設計において、
方法は、
少なくとも１つの第１のセット、および第１のセットと時間単位との間の関係をＵＥへ送信する段階であって、第１のセットは、Ｋ０の少なくとも１つの異なる値を含む、段階、
少なくとも１つの第２のセット、および第２のセットと時間単位との間の関係をＵＥへ送信する段階であって、第２のセットは、Ｋ１の少なくとも１つの異なる値を含む、段階、および、
少なくとも１つの第３のセット、および第３のセットと時間単位との間の関係をＵＥへ送信する段階であって、第２のセットは、Ｋ２の少なくとも１つの異なる値を含む、段階
のうちの少なくとも１つをさらに含む。
従って、ＵＥは、時間単位またはサブキャリア間隔に基づいて、セットを決定し、ＤＣＩにおいて示される時系列の値に基づいて、特定の時系列を決定し得る。
【００１３】
別の態様によれば、本願は、デバイスを提供する。デバイスは、本願において提供される方法の関連する機能を実装し得る。当該機能は、ハードウェアを用いて実装され得るか、または対応するソフトウェアをハードウェアにより実行することにより実装され得る。ハードウェアまたはソフトウェアは、前述の機能に対応する１または複数のモジュールを含む。
【００１４】
別の態様によれば、本願は、プロセッサと、送信機と、受信機とを含むデバイスを提供する。制御情報を送信するために用いられる時間単位が、データを送信するために用いられる時間単位とは異なり、制御情報がデータと関連する場合、プロセッサは、同じ時間単位に基づいて時系列を決定するように構成される。デバイスは、本願において提供される方法の関連する機能を実装し得る。
【００１５】
ある態様によれば、本願は、コンピュータ記憶媒体を提供する。コンピュータ記憶媒体は、前述のデータ送信デバイスにより用いられるコンピュータソフトウェア命令を格納するように構成される。コンピュータ記憶媒体は、前述の態様を実行するよう設計されたプログラムを含む。
【００１６】
さらに別の態様によれば、本願は、コンピュータ記憶媒体を提供する。コンピュータ記憶媒体は、前述のデータ受信デバイスにより用いられるコンピュータソフトウェア命令を格納するように構成される。コンピュータ記憶媒体は、前述の態様を実行するよう設計されたプログラムを含む。
【００１７】
別の態様によれば、本願は、チップシステムを提供する。チップシステムは、前述の態様における機能を実装するようデバイスをサポートするように構成されたプロセッサを含む。チップシステムは、チップを含み得るか、またはチップおよび別のディスクリートデバイスを含み得る。
【００１８】
本願は、同じタイミング基準に基づいて時系列を決定し、異なるサービス要件に起因する異なるキャリアパラメータの異なるシナリオにおける時系列の不整合という課題を解消することにより円滑な通信を保証すべく、無線通信方法およびデバイスを説明する。
【図面の簡単な説明】
【００１９】
以下では、添付図面を参照して、本願の実施形態をより詳細に説明する。
【図１】本願の可能な適用シナリオの概略図を示す。
【図２】ＬＴＥ技術でのダウンリンク通信の例示的な図を示す。
【図３】ＬＴＥ技術でのアップリンク通信の例示的な図を示す。
【図４】本願による実施形態の例示的な図を示す。
【図５】本願による実施形態の例示的な図を示す。
【図６】本願による実施形態の例示的な図を示す。
【図７】本願による実施形態の例示的な図を示す。
【図８】本願による実施形態の例示的な図を示す。
【図９】本願による実施形態の例示的な図を示す。
【図１０】本願による実施形態の例示的な図を示す。
【図１１】本願による実施形態の例示的な図を示す。
【図１２】本願による実施形態の例示的な図を示す。
【図１３】本願による実施形態の例示的な図を示す。
【図１４】本願による実施形態の例示的な図を示す。
【図１５】本願による実施形態の例示的な図を示す。
【図１６】本願による実施形態の概略フローチャートを示す。
【図１７】本願による実施形態の例示的な図を示す。
【図１８】本願による実施形態の例示的な図を示す。
【図１９】本願による実施形態の例示的な図を示す。
【図２０】本願による実施形態の例示的な図を示す。
【図２１】本願による概略構造図を示す。
【発明を実施するための形態】
【００２０】
以下では、本願の実施形態における添付図面を参照して、本願の実施形態における技術的解決手段を明確かつ完全に説明する。
【００２１】
本願の以下の実施形態において説明するネットワークアーキテクチャおよびサービスシナリオは、本願の実施形態における技術的解決手段をより明確に説明することを意図しているが、本願の実施形態において提供される技術的解決手段を限定することは意図していない。当業者であれば、ネットワークアーキテクチャが進化しており、新しいサービスシナリオが出現しているので、本願の実施形態において提供される技術的解決手段が同様の技術的課題にさらに適用され得ることを認識し得る。
【００２２】
本発明において説明する技術は、ロングタームエボリューション（Ｌｏｎｇ  Ｔｅｒｍ  Ｅｖｏｌｕｔｉｏｎ、略してＬＴＥ）システム、または様々な無線アクセス技術が用いられる他の無線通信システム、例えば、符号分割多重アクセス、周波数分割多重アクセス、時間分割多重アクセス、直交周波数分割多重アクセスおよびシングルキャリア周波数分割多重アクセスなどのアクセス技術が用いられるシステムに適用され得て、さらに、第５世代５ＧシステムなどのＬＴＥシステムが用いられる後続の進化型システムに適用され得る。
【００２３】
図１は、本願の可能な適用シナリオの概略図を示す。ユーザ機器（Ｕｓｅｒ  Ｅｑｕｉｐｍｅｎｔ、ＵＥ）が、無線インタフェースを用いてネットワーク側デバイスにアクセスして通信を実行するか、または、例えば、デバイスツーデバイス（Ｄ２Ｄ）シナリオまたはマシンツーマシン（Ｍ２Ｍ）シナリオにおける通信で、別のユーザ機器と通信し得る。
【００２４】
ネットワーク側デバイスは、ユーザ機器と通信し得るか、または、例えば、マクロ基地局とアクセスポイントとの間の通信で別のネットワーク側デバイスと通信し得る。本願において、「ネットワーク」および「システム」という名詞は通常、交換可能に用いられるが、当業者には、これらの名詞の意味が理解され得る。本願におけるユーザ機器は、無線通信機能を有する様々なハンドヘルドデバイス、車載デバイス、ウェアラブルデバイス、コンピューティングデバイス、制御デバイス、または無線モデムに接続された別の処理デバイスを含み得ると共に、ＵＥ、移動局（Ｍｏｂｉｌｅ  ｓｔａｔｉｏｎ、ＭＳ）、端末（Ｔｅｒｍｉｎａｌ）、端末機器（Ｔｅｒｍｉｎａｌ  Ｅｑｕｉｐｍｅｎｔ）、または様々な形態の同様のものを含み得る。説明しやすくするために、本願において、上述の全てのデバイスは、ユーザ機器（ＵＥ）と総称される。本願におけるネットワーク側デバイスは、基地局（Ｂａｓｅ  Ｓｔａｔｉｏｎ、ＢＳ）、ネットワークコントローラ、移動交換局または同様のものを含む。無線チャネルを用いてユーザ機器と直接通信する装置は通常、基地局である。基地局は、マクロ基地局、マイクロ基地局、リレーノード、アクセスポイント、遠隔無線ユニット（Ｒｅｍｏｔｅ  Ｒａｄｉｏ  Ｕｎｉｔ、ＲＲＵ）、または様々な形態の同様のものを含み得る。当然ながら、ユーザ機器との無線通信を実行する装置は、無線通信機能を有する別のネットワーク側デバイスであり得る。このことは、本願において一意に限定されない。異なるシステムにおいて、基地局機能を有するデバイスの名前は異なり得る。これらの名前は、例えば、進化型ノードＢ（ｅｖｏｌｖｅｄ  ＮｏｄｅＢ、ｅＮＢまたはｅＮｏｄｅＢ）、ノードＢおよび送受信ポイント（Ｔｒａｎｓｍｉｓｓｉｏｎ  ａｎｄ  Ｒｅｃｅｐｔｉｏｎ  Ｐｏｉｎｔ、ＴＲＰ）である。
【００２５】
本願において提供される技術的解決手段は、アップリンクデータ送信および／またはダウンリンクデータ送信に適用され得る。アップリンクデータ送信では、データ送信デバイスがユーザ機器であり得て、データ受信デバイスが基地局などのネットワーク側デバイスであり得る。ダウンリンクデータ送信では、データ送信デバイスがネットワーク側デバイス、例えば、基地局であり得て、データ受信デバイスがユーザ機器であり得る。図２は、ＬＴＥ技術でのダウンリンク通信の例示的な図を示す。
【００２６】
既存のＬＴＥ技術でのダウンリンク通信が、例として用いられる。ダウンリンクスケジューリングのために用いられる時間単位と、対応するダウンリンクデータ送信のために用いられる時間単位との間の時間間隔が、本願においてＫ０時間単位として示される。ＬＴＥにおける時間単位は、固定され得て、例えば、１ｍｓである。図２において、各行におけるセルは、１つの時間単位とみなされ得る。
【００２７】
具体的には、ダウンリンクスケジューリング情報が、ｎ番目の時間単位において物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を用いて送信される場合、当該ダウンリンクスケジューリング情報は、ダウンリンク制御情報（Ｄｏｗｎｌｉｎｋ  Ｃｏｎｔｒｏｌ  Ｉｎｆｏｒｍａｔｉｏｎ、ＤＣＩ）であり得ると共に、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）を用いたダウンリンクデータ送信のために用いられる、対応する時間単位は、（ｎ＋Ｋ０）番目の時間単位である。現在のＬＴＥシステムにおいて、Ｋ０は０であり得る。
【００２８】
既存のＬＴＥ技術では、データ通信の信頼性を保証するために、ハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱ）メカニズム、すなわち、送信端が、データを送信した後に、確認情報を受信端がフィードバックするのを待機する必要があるメカニズムが導入されている。確認情報は、肯定応答（Ａｃｋｎｏｗｌｅｄｇｍｅｎｔ、ＡＣＫ）情報または否定応答（ＮＡＣＫ）情報であり得る。
【００２９】
ダウンリンクデータ送信のために用いられる時間単位と、対応する確認情報をフィードバックするために用いられる時間単位との間の時間間隔が、本願においてＫ１時間単位として示される。具体的には、ダウンリンクデータが、ｎ番目の時間単位においてＰＤＳＣＨを用いて送信される場合、物理アップリンク共有チャネル（(Ｐｈｙｓｉｃａｌ  Ｕｐｌｉｎｋ  Ｓｈａｒｅｄ  Ｃｈａｎｎｅｌ、ＰＵＳＣＨ）または物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）を用いた確認情報の送信のために用いられる、対応する時間単位は、（ｎ＋Ｋ１）番目の時間単位である。現在のＬＴＥシステムにおいて、Ｋ１は４であり得る。
【００３０】
確認情報をフィードバックするために用いられる時間単位と、対応するデータ再送信のために用いられる時間単位との間の時間間隔が、本願においてＫ３時間単位として示される。具体的には、確認情報が、ＰＵＳＣＨまたはＰＵＣＣＨを用いてｎ番目の時間単位においてフィードバックされる場合、データ再送信を実行するために基地局により用いられる、対応する時間単位は、（ｎ＋Ｋ３）番目の時間単位である。現在のＬＴＥシステムにおいて、Ｋ３は４であり得る。
【００３１】
図２に示されるように、ＬＴＥにおいて、Ｋ０＝０、Ｋ１＝４、かつ、Ｋ３＝４である場合、連続的なダウンリンク送信を保証するために、必要とされる工程の数は８である。図３は、ＬＴＥ技術でのアップリンク通信の例示的な図を示す。
【００３２】
ＬＴＥでの既存のアップリンク通信は、例として用いられる。アップリンクスケジューリングのために用いられる時間単位と、対応するアップリンクデータ送信のために用いられる時間単位との間の時間間隔が、本願においてＫ２時間単位として示される。時間単位の定義については、図２における関連する説明が参照され得る。
【００３３】
具体的には、ダウンリンクスケジューリング情報が、ＰＤＣＣＨを用いてｎ番目の時間単位において送信される場合、ＰＵＳＣＨを用いたアップリンクデータ送信のために用いられる、対応する時間単位は、（ｎ＋Ｋ２）番目の時間単位である。
【００３４】
アップリンクデータ送信のために用いられる時間単位と、対応するアップリンクデータ再送信スケジューリングのために用いられる時間単位との間の時間間隔が、本願においてＫ４時間単位として示される。具体的には、アップリンクデータ送信が、ＰＵＳＣＨを用いてｎ番目の時間単位において実行される場合、ＰＤＣＣＨを用いたアップリンクデータ再送信のスケジューリングのために用いられる、対応する時間単位は、（ｎ＋Ｋ４）番目の時間単位である。
【００３５】
図３に示されるように、ＬＴＥにおいて、Ｋ２＝４、かつ、Ｋ４＝４である場合、連続的なアップリンク送信を保証するために、必要となる工程の数は８である。
【００３６】
現在、ＬＴＥにおいて、Ｋ０は０である。周波数分割複信（ＦＤＤ）モードでは、Ｋ１およびＫ２は４であり、時分割複信（ＴＤＤ）モードでは、Ｋ１およびＫ２は、固定値であり、具体的には、ＴＤＤのサブフレーム構成に基づいて決定され得る。ｋ３およびＫ４は主に、基地局の能力およびスケジューリングステータスに基づいて決定される。ＬＴＥにおけるＦＤＤモードでは、Ｋ３およびＫ４は４である。
【００３７】
前述のＫ０、Ｋ１、Ｋ２、Ｋ３およびＫ４の定義は、後続の進化型システムにおいて、改めて参照され得る。Ｋ０、Ｋ１、Ｋ２、Ｋ３およびＫ４は、本願において時系列と称される。
【００３８】
異なるサービスの異なる要件を満たすために、異なるキャリアと、用いられる時間単位との間のサブキャリア間隔は、異なり得る。構成されるサブキャリア間隔は異なり、スロットまたはミニスロットに基づいて構成される送信は異なり、構成されるスロット番号、ミニスロット番号およびシンボル番号は異なる。これにより、異なる時間単位が生じ得る。同じキャリア上でのアップリンク送信およびダウンリンク送信のために用いられる時間単位も異なり得る。この場合、基地局とユーザ機器との間の正常な通信を保証するために時系列をどのように決定するかは、解決する必要がある課題である。
【００３９】
本明細書の全ての実施形態は、異なる時間単位を用いて説明される。また、異なる時間単位は、本明細書の全ての実施形態を説明するために、異なるサブキャリア間隔、異なるシンボル番号または異なるキャリアパラメータヌメロロジーと置き換えられ得る。キャリアのキャリア構成パラメータ（ヌメロロジー）は、サブキャリア間隔、時間単位長、ＣＰタイプまたは同様のものを含み得る。
【００４０】
従って、本願の実施形態は、無線通信方法を提供する。方法は、基地局またはユーザ機器などのネットワーク側デバイスにより実行され得る。
【００４１】
制御情報を送信するために用いられる時間単位が、データを送信するために用いられる時間単位とは異なる場合、時系列が同じ時間単位に基づいて決定される。
【００４２】
構成されるサブキャリア間隔、または用いられる時間単位が異なる場合、ロバスト性を改善し、基地局とユーザ機器との間の正常な通信を保証し、かつ、システム設計を簡略化すべく、均一な時系列が、基本単位として用いられる同じ時間単位に基づいて決定され得る。同じ時間単位に基づくことは、同じ時間単位に基づくこと、同じ時間単位原理に基づくこと、または同じタイミング基準に基づくこととして理解され得る。
【００４３】
制御情報は、送信されるデータに関連する。具体的には、制御情報は、ダウンリンクスケジューリング情報（例えば、ＤＣＩ）であり、ＰＤＣＣＨを用いて送信され、当該データは、ダウンリンクスケジューリング情報に対応するダウンリンクデータであり、ＰＤＳＣＨを用いて送信される。代替的に、当該データは、ダウンリンクデータであり、ＰＤＣＣＨを用いて送信され、制御情報は、アップリンク制御情報であり、ＰＵＳＣＨまたはＰＵＣＣＨを用いて送信され、例えば、制御情報は、肯定応答（ＡＣＫ）メッセージまたは否定応答（ＮＡＣＫ）メッセージなどの確認情報であり得る。代替的に、制御情報は、ダウンリンク制御情報（ＤＣＩ）であり、ＰＤＣＣＨを用いて送信され、当該データは、ダウンリンク制御情報を用いてスケジューリングされるアップリンクデータであり、ＰＵＳＣＨを用いて送信される。すなわち、制御情報は、データをスケジューリングするための制御情報または当該データに対応するフィードバック情報であり得る（再送信が実行され得るかどうかを決定するために用いられ、例えば、ＡＣＫメッセージまたはＮＡＣＫメッセージなどの確認情報であり得る）。制御情報、データおよび対応するチャネルの後続の説明については、本セクションが参照され得る。このことは、本願において限定されない。
【００４４】
時系列が、同じ時間単位に基づいて決定される。代替的に、時系列が、同じ時間単位原理に基づいて、または同じタイミング基準に基づいて決定される。複数の時系列が、同じ単位に基づいて決定され得る。複数の時系列は、第１の時系列であり得る。第１の時系列は、Ｋ０であり得て、ＰＤＣＣＨを送信するための時間単位とＰＤＳＣＨを送信するための時間単位との間の時間関係を示すために用いられる。すなわち、基地局が時間単位ｎにおいてダウンリンクスケジューリング情報を送信する場合、ダウンリンクスケジューリング情報は、ＤＣＩ情報であり得て、対応するダウンリンクデータがその後、時間単位ｎ＋Ｋ０において送信される。代替的に、複数の時系列は、同じ時間単位に基づいて決定され得る。複数の時系列は、第２の時系列を含み得る。第２の時系列は、Ｋ１であり得ると共に、ＰＤＳＣＨを送信するための時間単位とＰＵＳＣＨまたはＰＵＣＣＨを送信するための時間単位との間の時間関係を示すために用いられる。すなわち、基地局が時間単位ｎにおいてダウンリンクデータを送信する場合、ダウンリンクデータに対応するアップリンクフィードバック情報（ＡＣＫメッセージまたはＮＡＣＫメッセージ）が時間単位ｎ＋Ｋ１において送信される。
【００４５】
複数の時系列は、同じ時間単位に基づいて決定され得る。複数の時系列は、第３の時系列であり得る。第３の時系列は、Ｋ２であり得ると共に、ＰＤＣＣＨ送信とＰＵＣＳＨ送信との間の時間関係を示すために用いられる。すなわち、基地局が時間単位ｎにおいてダウンリンクスケジューリング情報（ＤＣＩであり得る）を送信する場合、対応するアップリンクデータは、時間単位ｎ＋Ｋ２において送信される。任意選択的に、Ｋ３またはＫ４はさらに、同じ時間単位に基づいて決定され得る。
【００４６】
Ｋ０、Ｋ１、Ｋ２、Ｋ３およびＫ４は、本願の本実施形態における説明のために引き続き用いられ得るが、時系列の名前は、限定されないか、または別の形式で表現され得ることに留意されたい。
【００４７】
加えて、ＰＤＣＣＨは、時間単位全体を完全には占有し得ないことに留意されたい。例えば、ＬＴＥにおける１つの時間単位は、１４個のシンボルでの１ｍｓであり、ＰＤＣＣＨは通常、１個から３個のシンボルのみを占有する。同様に、ＰＤＳＣＨ、ＰＵＳＣＨおよびＰＵＣＣＨは、時間単位全体を完全には占有し得ない。別のシステムにおいて、前述のチャネルの名前は、異なり得る。例えば、ＮＲは、ＮＲ−ＰＤＣＣＨ、ＮＲ−ＰＤＳＣＨ、ＮＲ−ＰＵＳＣＨおよびＮＲ−ＰＵＣＣＨであり得る。このことは、本明細書において限定されない。
【００４８】
従って、時系列が、同じ時間単位に基づいて決定される。これにより、ロバスト性が改善され、システム設計が簡略化され得る。
【００４９】
さらに、前述の複数の時系列は、同じタイミング基準に基づいて決定される。例えば、時系列は、制御情報を送信するために用いられる時間単位に基づいて決定され得るか、または、データを送信するために用いられる時間単位に基づいて決定され得るか、あるいは、制御情報を送信するために用いられる時間単位と、データを送信するために用いられる時間単位とのうちより長い時間単位に基づいて決定され得るか、または、制御情報を送信するために用いられる時間単位と、データを送信するために用いられる時間単位とのうちより短い時間単位に基づいて決定され得る。代替的に、時系列は、１ｍｓまたは７個のシンボルであり得る基準時間間隔に基づいて決定される。このことは、本願において限定されない。代替的に、時系列は、ソース時間単位に基づいて決定され得る。第１の時系列（ＰＤＣＣＨとＰＤＳＣＨとの間の時間関係）には、ＰＤＣＣＨを送信するための時間単位が、タイミング基準またはタイミング単位として用いられる。第３の時系列（ＰＤＣＣＨとＰＵＳＣＨとの間の時間関係）には、ＰＤＣＣＨを送信するための時間単位が、タイミング基準またはタイミング単位として用いられる。第２の時系列（ＰＤＳＣＨとＰＵＳＣＨ／ＰＵＣＣＨとの間の時間関係）には、ＰＤＣＣＨを送信するための時間単位が、タイミング基準またはタイミング単位として用いられる。代替的に、時系列は、ターゲット時間単位に基づいて決定され得て、例えば、第１の時系列Ｋ０（ＰＤＣＣＨとＰＤＳＣＨとの間の時間関係）には、ＰＤＣＣＨを送信するための時間単位が、タイミング基準またはタイミング単位として用いられ、第３の時系列Ｋ２（ＰＤＣＣＨとＰＵＳＣＨとの間の時間関係）には、ＰＵＣＣＨを送信するための時間単位が、タイミング基準またはタイミング単位として用いられ、Ｋ１（ＰＤＳＣＨとＰＵＳＣＨ／ＰＵＣＣＨとの間の時間関係）には、ＰＵＳＣＨ／ＰＵＣＣＨを送信するための時間単位が、タイミング基準またはタイミング単位として用いられる。代替的に、時系列は、データを送信するために用いられる時間単位に基づいて決定され、例えば、第１の時系列Ｋ０（ＰＤＣＣＨとＰＤＳＣＨとの間の時間関係）には、ＰＤＣＣＨを送信するための時間単位が、タイミング基準またはタイミング単位として用いられ、第３の時系列Ｋ２（ＰＤＣＣＨとＰＵＳＣＨとの間の時間関係）には、ＰＵＣＣＨを送信するための時間単位が、タイミング基準またはタイミング単位として用いられ、第２の時系列Ｋ１（ＰＤＳＣＨとＰＵＳＣＨ／ＰＵＣＣＨとの間の時間関係）には、ＰＤＣＣＨを送信するための時間単位が、タイミング基準またはタイミング単位として用いられる。従って、時系列が、同じ時間単位に基づいて決定される。すなわち、基地局と端末との間の通信の質を保証することによりロバスト性を改善すべく、時系列が、同じタイミング基準に基づいて決定される。
【００５０】
本願の実施形態において、基地局は、複数のセットをＵＥへ送信し得る。複数のセットは、１または複数のＫ０のセット、１または複数のＫ１のセット、１または複数のＫ２のセットおよび同様のものであり得る。基地局は、セット間の対応関係と、サブキャリア間隔および時間単位のうちの少なくとも１つをＵＥへ送信する。基地局はさらに、インジケーション情報をＵＥへ送信する。インジケーション情報は、時系列の値を示し得る。ＵＥは、前述の対応関係に基づいてセットを決定し、インジケーション情報に基づいて時系列の特定の値を決定し得る。従って、基地局は、複数の異なる時系列の値を送信し、ＵＥは、サブキャリア間隔または時間単位に基づいて異なるセットを決定し、さらに、インジケーション情報に基づいて時系列を決定する。これにより、異なるサブキャリアまたは異なる時間単位がスケジューリングされる場合、柔軟なスケジューリングが実行され得る。
【００５１】
本願の実施形態において、実施形態は、スケジューリングに関連する。Ｘ＞ＰＤＣＣＨの時間単位長とＰＤＳＣＨ／ＰＵＳＣＨの時間単位長の比＞１／Ｙであり、ＸおよびＹが正の整数である場合、基地局は、ＰＤＣＣＨおよび対応するＰＤＳＣＨまたはＰＵＳＣＨを構成する。任意選択的に、ＸおよびＹの両方は、２または４と等しい。代替的に、基地局は、ＰＤＣＣＨおよび対応するＰＤＳＣＨまたはＰＵＳＣＨを構成し、ＰＤＣＣＨおよび対応するＰＤＳＣＨまたはＰＵＳＣＨのサブキャリア間隔は、ＵＥによりサポートされるサブキャリア間隔である。例えば、ＵＥが１５ｋＨｚ、６０ｋＨｚおよび１２０ｋＨｚをサポートする場合、ＰＤＣＣＨおよび対応するＰＤＳＣＨまたはＰＵＳＣＨは、１５および６０を含む隣接する組み合わせまたは６０および１２０を含む隣接する組み合わせとして構成される。代替的に、ＵＥ用に構成されるか、またはアクティブ化される複数のキャリアが、少なくとも１つのキャリアグループに分類され、クロスキャリアスケジューリングおよび／またはキャリアアグリゲーションフィードバックが、当該キャリアグループにおいて実行され得る。
【００５２】
可能な実装において、１つのキャリアグループに含まれるキャリアは、同じサブキャリア間隔または同じ時間単位長を有する。すなわち、ネットワークデバイス（基地局など）は、同じサブキャリア間隔または同じ時間単位長を分割基準として用い、端末用に構成されるか、またはアクティブ化される複数のキャリアを少なくとも１つのキャリアグループに分類する。従って、このグループ化方式により、クロスキャリアスケジューリングまたはフィードバックが大きく簡略化され得る。加えて、別の可能な実装において、最大で１つのキャリアグループが、異なるサブキャリア間隔または異なる時間単位長を有するキャリアを含む。例えば、ネットワークデバイスは、まず、同じサブキャリア間隔または同じ時間単位長を分割基準として用い、端末用に構成される複数のキャリアを少なくとも１つのキャリアグループに分類し、次に、残りのキャリアを１つのキャリアグループとして用い得る。
【００５３】
可能な実装において、１つのキャリアグループに含まれるキャリアが、最大で２つの異なるタイプのサブキャリア間隔または時間単位長構成を有する。すなわち、ネットワークデバイスにより各キャリアグループに割り当てられるキャリアに最大で２つの異なるタイプのサブキャリア間隔または時間単位長構成が存在することにより、クロスキャリアスケジューリングまたはフィードバックの複雑性が簡略化される。これにより、当該キャリアにおける極めて大量のタイプのサブキャリア間隔または時間単位長構成に起因する、クロスキャリアスケジューリングおよびフィードバックの比較的高い複雑性が回避される。
【００５４】
さらに、任意選択的に、１つのキャリアグループに含まれるキャリアが、最大で２つの異なるタイプのサブキャリア間隔または時間単位長構成を有する。これら２つの異なるタイプのサブキャリア間隔または時間単位長構成は、端末またはシステムによりサポートされる２つのタイプの隣接するキャリア間隔または時間単位長である。例えば、サブキャリア間隔が１５ｋＨｚ、６０ｋＨｚおよび１２０ｋＨｚとして構成されるキャリアが存在する。サブキャリア間隔が１５ｋＨｚおよび６０ｋＨｚとして構成されるキャリアは、１つのグループに分類されるが、サブキャリア間隔が１５ｋＨｚおよび１２０ｋＨｚとして構成されるキャリアは、１つのグループに分類され得ない。
【００５５】
本願の実施形態において、実施形態は、フィードバックに関連する。Ｘ＞ＰＤＳＣＨの時間単位長とＰＵＣＣＨ／ＰＵＳＣＨの時間単位長の比＞１／Ｙであり、ＸおよびＹが正の整数である場合、基地局は、ＰＤＳＣＨおよび対応するＰＵＣＣＨまたはＰＵＳＣＨを構成する。任意選択的に、ＸおよびＹの両方は、２または４と等しい。基地局は、ＰＤＳＣＨおよび対応するＰＵＣＣＨまたはＰＵＳＣＨを構成し、ＰＤＳＣＨおよび対応するＰＵＣＣＨまたはＰＵＳＣＨのサブキャリア間隔は、ＵＥによりサポートされる隣接するサブキャリア間隔である。例えば、ＵＥが１５ｋ、６０ｋおよび１２０ｋをサポートする場合、１５および６０を含む隣接する組み合わせまたは６０および１２０を含む隣接する組み合わせが構成されるが、１５および１２０を含む組み合わせは、構成され得ない。基地局がキャリアを分類する場合、最大で１つのグループが、異なるサブキャリア間隔または時間単位長を有するキャリア、例えば、４つのグループに分類される１０個のキャリアを含む。グループ化は、サブキャリア間隔または時間単位長が同じであるかどうかに基づいて実行される。残りの異なるサブキャリア間隔または時間単位長が、１つのグループに分類される。基地局がキャリアを分類する場合、各グループは、異なるサブキャリア間隔または時間単位長を有する最大で２つのキャリアを含む。
【００５６】
送信時間単位は、サブフレームおよび送信時間間隔であり得る（１つの送信時間間隔がいくつかのサブフレームの長さの和と等しいか、または、いくつかの送信時間間隔の和が１つのサブフレームの長さと等しい）か、または、１つの時間領域シンボル、複数の時間領域シンボル、１つのスロット（ｓｌｏｔ）、複数のスロットのアグリゲーション、１つのミニスロット（ｍｉｎｉ−ｓｌｏｔ）、複数のミニスロットのアグリゲーションまたはミニスロットとスロットとのアグリゲーション、または同様のものであり得ることに留意されたい。サブキャリア間隔は、１５ｋＨｚ×２＾ｎであり得る（ｎは正の整数である）。すなわち、サブキャリア間隔は、１５ｋＨｚ、３０ｋＨｚまたは同様のものである。送信時間単位は、サブキャリア間隔およびシンボル番号により決定される。構成されるサブキャリア間隔またはスロット番号、ミニスロット番号およびシンボル番号は、異なる時間単位を生じ得る。従って、本明細書の全ての実施形態における送信時間単位に関連する構成解決手段または説明は、サブキャリア間隔に関連する構成解決手段または説明と置き換えられ得る。
【００５７】
以下では、異なる時間単位または異なるサブキャリア間隔の実施形態を参照して説明を提供する。以下の実施形態は、基地局またはユーザ機器により実行され得る。図４は、本願による実施形態の例示的な図を示す。
【００５８】
図４に示されるように、制御情報を送信するために用いられる時間単位は、データを送信するために用いられる時間単位よりも大きい。図４に示されるように、キャリア１の第１の時間単位が、ＰＤＣＣＨを送信するために用いられ、キャリア２の時間単位が、対応するＰＤＳＣＨを送信するために用いられ得る。図４における第１の列が、キャリア１により用いられる時間単位を示し、第２の列が、キャリア２により用いられる時間単位を示す。
【００５９】
本願における時間単位は、送信のための最小時間間隔であると共に、サブフレームであり得るか、または、１または複数の時間領域シンボル、１つのスロット（ｓｌｏｔ）もしくは複数のスロットのアグリゲーション、１つのミニスロット（ｍｉｎｉ−ｓｌｏｔ）もしくは複数のミニスロットのアグリゲーション、または同様のものであり得る。ここでは、キャリア１により用いられる時間単位は、キャリア２により用いられる時間単位よりも大きい。サブキャリア間隔は、１５ｋＨｚ×２＾ｍであり得る（ｍは正の整数である）。すなわち、サブキャリア間隔は、１５ｋＨｚ、３０ｋＨｚおよび同様のものである。送信時間単位が、サブキャリア間隔およびシンボル数により決定される。従って、本願の本実施形態における送信時間単位に関連する構成解決手段または説明は、サブキャリア間隔に関連する構成解決手段または説明と置き換えられ得る。ここで、キャリア１により用いられる時間単位は、キャリア２により用いられる時間単位よりも大きく、または、キャリア１により用いられるサブキャリア間隔は、キャリア２により用いられるサブキャリア間隔よりも小さい。
【００６０】
本願の実施形態において、より短い時間単位が、時系列を決定するための基本的な時間単位として用いられる。本願において、ＰＤＣＣＨは、ダウンリンクスケジューリングを実行するために用いられ、ＰＤＳＣＨは、ダウンリンクデータ送信を実行するために用いられる。ＰＤＣＣＨを送信するために用いられる時間単位とＰＤＳＣＨを送信するために用いられる時間単位との間の時間関係が、Ｋ０として示される。この場合において、より短い時間単位が基本的な時間単位として用いられるときは、Ｋ０は、０、１、２…または５であり得る。このことは、本願において限定されない。図５は、本願による実施形態の例示的な図を示す。
【００６１】
図５に示されるように、制御情報を送信するために用いられる時間単位は、データを送信するために用いられる時間単位よりも小さい。図５に示されるように、キャリア１の第１の時間単位が、ＰＤＣＣＨをスケジューリングするために用いられ、キャリア２の時間単位が、対応するＰＤＳＣＨをスケジューリングするために用いられ得る。図５に示されるように、ＰＤＣＣＨをスケジューリングするために用いられる２つの時間単位は、ＰＤＳＣＨをスケジューリングするために用いられ得る時間単位と揃えられる。
【００６２】
本願の実施形態において、より短い時間単位が、時系列を決定するための基本的な時間単位として用いられる。
【００６３】
本願において、ＰＤＣＣＨは、ダウンリンクスケジューリングを実行するために用いられ、ＰＤＳＣＨは、対応するダウンリンクデータ送信を実行するために用いられ、ＰＤＣＣＨを送信するために用いられる時間単位とＰＤＳＣＨを送信するために用いられる時間単位との間の時間関係はＫ０である。より短い時間単位が基本的な時間単位として用いられる場合、より短い時間単位とダウンリンクスケジューリングのための時間単位との間の時間間隔に基づいて、ＰＤＳＣＨをスケジューリングするために用いられる、ＰＤＣＣＨにより用いられる時間単位から１以下の距離にある時間単位である時間単位が、０番目の時間単位として用いられ、対応するＫ０は、０、２または４であり得る。図６は、本願による実施形態の例示的な図を示す。
【００６４】
図６と図５との間の違いは、ＰＤＣＣＨを送信するために用いられる時間単位の位置が既に、キャリア２により用いられる対応する時間単位Ａの後半にあることである（Ｍ個のより短い時間単位が１個のより長い時間単位（時間単位Ａ）と揃えられ、ＰＤＣＣＨを送信するために用いられる時間単位がＭ個のより短い時間単位のｉ番目の時間単位であると仮定する。ｉ＞１であり、後続の実施形態における対応する部分については、ここでの説明が参照され得る）。この場合、対応するＰＤＳＣＨにより用いられる時間単位は、時間単位Ａの次の時間単位であり得る。任意選択的に、より短い時間単位が基本的な時間単位として用いられる場合、時間単位Ａの次の時間単位とＰＤＣＣＨを送信するために用いられる時間単位との間の距離が、１個のより短い時間単位である。この場合、時間単位Ａの次の時間単位のＫ０が１として示され、次の１個の時間単位のＫ０が３として示され得て、以下の時間単位のＫ０が２だけ連続的に増やされ、残りは、類推により推定され得る。本実施形態において、ＰＤＳＣＨをスケジューリングするために用いられ得る時間単位のＫ０は、１または３である。このことは、本願において限定されない。
【００６５】
代替的に、ＰＤＣＣＨを送信するために用いられる時間単位が既に時間単位Ａの後半にあるので、ここで時間単位Ａをスケジューリングすることは、既に比較的困難である。時間単位Ａの次の時間単位のＫ０が０として示され、次の１個の時間単位のＫ０が２として示され得て、以下の時間単位のＫ０が２だけ連続的に増やされ、残りは、類推により推定され得る。本実施形態において、ＰＤＳＣＨをスケジューリングするために用いられ得る時間単位のＫ０は、０または２である。このことは、本願において限定されない。図７は、本願による実施形態の例示的な図を示す。
【００６６】
図７に示されるように、制御情報を送信するために用いられる時間単位は、データを送信するために用いられる時間単位よりも大きい。図７に示されるように、キャリア１の第１の時間単位が、ＰＤＣＣＨを送信するために用いられ、キャリア２の時間単位が、対応するＰＤＳＣＨを送信するために用いられ得る。ここで、キャリア１により用いられる時間単位は、キャリア２により用いられる時間単位よりも大きい。ＰＤＣＣＨをスケジューリングするために用いられる２つの時間単位は、ＰＤＳＣＨをスケジューリングするために用いられ得る時間単位と揃えられる。
【００６７】
本願において提供される実施形態において、より長い時間単位が、時系列を決定するための基本的な時間単位として用いられる。
【００６８】
本願において、ＰＤＣＣＨは、ダウンリンクスケジューリングを実行するために用いられ、ＰＤＳＣＨは、対応するダウンリンクデータ送信を実行するために用いられ、ＰＤＣＣＨを送信するために用いられる時間単位とＰＤＳＣＨを送信するために用いられる時間単位との間の時間関係はＫ０として示される。より長い時間単位が基本的な時間単位として用いられる場合、より長い時間単位とダウンリンクスケジューリングのための時間単位との間の時間間隔に基づいて、ＰＤＳＣＨをスケジューリングするために用いられる、ＰＤＣＣＨにより用いられる時間単位と共に１個の時間範囲内にある時間単位が、０番目の時間単位として用いられ、対応するＫ０は、０、０、１、１、２または２であり得て、残りは、類推により推定され得る。このことは、本願において限定されない。図８は、本願による実施形態の例示的な図を示す。
【００６９】
本実施形態において、制御情報を送信するために用いられる時間単位は、データを送信するために用いられる時間単位よりも小さい。図８に示されるように、キャリア１の第１の時間単位が、ＰＤＣＣＨをスケジューリングするために用いられ、キャリア２の時間単位が、対応するＰＤＳＣＨをスケジューリングするために用いられ得る。図８に示されるように、ＰＤＣＣＨをスケジューリングするために用いられる２つの時間単位は、ＰＤＳＣＨをスケジューリングするために用いられ得る時間単位と揃えられる。
【００７０】
本願の実施形態において、より長い時間単位が、時系列を決定するための基本的な時間単位として用いられる。
【００７１】
本願において、ＰＤＣＣＨは、ダウンリンクスケジューリングを実行するために用いられ、ＰＤＳＣＨは、対応するダウンリンクデータ送信を実行するために用いられ、ＰＤＣＣＨを送信するために用いられる時間単位とＰＤＳＣＨを送信するために用いられる時間単位との間の時間関係はＫ０である。より長い時間単位が基本的な時間単位として用いられる場合、より長い時間単位とＰＤＣＣＨを送信するために用いられる時間単位との間の時間間隔に基づいて、ＰＤＳＣＨを送信するために用いられ得る、ＰＤＣＣＨにより用いられる時間単位から１以下のより長い時間単位の距離にある時間単位（図における時間単位Ａ）のＫ０は０であり、次の時間単位のＫ０は１であり、類推により、Ｋ０の値が１だけ連続的に増やされ、または、ＰＤＳＣＨを送信するために用いられ得る、ＰＤＣＣＨを送信するために用いられる時間単位から１以下のより長い時間単位の距離にある時間単位のＫ０は０である。すなわち、時間単位Ａの後の第１の時間単位のＫ０は０であり、後続の時間単位のＫ０は１であり、類推により、Ｋ０の値が１だけ連続的に増やされる。
【００７２】
図９は、本願による実施形態の例示的な図を示す。
【００７３】
図９と図８との間の違いは、ＰＤＣＣＨを送信するために用いられる時間単位の位置が既に、キャリア２により用いられる時間単位Ａの後半にあることである（Ｍ個のより短い時間単位が１個のより長い時間単位（時間単位Ａ）と揃えられ、ＰＤＣＣＨを送信するために用いられる時間単位がＭ個のより短い時間単位のｉ番目の時間単位であると仮定する。ｉ＞１である）。この場合において、より長い時間単位が、時系列を決定するための基本的な時間単位として用いられるときは、ＰＤＳＣＨを送信するために用いられる対応する時間単位とＰＤＣＣＨを送信するために用いられる時間単位との間の距離が１以下のより長い時間単位である場合の時間単位である時間単位のＫ０が、０として示される。すなわち、図９において、時間単位Ａの後の第１の時間単位のＫ０が、０として示され、後続の時間単位のＫ０が１であり、後続の時間単位のＫ０が、１だけ連続的に増やされ、残りは、類推により推定され得る。本実施形態において、ＰＤＳＣＨを送信するために用いられ得る時間単位のＫ０は、０または１であり得る。
【００７４】
代替的に、より長い時間単位が基本的な時間単位として用いられ、図９において、時間単位ＡとＰＤＣＣＨを送信するために用いられる時間単位との間の時間間隔は、１以下のより長い時間単位である。この場合、ＡのＫ０が１として示され、後続の時間単位のＫ０が１だけ連続的に増やされ、残りは、類推により推定され得る。本実施形態において、ＰＤＳＣＨを送信するために用いられ得る時間単位のＫ０は、０、１または２であり得る。
【００７５】
本願はさらに、実施形態を提供する。本実施形態において、制御情報を送信するために用いられる時間単位の長さは、データを送信するために用いられる時間単位のものとは異なる。本実施形態において、制御情報は、ダウンリンクスケジューリング情報を送信するために用いられ得るＰＤＣＣＨを用いて送信される。ダウンリンクスケジューリング情報は、アップリンクスケジューリングを実行するために用いられ、例えば、ＤＣＩ情報である。データは、対応するアップリンクデータ送信を実行するために用いられるＰＵＳＣＨを用いて送信される。この場合、アップリンクスケジューリングのために用いられる時間単位とアップリンクデータ送信およびダウンリンクデータ送信のために用いられる時間単位との間の間隔が依然として、時系列Ｋ２として示され得る。より短い時間単位またはより長い時間単位を、前述の実施形態における時系列を決定するための基本的な時間単位として用いることについての説明が参照され得る。
【００７６】
本願はさらに、実施形態を提供する。本実施形態において、制御情報を送信するために用いられる時間単位の長さは、データを送信するために用いられる時間単位のものとは異なる。本実施形態において、データチャネルが、ダウンリンクデータを送信するために用いられるＰＤＳＣＨである。制御情報は、ダウンリンクデータのためにフィードバックされ得る確認情報、例えば、ダウンリンクデータに対応する肯定応答（Ａｃｋｎｏｗｌｅｄｇｍｅｎｔ、ＡＣＫ）情報または否定応答（Ｎｅｇａｔｉｖｅ−Ａｃｋｎｏｗｌｅｄｇｍｅｎｔ、ＮＡＣＫ）情報である。制御情報は、ＰＵＳＣＨまたはＰＵＣＣＨを用いて送信される。この場合、制御情報を送信するために用いられる時間単位とデータを送信するために用いられる時間単位との間の時間関係が、Ｋ１として示され得る。より短い時間単位またはより長い時間単位を、前述の実施形態における時系列を決定するための基本的な時間単位として用いることについての説明が参照され得る。以下では、ダイアグラムを参照して説明を提供する。図１０は、本願の実施形態による例示的な図を示す。
【００７７】
本実施形態において、ＰＤＳＣＨは、ダウンリンクデータを送信するために用いられ、ＰＵＳＣＨまたはＰＵＣＣＨは、制御情報を送信するために用いられ、データを送信するために用いられる時間単位は、制御情報を送信するために用いられる時間単位よりも大きい。図１０に示されるように、データを送信するために用いられる時間単位は、制御情報を送信するために用いられる２つの時間単位と揃えられる。本実施形態において、より短い時間単位が、時系列Ｋ１を決定するための基本的な時間単位として用いられる。本実施形態におけるより短い時間単位は、制御情報を送信するために用いられる時間単位である。
【００７８】
任意選択的に、スケジューリングされる可能性があるＰＵＳＣＨまたはＰＵＣＣＨにより用いられる第１の時間単位と、データを送信するために用いられる時間単位との間の距離が１よりも小さい場合、第１の時間単位のＫ１は１であり、後続の時間単位のＫ１が１だけ連続的に増やされる。
【００７９】
任意選択的に、スケジューリングされる可能性があるＰＵＳＣＨまたはＰＵＣＣＨにより用いられる第２の時間単位と、データを送信するために用いられる時間単位との間の距離が１よりも小さい場合、第１の時間単位のＫ１は１であり、後続の時間単位のＫ１が１だけ連続的に増やされる。図１１は、本願の実施形態による例示的な図を示す。
【００８０】
本実施形態において、ＰＤＳＣＨは、ダウンリンクデータを送信するために用いられ、ＰＵＳＣＨまたはＰＵＣＣＨは、制御情報を送信するために用いられ、データを送信するために用いられる時間単位は、制御情報を送信するために用いられる時間単位よりも小さい。具体的には、図１１に示されるように、データを送信するために用いられる２つの時間単位は、制御情報を送信するために用いられる時間単位と揃えられる。本願の本実施形態において、より短い時間単位が、時系列Ｋ１を決定するための基本的な時間単位として用いられる。本実施形態において、より短い時間単位は、データを送信するために用いられる時間単位である。
【００８１】
図１１に示されるように、スケジューリングされる可能性があるＰＵＳＣＨまたはＰＵＣＣＨにより用いられる第１の時間単位のＫ１は０であり、後続の時間単位のＫ１が２だけ連続的に増やされる。図１２は、本願の実施形態による例示的な図を示す。
【００８２】
図１２と図１１との間の違いは、ダウンリンクデータを送信するために用いられる時間単位が既に、キャリア２により用いられる時間単位Ａの後半にあることである。この場合において、より短い時間単位が、時系列を決定するための時間単位として用いられるときは、時間単位Ａの時系列Ｋ１は０であり得て、時間単位Ａの後の第１の時間単位の時系列Ｋ１は１であり、後続の時間単位のＫ１が２だけ連続的に増やされ、残りは、類推により推定され得る、または、時間単位Ａの後の第１の時間単位の時系列Ｋ１は０であり、後続の時間単位のＫ１が２だげ連続的に増やされ、残りは、類推により推定され得る。図１３は、本願の実施形態による例示的な図を示す。
【００８３】
本実施形態において、ＰＤＳＣＨは、ダウンリンクデータを送信するために用いられ、ＰＵＳＣＨまたはＰＵＣＣＨは、制御情報を送信するために用いられる。データを送信するために用いられる時間単位は、制御情報を送信するために用いられる時間単位よりも大きい。図１３に示されるように、データを送信するために用いられる時間単位は、制御情報を送信するために用いられる２つの時間単位と揃えられる。
【００８４】
本実施形態において、より長い時間単位が、時系列Ｋ１を決定するための基本的な時間単位として用いられる。本実施形態において、より長い時間単位は、データを送信するために用いられる時間単位である。ＰＵＳＣＨまたはＰＵＣＣＨを送信し得る第１の時間単位および第２の時間単位と、ダウンリンクデータを送信するために用いられる時間単位との間の間隔は、１よりも小さいより長い時間単位である。この場合、第１の時間単位および第２の時間単位のＫ１は１である。第３の時間単位とダウンリンクデータを送信するために用いられる時間単位との間の間隔は、１つのより長い時間単位であり、第４の時間単位とダウンリンクデータを送信するために用いられる時間単位との間の間隔は、２つのより長い時間単位よりも小さい。この場合、第３の時間単位および第４の時間単位のＫ１は２であり、残りは類推により推定され得る。図１４は、本願による実施形態の例示的な図を示す。
【００８５】
本実施形態において、ＰＤＳＣＨは、ダウンリンクデータを送信するために用いられ、ＰＵＳＣＨまたはＰＵＣＣＨは、制御情報を送信するために用いられ、データを送信するために用いられる時間単位は、制御情報を送信するために用いられる時間単位よりも小さい。具体的には、図１１に示されるように、データを送信するために用いられる２つの時間単位は、制御情報を送信するために用いられる時間単位と揃えられる。本願の本実施形態において、より長い時間単位が、基本的な時間単位として用いられる。すなわち、制御情報を送信するために用いられる時間単位は、基本的な時間単位として用いられる。
【００８６】
任意選択的に、時間単位ＡとＰＤＳＣＨを送信するために用いられる時間単位との間の間隔は、より長い時間間隔よりも小さく、ＡのＫ１は０であり得て、後続の時間単位のＫ１が１だけ連続的に増やされ、残りは、類推により推定され得る。
【００８７】
代替的に、時間単位Ａの後の第１の時間単位のＫ１は０であり、後続の時間単位のＫ１が１だげ連続的に増やされ、残りは、類推により推定され得る。図１５は、本願による実施形態の例示的な図を示す。
【００８８】
図１５と図１４との間の違いは、ダウンリンクデータを送信するために用いられる時間単位が既に、キャリア２により用いられる時間単位Ａの後半にあることである。この場合、より長い時間単位が、時系列を決定するための時間単位として用いられる。
【００８９】
時間単位Ａの後の第１の時間単位とＰＤＳＣＨを送信するために用いられる時間単位との間の距離が１つのより長い時間単位よりも小さいので、Ｋ１は、Ａが０である後の第１の時間単位であり、次に、１だけ連続的に増やされる。代替的に、時間単位ＡのＫ１は０であり、次に、Ｋ１は１だげ連続的に増やされる。
【００９０】
本願はさらに、実施形態を提供し、ターゲット時間単位が、時系列を決定するための基本的な時間単位として用いられる。例えば、Ｋ０（ＰＤＣＣＨとＰＤＳＣＨとの間の時間関係）には、ＰＤＳＣＨを送信するために用いられる時間単位が、タイミング基準またはタイミング単位として用いられ、Ｋ２（ＰＤＣＣＨとＰＵＳＣＨとの間の時間関係）には、ＰＵＳＣＨを送信するために用いられる時間単位が、タイミング基準またはタイミング単位として用いられ、Ｋ１（ＰＤＳＣＨとＰＵＳＣＨ／ＰＵＣＣＨとの間の時間関係）には、ＰＵＳＣＨ／ＰＵＣＣＨを送信するために用いられる時間単位が、タイミング基準またはタイミング単位として用いられる。すなわち、図４から図９における実施形態において、ＰＤＳＣＨを送信するために用いられる時間単位は、基本的な時間単位として用いられ、図１０から図１５における実施形態において、ＰＵＳＣＨまたはＰＵＣＣＨを送信するために用いられる時間単位は、基本的な時間単位として用いられる。
【００９１】
本願はさらに、実施形態を提供し、ソース時間単位が、時系列を決定するための基本的な時間単位として用いられる。例えば、Ｋ０（ＰＤＣＣＨとＰＤＳＣＨとの間の時間関係）には、ＰＤＣＣＨを送信するために用いられる時間単位が、タイミング基準またはタイミング単位として用いられ、Ｋ２（ＰＤＣＣＨとＰＵＳＣＨとの間の時間関係）には、ＰＤＣＣＨを送信するために用いられる時間単位が、タイミング基準またはタイミング単位として用いられ、Ｋ１（ＰＤＳＣＨとＰＵＳＣＨ／ＰＵＣＣＨとの間の時間関係）には、ＰＤＳＣＨを送信するために用いられる時間単位が、タイミング基準またはタイミング単位として用いられる。すなわち、図４から図９における実施形態において、ＰＤＣＣＨを送信するために用いられる時間単位は、基本的な時間単位として用いられ、図１０から図１５における実施形態において、ＰＤＳＣＨを送信するために用いられる時間単位は、基本的な時間単位として用いられる。
【００９２】
本願はさらに、実施形態を提供し、データを送信するために用いられる時間単位が、時系列を決定するための基本的な時間単位として用いられる。例えば、Ｋ０（ＰＤＣＣＨとＰＤＳＣＨとの間の時間関係）には、ＰＤＣＣＨを送信するために用いられる時間単位が、タイミング基準またはタイミング単位として用いられ、Ｋ１（ＰＤＳＣＨと対応するＰＵＳＣＨまたはＰＵＣＣＨとの間の時間関係）には、ＰＤＳＣＨを送信するために用いられる時間単位が、タイミング基準またはタイミング単位として用いられる。すなわち、図４から図９における実施形態において、ＰＤＣＣＨを送信するために用いられる時間単位は、基本的な時間単位として用いられる。制御チャネルＰＤＣＣＨを送信するために用いられる時間単位＜データチャネルＰＤＳＣＨを送信するために用いられる時間単位である場合、データチャネルの時間単位（より長い時間単位）をタイミング基準またはタイミング単位として用いることには、制御チャネルの時間単位（より短い時間単位）をタイミング基準またはタイミング単位として用いることよりも低いインジケーションオーバヘッドがある。Ｍ個のより短い時間単位が１つのより長い時間単位と揃えられると仮定するので、Ｍ個のより短い時間単位と、同じより長い時間単位との間の間隔Ｋ０は、等しい（注：より短い時間単位がタイミング用に用いられる場合、Ｋ０の値は、等しくない。第１のより短い時間単位とより長い時間単位との間の間隔は、Ｋ０＝Ｘ個のより短い時間単位と仮定する。この場合、第２のより短い時間単位とより長い時間単位との間の間隔は、Ｋ０＝Ｘ＋１個のより短い時間単位であり、Ｍ番目のより短い時間単位とより長い時間単位との間の間隔は、Ｋ０＝Ｘ＋Ｍ個のより短い時間単位である。以下の説明では、必要とされるＫ０セットのサイズは大きく、ＤＣＩインジケーションフィールドの必要とされるビット数は大きい）。加えて、制御チャネルの時間単位（より短い時間単位）をタイミング基準またはタイミング単位として用いるときの値と比較して、Ｋ０の値は、より小さく、Ｋ０の値は、比較的小さく、インジケーション絶対時間範囲が与えられる場合、Ｋ０の値の変動は、比較的小さい（このように、以下の説明では、Ｋ０セットのサイズが小さく、ＤＣＩインジケーションフィールドのビットの数も小さい）。制御チャネルＰＤＣＣＨを送信するために用いられる時間単位＞データチャネルＰＤＳＣＨを送信するために用いられる時間単位である場合、データチャネルの時間単位（より短い時間単位）をタイミング基準またはタイミング単位として用いると、制御チャネルの時間単位（より長い時間単位）をタイミング基準またはタイミング単位として用いるよりも小さいスケジューリングレイテンシ、例えば、Ｋ０＝２になる。データチャネルの時間単位が用いられる場合、スケジューリングレイテンシは、２つのより短い時間単位であり、または、制御チャネルの時間単位が用いられる場合、スケジューリングレイテンシは、２つのより長い時間単位である。さらに、システム設計を簡略化するために、Ｋ１には、Ｋ０と同じタイミング基準を用い得る。データ送信の時間単位は、基本的な時間単位として用いられる。これは、ＰＤＣＣＨを送信するために用いられる時間単位がＰＤＳＣＨを送信するために用いられる時間単位と置き換えられた後に決定される時間関係として理解され得る。さらに、Ｋ２（ＰＤＣＣＨとＰＵＳＣＨとの間の時間関係）には、ＰＵＳＣＨを送信するための時間単位が、タイミング基準またはタイミング単位として用いられる。図１０から図１５における実施形態において、ＰＵＳＣＨを送信するために用いられる時間単位は、基本的な時間単位として用いられる。
【００９３】
前述の本願の実施形態は、時系列決定方法を提供する。本願はその後、基地局と端末との間の時系列通信プロシージャを説明する。時系列の決定および他の関連する内容については、前述の実施形態における説明が参照され得る。図１６に示されるように、本願は、実施形態の概略フローチャートを提供する。
【００９４】
Ｓ１６０１．基地局が複数のセットをＵＥへ送信する。当該セットは、時系列の異なる値を含むセットである。
【００９５】
任意選択的に、複数のセットは、１つのＫ０セット、１つのＫ１セット、１つのＫ２セットを含み、または、複数のセットは、少なくとも２つのＫ０セット、および／または少なくとも２つのＫ１セット、および／または少なくとも２つのＫ２セットを含む。
【００９６】
ある例において、複数のセットは、Ｋ０のセット（略して、Ｋ０セット）を含み得て、Ｋ０セットは｛１，２｝であってよく、複数のセットは、Ｋ１のセット（略して、Ｋ１セット）をさらに含み得て、Ｋ１セットは｛３，４｝であってよく、複数のセットは、Ｋ２のセット（略して、Ｋ２セット）をさらに含み得て、Ｋ２セットは｛５，６｝であってよい。
【００９７】
基地局は、上位層シグナリングを用いて、前述の複数のセットをＵＥへ送信し得る。例えば、複数のセットは、ＲＲＣシグナリングを用いて送信される。複数のセットは、無線リソース制御（ｒａｄｉｏ  ｒｅｓｏｕｒｃｅ  ｃｏｎｔｒｏｌ、ＲＲＣ）構成、または、マスター情報ブロック（ｍａｓｔｅｒ  ｉｎｆｏｒｍａｔｉｏｎ  ｂｌｏｃｋ、ＭＩＢ）メッセージ、システム情報ブロック（ｓｙｓｔｅｍ  ｉｎｆｏｒｍａｔｉｏｎ  ｂｌｏｃｋ、ＳＩＢ）メッセージ、または無線リソース制御（ｒａｄｉｏ  ｒｅｓｏｕｒｃｅ  ｃｏｎｔｒｏｌ、ＲＲＣ）シグナリング、または媒体アクセス制御制御要素（ＭＡＣ  ＣＥ）シグナリングを用いて送信される。異なるセットが、異なる時間単位または異なるサブキャリア間隔を含む対応関係を有し得るか、または、異なる時間単位および異なるサブキャリア間隔を含む対応関係を有し得る。
【００９８】
代替的に、異なるセットが、異なる時間単位間隔または異なるサブキャリア間隔を含む対応関係を有し得る。
【００９９】
代替的に、異なるセットが、異なるサブキャリア間隔ペアを含む対応関係を有し得るか、または、異なるセットが、異なる時間単位ペアを含む対応関係を有し得る。例えば、（１５ｋＨｚ、６０ｋＨｚ）のペアがＫ１のセット１に対応し、（１５ｋＨｚ、１２０ｋＨｚ）のペアがＫ１のセット２に対応する。
【０１００】
Ｓ１６０２．基地局が、時間単位およびサブキャリア間隔のうちの少なくとも１つとセットとの間の対応関係をＵＥへ送信する。
【０１０１】
任意選択的に、当該関係は、サブキャリア間隔１５ｋＨｚとセット１との間の対応関係、または、７個のシンボルを有する時間単位とセット１との間の対応関係、または、サブキャリア間隔１５ｋＨｚと、７個のシンボルを有する時間単位と、セット１との間の対応関係であり得る。
【０１０２】
当該対応関係は、異なるセットと異なる時間単位との間の対応関係、異なるセットと異なるサブキャリア間隔との間の対応関係、もしくは両方、または、異なるセットと異なる時間単位間隔との間の対応関係、または、異なるセットと異なるサブキャリア間隔との間の対応関係、または、異なるサブキャリア間隔／時間単位長ペア（ｐａｉｒ）と異なる時系列セットとの間の対応関係として理解され得る。例えば、Ｋ１セット１は、１５ｋ＿ｔｏ＿３０ｋ用に構成され、Ｋ１セット１は、３０ｋ＿ｔｏ＿１５ｋ用に構成される。ＰＤＳＣＨが１５ｋであり、かつ、３０ｋであるＰＵＳＣＨ／ＰＵＣＣＨに対して復号結果がフィードバックされる場合、ＤＣＩに示されるＫ１の値は、セット１からのものである。同様に、ＰＤＳＣＨが３０ｋであり、かつ、１５ｋであるＰＵＳＣＨ／ＰＵＣＣＨに対して復号結果がフィードバックされる場合、ＤＣＩに示されるＫ１の値は、セット２からのものである。
【０１０３】
基地局は、前述の複数の対応関係をＵＥへ送信し得る。基地局は、上位層シグナリングを用いて、前述の対応関係をＵＥへ送信し得る。
【０１０４】
従って、異なるサブキャリア間隔または時間単位が、異なる処理レイテンシに対応している。これにより、ＤＣＩシグナリングオーバヘッドが節約され得る。
【０１０５】
Ｓ１６０３．基地局が、ＤＣＩ情報をＵＥへ送信する。ＤＣＩは、時系列の値を示すために用いられる情報を含む。
【０１０６】
任意選択的に、ダウンリンクデータスケジューリングＤＣＩは、Ｋ０の値情報を示すために用いられる第１のインジケーションフィールドと、Ｋ１の値情報を示すために用いられる第２のインジケーションフィールドとを含む。
【０１０７】
アップリンクデータスケジューリングＤＣＩは、Ｋ２の値情報を示すために用いられる第３のインジケーションフィールドを含む。
【０１０８】
ある例において、前述の値情報は、前述のセットにおける特定の値を示す。例えば、Ｋ０セットは｛２，４，５，６｝であり、第１のインジケーションフィールドにより示される値情報は２である。これは、Ｋ０の値が当該セットにおける第２の値であること、すなわち、Ｋ０＝４であることを示す。
【０１０９】
ある実装において、第１のインジケーションフィールドのビットの数、第２のインジケーションフィールドのビットの数、および第３のインジケーションフィールドのビットの数は等しく、例えば、２ビットである。この場合、第１のインジケーションフィールド、第２のインジケーションフィールドおよび第３のインジケーションフィールドの柔軟性は同じである。すなわち、セットは同じサイズのものである。
【０１１０】
別の実装において、第１のインジケーションフィールドのビットの数と第２のインジケーションフィールドのビットの数との和は、第３のインジケーションフィールドのビットの数と等しく、例えば、第１のインジケーションフィールドのビットの数は１であり、第２のインジケーションフィールドのビットの数は１であり、第３のインジケーションフィールドのビットの数は２である。これにより、アップリンクＤＣＩおよびダウンリンクＤＣＩのオーバヘッドまたはサイズが同様または同じであることが保証され得る。
【０１１１】
任意選択的に、Ｓ１６０３の解決手段は、Ｓ１６０１およびＳ１６０２と組み合わされ得ない。このことは、本願において限定されない。
【０１１２】
異なるＵＥおよび異なるサブキャリア間隔について、ＵＥにより必要とされるシンボルおよび時間単位の数、最小のＫ１およびＫ２は異なる。例えば、ＵＥについては、１５ｋのスロットが時間単位として用いられる場合、ＵＥのＫ１は１であり得る。しかしながら、６０ｋのスロットが時間単位として用いられる場合、ＵＥのＫ１は、少なくとも４である必要がある。例えば、１５ｋにより必要とされるセットは｛１，２｝であり、６０ｋにより必要とされるセットは｛４，５｝である。
【０１１３】
１つのセットのみが構成される場合、｛１，２，４，５｝が構成される必要がある。ＤＣＩにおける時系列フィールドは、２ビットを含む必要がある。この解決手段では、２つのセットが用いられる。この場合、ＤＣＩにおける時系列フィールドは、１ビットのみを含む必要がある。従って、ＤＣＩオーバヘッドが、本願の解決手段に基づいて低減され得る。
【０１１４】
Ｓ１６０４．ＵＥが、時間単位、サブキャリア間隔およびセットのうちの少なくとも１つと、ＤＣＩ情報における時系列の値を示すために用いられる情報との間の対応関係に基づいて時系列を決定する。
【０１１５】
複数のＫ１セットが構成され得るので、ＵＥは、セットを決定する必要があり、次に、ＤＣＩにおける第２のインジケーションフィールドのインジケーション情報に基づいて、Ｋ１の特定の値を決定する。具体的には、ＵＥは、現在構成されているサブキャリア間隔（または時間単位）、およびサブキャリア間隔（または時間単位）とＳ１６０１における複数のセットとの間の対応関係とに基づいて、セットを決定する。
【０１１６】
以下の例では、Ｋ１の特定の値をどのように決定するかを説明する。Ｋ０およびＫ２の特定の値を説明するための方式は、Ｋ１の特定の値を説明するための方式と同様であり、詳細は改めて説明しない。
【０１１７】
１つのサブキャリア間隔（または時間単位長）の値が１つのＫ１セットに対応している場合、例えば、１５ｋＨｚ（または１ｍｓ）がＫ１セット１に対応しており、６０ｋＨｚ（または０．２５ｍｓ）がＫ１セット２に対応している場合、ある実装において、ＵＥは、ＰＤＳＣＨのサブキャリア間隔（または時間単位長）の値に基づいて、Ｋ１セットを決定し（例えば、ＰＤＳＣＨのサブキャリア間隔が１５ｋＨｚである場合、Ｋ１セット１が決定される）、次に、ＤＣＩにおける第２のインジケーションフィールドのインジケーション情報とＫ１セット１とに基づいて、Ｋ１の最終値を決定する。
【０１１８】
別の実装において、ＵＥは、ＰＵＳＣＨ／ＰＵＣＣＨのサブキャリア間隔（または時間単位長）の値に基づいてＫ１セットを決定し（例えば、ＰＵＳＣＨ／ＰＵＣＣＨのサブキャリア間隔が６０ｋＨｚである場合、Ｋ１セット２が決定される）、次に、ＤＣＩにおける第２のインジケーションフィールドのインジケーション情報とＫ１セット２とに基づいて、Ｋ１の最終値を決定する。
【０１１９】
１つのサブキャリア間隔（または時間単位長）の値が１つのＫ１セットに対応している場合、例えば、１５ｋＨｚから６０ｋＨｚ（または０．２５ｍｓから１ｍｓ）がＫ１セット１に対応しており、１２０ｋＨｚから２４０ｋＨｚがＫ１セット２に対応している場合、ある実装において、ＵＥは、ＰＤＳＣＨのサブキャリア間隔（または時間単位長）の値に基づいて、Ｋ１セットを決定し（例えば、ＰＤＳＣＨのサブキャリア間隔が１５ｋＨｚである場合、Ｋ１セット１が決定される）、次に、ＤＣＩにおける第２のインジケーションフィールドのインジケーション情報とＫ１セット１とに基づいて、Ｋ１の最終値を決定する。
【０１２０】
別の実装において、ＵＥは、ＰＵＳＣＨ／ＰＵＣＣＨのサブキャリア間隔（または時間単位長）の値に基づいてＫ１セットを決定し（例えば、ＰＵＳＣＨ／ＰＵＣＣＨのサブキャリア間隔が６０ｋＨｚである場合、Ｋ１セット１が決定される）、次に、ＤＣＩにおける第２のインジケーションフィールドのインジケーション情報とＫ１セット１とに基づいて、Ｋ１の最終値を決定する。
【０１２１】
１つのサブキャリア間隔ペアまたはサブキャリア間隔インターバルペア（または１つの時間単位長ペアもしくは時間単位長インターバルペア）の値が１つのＫ１セットに対応している場合、例えば、１つの（１５ｋＨｚ、６０ｋＨｚ）のペアが１つのＫ１セット１に対応している場合、１つの（１５ｋＨｚ、１２０ｋＨｚ）のペアが１つのＫ１セット２に対応しており、ある実装において、ＵＥは、ＰＤＳＣＨのサブキャリア間隔（または時間単位長）の値とＰＵＳＣＨ／ＰＵＣＣＨのサブキャリア間隔（または時間単位長）の値とに基づいて、Ｋ１セットを決定し（例えば、ＰＤＳＣＨのサブキャリア間隔が１５ｋＨｚであり、ＰＵＳＣＨ／ＰＵＣＣＨのサブキャリア間隔が６０ｋＨｚである場合、Ｋ１セット１が決定される）、次に、ＤＣＩにおける第２のインジケーションフィールドのインジケーション情報とＫ１セット１とに基づいて、Ｋ１の最終値を決定し（または、ＰＤＳＣＨのサブキャリア間隔が１５ｋＨｚであり、ＰＵＳＣＨ／ＰＵＣＣＨのサブキャリア間隔が１２０ｋＨｚである場合、Ｋ１セット１が決定される）、次に、ＤＣＩにおける第２のインジケーションフィールドのインジケーション情報とＫ１セット２とに基づいて、Ｋ１の最終値を決定する。
【０１２２】
例えば、基地局は、キャリア１を用いてスケジューリング情報を保持し、キャリア２を用いて対応するデータ送信を実行する。キャリア２のキャリア間隔が１５ｋＨｚである場合、情報スケジューリングのために用いられる時間単位とデータ送信のために用いられる時間単位との間の時間単位の数はセット１である。セット１は、複数の異なる値を含み得て、例えば｛１，２｝であり得る。キャリア２のキャリア間隔が３０ｋＨｚである場合、情報スケジューリングのために用いられる時間単位とデータ送信のために用いられる時間単位との間の時間単位の数はセット２である。セット２は、複数の異なる値を含み得て、例えば｛３，４｝であり得る。基地局は、セット１と１５ｋＨｚとの間の対応関係、およびセット２と３０ｋＨｚとの間の対応関係をＵＥへ送信し得る。さらに、基地局は、インジケーション情報をＵＥへ送信する。インジケーション情報は、情報スケジューリングのための用いられる時間単位とデータ送信のための用いられる時間単位との間の時間単位の数を示すために用いられる。インジケーション情報は、ＤＣＩなどのダウンリンクスケジューリング情報に含まれ得る。インジケーション情報が第２の値を示す場合、ＵＥは、キャリア２の、１５ｋＨｚであるキャリア間隔に基づいてセット１を決定する。この場合、第２の値は、セット１における２である。すなわち、情報スケジューリングのために用いられる時間単位とデータ送信のために用いられる時間単位との間の時間単位の数は、２である。
【０１２３】
例えば、基地局は、キャリア１を用いてスケジューリング情報を保持し、キャリア２を用いて対応するデータ送信を実行する。ＵＥの能力が考慮される場合において、ＵＥについては、キャリア２のキャリア間隔が１５ｋＨｚであり、時間単位長が１４個のシンボルであるときは、情報をスケジューリングするために用いられる時間単位とデータ情報のために用いられる時間単位との間の時間単位の数は、１であり得る。キャリア２のキャリア間隔が６０ｋＨｚであり、時間単位長が７個のシンボルである場合、情報をスケジューリングするために用いられる時間単位とデータ情報のために用いられる時間単位との間の時間単位の数は、少なくとも４である。この場合、基地局は、セット１およびセット２、セット１とキャリア間隔との間の対応関係、セット１と時間単位長との間の対応関係または両方、ならびに、セット２とキャリア間隔との間の対応関係、セット２と時間単位長との間の対応関係または両方をＵＥへ送信し得る。例えば、セット１は、｛１，２｝であり、１５ｋＨｚであるキャリア間隔と、１４個のシンボルである時間単位長とに対応しており、セット２は、｛４，５｝であり、６０ｋＨｚであるキャリア間隔と、７個のシンボルである時間単位長とに対応している。さらに、基地局は、インジケーション情報をＵＥへ送信する。インジケーション情報は、情報スケジューリングのための用いられる時間単位とデータ送信のための用いられる時間単位との間の時間単位の数を示すために用いられる。対応するデータ送信を実行するために用いられるキャリア２のキャリア間隔が１５ｋＨｚであり、時間単位長が１４個のシンボルである場合、ＵＥは、データ送信において用いられる、１５ｋＨｚであるキャリア間隔と、１４個のシンボルである時間単位長とに基づいて、セット１を決定し、インジケーション情報において示される第２の値に基づいて、情報スケジューリングのために用いられる時間単位とデータ送信のために用いられる時間単位との間の時間単位の数は２であることを決定する。
【０１２４】
例えば、基地局は、キャリア１を用いてデータ送信を実行する。ＵＥは、キャリア２、すなわち、復号結果を用いて、確認情報をフィードバックする。キャリア１のキャリア間隔が１５ｋＨｚであり、キャリア２のキャリア間隔が３０ｋＨｚである場合において、１５ｋＨｚのキャリアが３０ｋＨｚのキャリアをスケジューリングするときは、基地局は、｛１，２｝であるセット１を構成する。キャリア１のキャリア間隔が３０ｋＨｚであり、キャリア２のキャリア間隔が１５ｋＨｚである場合、基地局は、｛３，４｝であるセット２を構成する。基地局は、セット１およびセット２をユーザ機器へ送信する。さらに、基地局は、インジケーション情報をＵＥへ送信する。ＵＥは、データ送信を実行するために用いられる、キャリアの、１５ｋＨｚであるキャリア間隔と、確認情報をフィードバックするために用いられる、キャリアの、３０ｋＨｚであるキャリア間隔とに基づいて、セット１を決定し、インジケーション情報において示される第２の値に基づいて、セット１における２を決定する、すなわち、確認情報をフィードバックする時間単位とデータ送信のために用いられる時間単位との間の時間単位の数が２であると決定する。
【０１２５】
従って、異なるサブキャリア間隔または時間単位に対応する複数のセットが送信され、時系列の値を示すためにＤＣＩが通知されることにより、異なるサブキャリア間隔または時間単位のシナリオにおける柔軟なスケジューリングが実装され得る。これにより、シグナリングオーバヘッドが低減される。
【０１２６】
本願は、異なる時間単位長のクロスキャリアスケジューリングに関連する実施形態を提供する。図１７は、本願の実施形態の例示的な図を示す。
【０１２７】
図１７に示される実施形態において、基地局は、ＵＥ用に複数のキャリア、例えば、図１６におけるキャリア１およびキャリア２を構成する。キャリア１は、キャリア２のＰＤＳＣＨまたはＰＵＳＣＨに対してクロスキャリアスケジューリングを実行し得る。キャリア１により用いられる時間単位は、キャリア２により用いられる時間単位よりも小さい。
【０１２８】
キャリア１の時間単位がキャリア２のものと同じである場合において、Ｋ２＝２、かつ、Ｋ４＝２であるときは、連続送信を保証するために必要となる工程の数は４である。
【０１２９】
キャリア１により用いられる時間単位がキャリア２の時間単位よりも小さい場合、より短い時間単位が、より長い時間単位をスケジューリングし、Ｋ２＋Ｋ４個の工程が連続送信を保証し得る。図１８は、本願の実施形態の例示的な図を示す。
【０１３０】
図１８に示される実施形態において、キャリア１が、キャリア２のＰＤＳＣＨまたはＰＵＣＣＨに対してクロスキャリアスケジューリングを実行する。キャリア１により用いられる時間単位は、キャリア２により用いられる時間単位の４分の１である。
【０１３１】
キャリア１の時間単位がキャリア２のものと同じである場合において、Ｋ２＝４、かつ、Ｋ４＝４であるときは、連続送信を保証するために必要となる工程の数は８である。
【０１３２】
キャリア２により用いられる時間単位が、キャリア１により用いられる時間単位の４倍である場合、連続送信を保証するために、Ｍ−１＋Ｋ２＋Ｋ４個の工程が必要とされる。Ｍは、より長い時間単位とより短い時間単位の比である。
【０１３３】
従って、本願の本実施形態は、解決手段を提供し、連続送信のために必要とされる工程の数が増えることを回避すべく、ＰＤＣＣＨを送信するための時間単位の長さは、ＰＵＳＣＨまたはＰＤＳＣＨを送信するための時間単位長以下である。
【０１３４】
本願の実施形態において、ＰＤＣＣＨおよびＰＵＳＣＨまたはＰＤＳＣＨが１つのスロットに対して構成される場合、ＰＤＣＣＨを送信するためのサブキャリア間隔は、ＰＵＳＣＨまたはＰＤＳＣＨを送信するためのサブキャリア間隔以上である。すなわち、スロットの数またはシンボルの数が同じである場合、サブキャリア間隔が制限される。例えば、ＰＤＣＣＨを送信するためのサブキャリア間隔は、ＰＵＳＣＨまたはＰＤＳＣＨを送信するためのサブキャリア間隔以上である。詳細が以下の表に示される。
【表１】
2020523888.tif 000032
【０１３５】
本願の実施形態において、ＰＤＣＣＨにより構成されるサブキャリア間隔および時間単位がそれぞれ、６０ｋＨｚおよび１つのスロットである場合、ＰＵＳＣＨまたはＰＤＳＣＨの構成は、ＰＵＳＣＨまたはＰＤＳＣＨの時間単位長がＰＤＣＣＨの時間単位長以上であること、例えば、サブキャリア間隔が１５Ｋ、３０Ｋ、６０Ｋまたは１２０Ｋであり得て、時間単位が２つのスロットであることを保証する必要がある。すなわち、スロットの数またはシンボルの数が異なる場合、サブキャリア間隔、スロットの数またはシンボルの数は、考慮のために組み合わされ得て、シンボルの数またはスロットの数およびサブキャリア間隔のうちの少なくとも１つにより、時間単位長が決定され得る。詳細が以下の表に示される。
【表２】
2020523888.tif 000033
【０１３６】
本願において提供される実施形態において、ＰＤＣＣＨを送信するための時間単位の長さは、ＰＵＳＣＨまたはＰＤＳＣＨを送信するための時間単位の長さよりも大きいことがある。連続送信を保証するために必要とされる工程の数が過度に増えることを回避するために、ＰＤＣＣＨを送信するための時間単位の長さは、ＰＵＳＣＨまたはＰＤＳＣＨを送信するための時間単位の長さよりも大きくなるように構成され、ＰＵＳＣＨまたはＰＤＳＣＨを送信するための時間単位の長さは、ＰＤＣＣＨを送信するための時間単位の長さの１／Ｘよりも大きい。Ｘは、正の整数である。任意選択的に、Ｘは、２または４であり得る。
【０１３７】
Ｘ＝２であり、ＰＤＣＣＨおよびＰＵＳＣＨまたはＰＤＳＣＨが１つのスロットに対して構成される場合において、ＰＤＣＣＨのサブキャリア間隔が６０ｋＨｚであるときは、ＰＵＳＣＨまたはＰＤＳＣＨのサブキャリア間隔は、１２０ｋＨｚ以下である。詳細が以下の表に示される。
【表３】
2020523888.tif 000034
【０１３８】
代替的に、Ｘ＝２であり、ＰＤＣＣＨが６０ｋの１つのスロットに対して構成される場合、ＰＵＳＣＨ／ＰＤＳＣＨの時間単位長は、ＰＤＣＣＨの時間単位長以下になるように構成され、例えば、サブキャリア間隔は、１５ｋ、３０ｋ、６０ｋ、１２０ｋまたは２４０ｋであり得て、時間単位は、２つのスロットである。すなわち、スロットの数およびシンボルの数が異なる場合、シンボルの数またはスロットの数およびサブキャリア間隔が組み合わされて、時間単位長が決定される。詳細が以下の表に示される。
【表４】
2020523888.tif 000035
【０１３９】
さらに、Ｍの値は、ＵＥの能力と、システムまたはＵＥによりサポートされる工程の最大数とに関連する。本願のある例において、Ｍの構成は、以下の条件、つまり、Ｋ２＋Ｋ４（ここでは、Ｋ２＋Ｋ４は、時間単位長が同じである場合に必要とされる工程の数である）＋Ｍ−１の値がシステムによりサポートされる（またはＵＥによりサポートされる）工程の最大数以下である、という条件を満たす必要がある。ここでの工程の最大数が１６であり、Ｋ２＋Ｋ４＝８である場合、Ｍは、９以下である。
【０１４０】
より小さいＫ２およびＫ４をサポートするＵＥは、ＰＤＣＣＨを送信するための時間単位の長さが、ＰＵＳＣＨまたはＰＤＳＣＨを送信するための時間単位の長さよりも大きいことをサポートし得ない。代替的に、Ｍの値は、可能な限り小さく、２であり得る。これは主に、「アイドルレート＝（Ｍ−１）／（Ｋ２＋Ｋ４＋Ｍ−１）」を考慮していることに基づく。具体的には、Ｋ２＝１、Ｋ４＝１、かつ、Ｍ＝４である場合、アイドルレートは、３／５＝６０％である。しかしながら、Ｋ２＝４、Ｋ４＝４、かつ、Ｍ＝４である場合、アイドルレートは、３／１１＝２７％である。
【０１４１】
本願は、スケジューリングに関連する実施形態を提供する。基地局が、ＰＤＣＣＨおよび対応するＰＤＳＣＨまたはＰＵＳＣＨを構成する。Ｘ＞ＰＤＣＣＨとＰＤＳＣＨ／ＰＵＳＣＨの比（この比は、時間単位長比またはサブキャリア間隔比であり得る）＞１／Ｙであり、ＸおよびＹは、正の整数である。任意選択的に、ＸおよびＹの両方が２または４と等しい。代替的に、基地局が、ＰＤＣＣＨおよび対応するＰＤＳＣＨまたはＰＵＳＣＨを構成し、ＰＤＣＣＨおよび対応するＰＤＳＣＨまたはＰＵＳＣＨのサブキャリア間隔は、ＵＥによりサポートされるサブキャリア間隔であり、例えば、ＵＥが１５ｋＨｚ、６０ｋＨｚおよび１２０ｋＨｚをサポートする場合、ＰＤＣＣＨおよび対応するＰＤＳＣＨまたはＰＵＳＣＨは、１５および６０を含む隣接する組み合わせまたは６０および１２０を含む隣接する組み合わせとして構成される。基地局がキャリアを分類する場合、最大で１つのキャリアグループが、異なるサブキャリア間隔または時間単位長を有し、例えば、１０個のキャリアが４つのグループに分類される。サブキャリア間隔または時間単位長が同じであるかどうかに基づいて、グループ化が実行される。残りの異なるサブキャリア間隔または時間単位長は、１つのグループに分類される。代替的に、基地局がキャリアを分類する場合、最大で２つのキャリアグループが、異なるサブキャリア間隔または時間単位長を有する。
【０１４２】
本願は、異なる時間単位長に対するＨＡＲＱフィードバックに関連する実施形態を提供する。図１９は、本願によれば実施形態の例示的な図を示す。
【０１４３】
図１９に示されるように、基地局は、ＵＥ用に複数のキャリア、例えば、図１８におけるキャリア１およびキャリア２を構成する。キャリア１により用いられる時間単位の長さは、キャリア２により用いられる時間単位の長さの４倍である。
【０１４４】
図１９に示されるように、データがより長い時間単位のキャリア上で送信され、例えば、肯定応答ＡＣＫメッセージまたは否定応答ＮＡＣＫメッセージなどの確認情報が、より短い時間単位のキャリアに対してフィードバックされる。
【０１４５】
キャリア１の時間単位長がキャリア２のものと同じである場合、必要とされる工程の数は、Ｋ１＋Ｋ３＋Ｋ０である。Ｋ０＝０、Ｋ１＝２、かつ、Ｋ３＝２である場合、必要とされる工程の数は、４である。キャリア１の時間単位の長さがキャリア２の時間単位の長さよりも大きい場合、図１９に示されるように、必要とされる工程の数は、依然として４である。図２０は、本願によれば実施形態の例示的な図を示す。
【０１４６】
図２０に示されるように、基地局は、ＵＥ用に複数のキャリア、例えば、図１９におけるキャリア１およびキャリア２を構成する。キャリア１により用いられる時間単位の長さは、キャリア２により用いられる時間単位の長さの４分の１である。
【０１４７】
図２０に示されるように、データがより短い時間単位のキャリア上で送信され、確認情報がより長い時間単位のキャリア上でフィードバックされる。これにより、連続送信を保証するために必要とされる工程の数が増え得る。
【０１４８】
キャリア１の時間単位長がキャリア２のものと同じである場合、必要とされる工程の数は、Ｋ１＋Ｋ３＋Ｋ０である。Ｋ０＝０、Ｋ１＝４、かつ、Ｋ３＝４である場合、必要とされる工程の数は、８である。
【０１４９】
図２０に示されるように、キャリア１により用いられる時間単位の長さが、キャリア２により用いられる時間単位の長さの４分の１であり、必要とされる工程の数がＫ１＋Ｋ３＋Ｋ０＋２Ｍ−２、すなわち１６である場合、Ｍは、より長い時間単位とより短い時間単位の比であり、ここでは４である。
【０１５０】
従って、本願において提供される解決手段は、ＰＤＳＣＨを送信するための時間単位長が、ＰＵＳＣＨまたはＰＵＣＣＨを送信するための時間単位長以上になるように構成される、ということである。
【０１５１】
本願において提供されるある例において、ＰＤＳＣＨを送信するための時間単位およびＰＵＳＣＨまたはＰＵＣＣＨを送信するための時間単位の両方が１つのスロットであるように構成される場合、サブキャリア間隔は、以下の条件、つまり、ＰＤＳＣＨのサブキャリア間隔が３０ｋである場合、ＰＵＳＣＨまたはＰＤＳＣＨのサブキャリア間隔は、３０ｋ以上、例えば、３０ｋ、６０ｋ、１２０ｋまたは２４０ｋである必要がある、という条件を満たす必要がある（スロットの数およびシンボルの数が同じである場合、サブキャリア間隔のみが考慮される。スロットの数、シンボルの数およびサブキャリア間隔が共に時間単位長を決定する。より多くの例が以下の表に示される）。詳細が以下の表に示される。
【表５】
2020523888.tif 000036
【０１５２】
本願において提供されるある例において、６０ｋＨｚの１つのスロットに対してＰＤＣＣＨが構成される場合、ＰＵＳＣＨまたはＰＵＣＣＨの構成は、以下の条件、つまり、ＰＵＳＣＨまたはＰＵＣＣＨの時間単位長は、ＰＤＣＣＨの時間単位長以下である、例えば、サブキャリア間隔は、６０ｋ、１２０ｋまたは２４０ｋであり得る、という条件を満たす必要がある（スロットの数およびシンボルの数が異なる場合、シンボルの数またはスロットの数とサブキャリア間隔とが組み合わされて、時間単位長が決定される）。
【表６】
2020523888.tif 000037
【０１５３】
任意選択的に、本願において、ＰＤＳＣＨを送信するための時間単位の長さが、ＰＵＳＣＨまたはＰＵＣＣＨを送信するための時間単位の長さよりも小さくなるように構成され得て、ＰＤＳＣＨの時間単位の長さは、１／Ｘだけ、ＰＵＳＣＨまたはＰＵＣＣＨを送信するための時間単位の長さよりも大きい。Ｘは正の整数である。さらに、Ｘ＝２または４である。
【０１５４】
Ｘ＝２である場合において、ＰＤＳＣＨおよびＰＵＳＣＨまたはＰＵＣＣＨが１４個のシンボルを有するスロットであるように構成されるときは、サブキャリア間隔は、以下の条件、つまり、ＰＤＳＣＨのサブキャリア間隔が３０ｋである場合、ＰＵＳＣＨ／ＰＵＣＣＨのサブキャリア間隔は、３０ｋ以上、例えば、１５ｋ、３０ｋ、６０ｋ、１２０ｋまたは２４０ｋである必要がある、という条件を満たす必要がある。詳細が以下の表に示される。
【表７】
2020523888.tif 000038
【表８】
2020523888.tif 000039
【０１５５】
さらに、Ｍの選択は、ＵＥの能力（Ｋ１およびＫ３の値に関連する）と、システムまたはＵＥによりサポートされる工程の最大数とに関連する。
【０１５６】
任意選択的に、Ｍが以下の条件、つまり、Ｋ１＋Ｋ３（時間単位が同じである場合に必要とされる工程の数）＋２Ｍ−２の値が、システムによりサポートされる工程の最大数（またはＵＥによりサポートされる工程の最大数）以下、という条件を満たす必要がある場合、システムまたはＵＥによりサポートされる工程の最大数は、１６であり得る。Ｋ１＋Ｋ３＝８である場合、Ｍは５以下である。
【０１５７】
代替的に、より小さいＫ１およびＫ３をサポートするＵＥは、ＰＤＳＣＨの時間単位長がＰＵＳＣＨ／ＰＵＣＣＨの時間単位長よりも小さいことをサポートしない。代替的に、Ｍの値は、可能な限り小さく、例えば、２である。これは、「アイドルレート＝（２Ｍ−２）／（Ｋ１＋Ｋ３＋２Ｍ−２）」を考慮していることに基づく。具体的には、Ｋ１＝１、Ｋ３＝１、かつ、Ｍ＝４である場合、アイドルレートは、６／８＝７５％である。しかしながら、Ｋ１＝４、Ｋ３＝４、かつ、Ｍ＝４である場合、アイドルレートは、６／１６＝３７．５％である。
【０１５８】
Ｍは、より長い時間単位の長さとより短い時間単位の長さの比（またはＰＵＳＣＨ／ＰＵＣＣＨの時間単位長とＰＤＳＣＨの時間単位長の比）であることに留意されたい。
【０１５９】
５Ｇにおいて、１つの時間単位は、同じＵＥの２つのＰＵＣＣＨ時分割を含む。従って、２つのＰＵＣＣＨ時分割が存在する場合、Ｍは、２で除算され得る。５Ｇにおいて、１つのスロットのシンボルの数は、シンボル７個またはシンボル１４個、拡張ＣＰ下ではシンボル６個またはシンボル１２個であり得る。
【０１６０】
本願は、フィードバックに関連する実施形態を提供する。基地局が、ＰＤＳＣＨおよび対応するＰＵＣＣＨまたはＰＵＳＣＨを構成する。Ｘ＞ＰＤＳＣＨとＰＵＣＣＨ／ＰＵＳＣＨの比（この比は、時間単位長比またはサブキャリア間隔比であり得る）＞１／Ｙであり、ＸおよびＹは、正の整数である。任意選択的に、ＸおよびＹの両方が２または４と等しい。基地局は、ＰＤＳＣＨおよび対応するＰＵＣＣＨまたはＰＵＳＣＨを構成し、ＰＤＳＣＨおよび対応するＰＵＣＣＨまたはＰＵＳＣＨのサブキャリア間隔は、ＵＥによりサポートされる隣接するサブキャリア間隔であり、例えば、ＵＥが１５ｋ、６０ｋおよび１２０ｋをサポートする場合、１５および６０を含む隣接する組み合わせまたは１５および１２０を含む隣接組み合わせが構成されるが、１５および１２０を含む組み合わせは、構成され得ない。基地局がキャリアを分類する場合、最大で１つのグループが、異なるサブキャリア間隔または時間単位長を有するキャリア、例えば、４つのグループに分類される１０個のキャリアを含む。サブキャリア間隔または時間単位長が同じであるかどうかに基づいて、グループ化が実行される。残りの異なるサブキャリア間隔または時間単位長は、１つのグループに分類される。基地局がキャリアを分類する場合、各グループは、異なるサブキャリア間隔または時間単位長を有する最大で２つのキャリアを含む。
【０１６１】
「第１の」、「第２の」または同様のものなどの本願におけるシンボルシーケンスの数は、明確性のためのみに用いられ、限定を構成しないことに留意されたい。異なる実施形態における、同じ番号を有するシンボルシーケンスは、同じであり得るか、または異なり得る。前述の機能を実装するために、ネットワーク側デバイス（例えば、基地局）またはＵＥなどのネットワーク要素が、当該機能を実行するために用いられる、対応するハードウェア構造および／またはソフトウェアモジュールを含むことが理解され得る。当業者であれば、本明細書において開示される実施形態において説明されている例との組み合わせで、本願が、ハードウェアまたはハードウェアとコンピュータソフトウェアとの組み合わせにより実装され得ることを容易に認識しているはずである。ある機能がハードウェアにより実行されるか、またはコンピュータソフトウェアにより駆動されるハードウェアにより実行されるかは、技術的解決手段の特定の用途および設計上の制約によって決まる。当業者であれば、異なる方法を用いて、説明された機能を特定の用途ごとに実装し得るが、当該実装が本願の範囲を超えるとみなされるべきではない。
【０１６２】
図２１は、前述の実施形態におけるデバイスの可能な概略構造図を示す。デバイスは、ネットワーク側デバイス、例えば、基地局であり得るか、またはユーザ機器（ＵＥ）であり得る。前述の実施形態における対応する機能または段階などの関連する内容は、デバイスを用いて実行され得る。
【０１６３】
具体例において、デバイスは、プロセッサおよび送信機を含む。具体例において、デバイスの構造は、受信機をさらに含み得る。具体例において、デバイスがネットワーク側デバイスである場合、データ送信デバイスの構造は、別のネットワーク側デバイスとの通信、例えば、コアネットワークノードとの通信をサポートするように構成された通信ユニットをさらに含み得る。可能な例において、デバイスは、メモリをさらに含み得る。メモリは、プロセッサに結合され、データ送信デバイスにより必要とされるプログラム命令およびデータを格納するように構成される。プロセッサは、デバイスの動作を制御および管理するように構成されると共に、前述の実施形態におけるデバイスにより実行される処理を実行するように構成され、例えば、データ送信に対する処理を実行するよう、および／または本願において説明する技術の別の工程を実行するようデバイスを制御するように構成される。図２１に対応する例において、本願におけるデバイスの構造は、送信機２１０１、受信機２１０２、プロセッサ２１０３およびメモリ２１０４を含む。
【０１６４】
図２１はデバイスの簡略化された設計を示しているに過ぎないことが理解され得る。実際の用途では、デバイスは、任意の数の送信機、受信機、プロセッサ、メモリおよび同様のものを含み得て、本願を実装し得る全てのデータ受信デバイスが、本願の保護範囲に含まれる。
【０１６５】
本願はさらに、デバイスを提供する。デバイスは、前述の実施形態を実装する機能を有する。当該機能は、ハードウェアを用いて実装され得るか、または対応するソフトウェアをハードウェアにより実行することにより実装され得る。ハードウェアまたはソフトウェアは、前述の機能に対応する１または複数のモジュールを含む。
【０１６６】
本願の実施形態は、相互参照され得ると共に、それに応じて、ネットワークデバイスおよびユーザ機器により実行され得る。
【０１６７】
本願におけるデバイスの機能を実行するように構成されたプロセッサは、中央処理装置（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブル論理デバイス、トランジスタ論理デバイス、ハードウェアコンポーネント、またはそれらの任意の組み合わせであり得る。コントローラ／プロセッサは、本願において開示される内容を参照して説明される様々な例示的な論理ブロック、モジュールおよび回路を実装または実行し得る。代替的に、プロセッサは、コンピューティング機能を実装するプロセッサの組み合わせ、例えば、１または複数のマイクロプロセッサの組み合わせ、またはＤＳＰおよびマイクロプロセッサの組み合わせであり得る。
【０１６８】
本願において開示される内容と組み合わせて説明されている方法またはアルゴリズムの段階は、ハードウェアにより実装されても、プロセッサによりソフトウェア命令を実行することにより実装されてもよい。ソフトウェア命令は、対応するソフトウェアモジュールを含んでよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブル磁気ディスク、ＣＤ−ＲＯＭ、または当該技術分野において既知の任意の他の形態の記憶媒体に配置され得る。例えば、記憶媒体は、プロセッサに結合され、これにより、プロセッサは、記憶媒体から情報を読み取ることができ、または記憶媒体に情報を書き込むことができる。当然ながら、記憶媒体は、プロセッサのコンポーネントであり得る。プロセッサおよび記憶媒体は、ＡＳＩＣに配置され得る。加えて、ＡＳＩＣは、データ受信デバイスおよび／またはデータ送信デバイスに配置され得る。当然ながら、プロセッサおよび記憶媒体は、ディスクリートコンポーネントとして、データ受信デバイスまたはデータ送信デバイスに存在し得る。
【０１６９】
当業者であれば、前述の１または複数の例において、本願において説明されている機能が、ハードウェア、ソフトウェア、ファームウェア、またはそれらの任意の組み合わせにより実装され得ることを認識しているはずである。本発明がソフトウェアにより実装される場合、前述の機能は、コンピュータ可読媒体に格納されても、コンピュータ可読媒体内の１または複数の命令またはコードとして送信されてもよい。コンピュータ可読媒体は、コンピュータ記憶媒体および通信媒体を含む。通信媒体は、コンピュータプログラムを１つの箇所から別の箇所へ送信することを可能にする任意の媒体を含む。記憶媒体は、汎用コンピュータまたは専用コンピュータにアクセス可能な任意の利用可能な媒体であってよい。
【０１７０】
本願の目的、技術的解決手段および利点はさらに、前述の具体的な実施形態において詳細に説明されている。前述説明は、本願の特定の実施形態に過ぎず、本願の保護範囲を限定することを意図していないことを理解されたい。本願の技術的解決手段に基づいてなされるあらゆる修正、均等な置き換えまたは改良は、本願の保護範囲に含まれるものとする。
［項目１］
制御情報を送信するために用いられる時間単位が、データを送信するために用いられる時間単位とは異なり、上記制御情報が上記データと関連する場合、同じ時間単位に基づいて時系列を決定する段階
を備える無線通信方法。
［項目２］
同じ時間単位に基づいて時系列を決定する上記段階は、
上記同じ時間単位に基づいて第１の時系列Ｋ０および第２の時系列Ｋ１を決定する段階であって、
上記第１の時系列Ｋ０は、物理ダウンリンク制御チャネルＰＤＣＣＨを送信するための時間単位と物理ダウンリンク共有チャネルＰＤＳＣＨを送信するための時間単位との間の時間関係であり、上記ＰＤＣＣＨは、上記制御情報を送信するために用いられ、上記ＰＤＳＣＨは、上記制御情報を用いてスケジューリングされるデータを送信するために用いられ、
上記第２の時系列Ｋ１は、上記ＰＤＳＣＨを送信するための上記時間単位とＰＵＣＣＨまたはＰＵＳＣＨを送信するための時間単位との間の時間関係であり、上記ＰＤＳＣＨは、データを送信するために用いられ、上記ＰＤＣＣＨまたは上記ＰＵＳＣＨは、上記データに対応する制御情報を送信するために用いられ、上記制御情報は、上記データに対応するアップリンクフィードバック情報である、段階を有する、
項目１に記載の方法。
［項目３］
同じ時間単位に基づいて時系列を決定する上記段階は、
上記同じ時間単位に基づいて第３の時系列Ｋ２を決定する段階であって、上記第３の時系列Ｋ２は、上記ＰＤＣＣＨを送信するための上記時間単位と上記ＰＵＳＣＨを送信するための上記時間単位との間の時間関係であり、上記ＰＤＣＣＨは、上記制御情報を送信するために用いられ、上記ＰＵＳＣＨは、上記制御情報を用いてスケジューリングされるアップリンクデータを送信するために用いられる、段階を有する、
項目１または２に記載の方法。
［項目４］
同じ時間単位に基づいて時系列を決定する上記段階は、
データを送信するために用いられる上記時間単位に基づいて上記時系列を決定する段階、または、
制御情報を送信するために用いられる上記時間単位に基づいて上記時系列を決定する段階、または、
制御情報を送信するために用いられる上記時間単位とデータを送信するために用いられる上記時間単位とのうちより長い時間単位に基づいて上記時系列を決定する段階、または、
制御情報を送信するために用いられる上記時間単位とデータを送信するために用いられる上記時間単位とのうちより短い時間単位に基づいて上記時系列を決定する段階、または、
ソース時間単位またはターゲット時間単位に基づいて上記時系列を決定する段階、または、
基準時間間隔に基づいて上記時系列を決定する段階
を有する、
項目１から３のいずれか一項に記載の方法。
［項目５］
ダウンリンク送信をスケジューリングするために用いられるダウンリンク制御情報ＤＣＩをユーザ機器ＵＥへ送信する段階であって、
ダウンリンク送信をスケジューリングするために用いられる上記ＤＣＩは、Ｋ０の値を示すために用いられる第１のインジケーションフィールドと、Ｋ１の値を通知するために用いられる第２のインジケーションフィールドとを含み、上記第１のインジケーションフィールドにより占有されるビットの数が、上記第２のインジケーションフィールドにより占有されるビットの数と等しい、段階
をさらに備える、項目２に記載の方法。
［項目６］
アップリンク送信をスケジューリングするために用いられる上記ダウンリンク制御情報ＤＣＩを上記ユーザ機器ＵＥへ送信する段階であって、
アップリンク送信をスケジューリングするために用いられる上記ＤＣＩは、Ｋ２の値情報を通知するために用いられる第３のインジケーションフィールドを含み、
上記第３のインジケーションフィールドにより占有されるビットの数と、上記第１のインジケーションフィールドにより占有されるビットの数と、上記第２のインジケーションフィールドにより占有されるビットの数とが等しいか、または、上記第３のインジケーションフィールドにより占有されるビットの数が、上記第１のインジケーションフィールドにより占有されるビットの上記数と上記第２のインジケーションフィールドにより占有されるビットの上記数との和と等しい、段階
をさらに備える、項目５に記載の方法。
［項目７］
少なくとも１つの第１のセット、および上記第１のセットと上記時間単位との間の関係を上記ＵＥへ送信する段階であって、上記第１のセットは、Ｋ０の少なくとも１つの異なる値を含む、段階、
少なくとも１つの第２のセット、および上記第２のセットと上記時間単位との間の関係を上記ＵＥへ送信する段階であって、上記第２のセットは、Ｋ１の少なくとも１つの異なる値を含む、段階、および、
少なくとも１つの第３のセット、および上記第３のセットと上記時間単位との間の関係を上記ＵＥへ送信する段階であって、上記第２のセットは、Ｋ２の少なくとも１つの異なる値を含む、段階
のうちの少なくとも１つをさらに備える、項目５または６に記載の方法。
［項目８］
プロセッサと、送信機と、受信機とを備え、
制御情報を送信するために用いられる時間単位が、データを送信するために用いられる時間単位とは異なり、上記制御情報が上記データと関連する場合、上記プロセッサは、同じ時間単位に基づいて時系列を決定するように構成される、
デバイス。
［項目９］
上記プロセッサが、上記同じ時間単位に基づいて上記時系列を決定するように構成されることは、
上記プロセッサが、上記同じ時間単位に基づいて第１の時系列Ｋ０および第２の時系列Ｋ１を決定するように構成されることであって、
上記第１の時系列Ｋ０は、物理ダウンリンク制御チャネルＰＤＣＣＨを送信するための時間単位と物理ダウンリンク共有チャネルＰＤＳＣＨを送信するための時間単位との間の時間関係であり、上記ＰＤＣＣＨは、上記制御情報を送信するために用いられ、上記ＰＤＳＣＨは、上記制御情報を用いてスケジューリングされるデータを送信するために用いられ、
上記第２の時系列Ｋ１は、上記ＰＤＳＣＨを送信するための上記時間単位とＰＵＣＣＨまたはＰＵＳＣＨを送信するための時間単位との間の時間関係であり、上記ＰＤＳＣＨは、データを送信するために用いられ、上記ＰＤＣＣＨまたは上記ＰＵＳＣＨは、上記データに対応する制御情報を送信するために用いられ、上記制御情報は、上記データに対応するアップリンクフィードバック情報である、
こと
を含む、項目８に記載のデバイス。
［項目１０］
上記プロセッサが、上記同じ時間単位に基づいて上記時系列を決定するように構成されることは、
上記プロセッサが、上記同じ時間単位に基づいて第３の時系列Ｋ２を決定するように構成されることであって、
上記第３の時系列Ｋ２は、上記ＰＤＣＣＨを送信するための上記時間単位と上記ＰＵＳＣＨを送信するための上記時間単位との間の時間関係であり、上記ＰＤＣＣＨは、上記制御情報を送信するために用いられ、上記ＰＵＳＣＨは、上記制御情報を用いてスケジューリングされるアップリンクデータを送信するために用いられる、
こと
を含む、項目８または９に記載のデバイス。
［項目１１］
上記プロセッサが、上記同じ時間単位に基づいて上記時系列を決定するように構成されることは、
データを送信するために用いられる上記時間単位に基づいて上記時系列を決定すること、または、
制御情報を送信するために用いられる上記時間単位に基づいて上記時系列を決定すること、または、
制御情報を送信するために用いられる上記時間単位とデータを送信するために用いられる上記時間単位とのうちより長い時間単位に基づいて上記時系列を決定すること、または、
制御情報を送信するために用いられる上記時間単位とデータを送信するために用いられる上記時間単位とのうちより短い時間単位に基づいて上記時系列を決定すること、または、
ソース時間単位またはターゲット時間単位に基づいて上記時系列を決定すること、または、
基準時間間隔に基づいて上記時系列を決定すること
を含む、
項目８から１０のいずれか一項に記載の方法。
［項目１２］
上記送信機は、ダウンリンク送信をスケジューリングするために用いられるダウンリンク制御情報ＤＣＩをユーザ機器ＵＥへ送信するように構成され、
ダウンリンク送信をスケジューリングするために用いられる上記ＤＣＩは、Ｋ０の値を示すために用いられる第１のインジケーションフィールドと、Ｋ１の値を通知するために用いられる第２のインジケーションフィールドとを含み、上記第１のインジケーションフィールドにより占有されるビットの数が、上記第２のインジケーションフィールドにより占有されるビットの数と等しい、
項目９から１１のいずれか一項に記載のデバイス。
［項目１３］
上記送信機は、アップリンク送信をスケジューリングするために用いられる上記ダウンリンク制御情報ＤＣＩを上記ユーザ機器ＵＥへ送信するように構成され、
アップリンク送信をスケジューリングするために用いられる上記ＤＣＩは、Ｋ２の値情報を通知するために用いられる第３のインジケーションフィールドを含み、
上記第３のインジケーションフィールドにより占有されるビットの数と、上記第１のインジケーションフィールドにより占有されるビットの数と、上記第２のインジケーションフィールドにより占有されるビットの数とが等しいか、または、上記第３のインジケーションフィールドにより占有されるビットの数が、上記第１のインジケーションフィールドにより占有されるビットの上記数と上記第２のインジケーションフィールドにより占有されるビットの上記数との和と等しい、
項目１０から１２のいずれか一項に記載のデバイス。
［項目１４］
上記送信機はさらに、
少なくとも１つの第１のセット、および上記第１のセットと上記時間単位との間の関係を上記ＵＥへ送信する段階であって、上記第１のセットは、Ｋ０の少なくとも１つの異なる値を含む、段階、
少なくとも１つの第２のセット、および上記第２のセットと上記時間単位との間の関係を上記ＵＥへ送信する段階であって、上記第２のセットは、Ｋ１の少なくとも１つの異なる値を含む、段階、および、
少なくとも１つの第３のセット、および上記第３のセットと上記時間単位との間の関係を上記ＵＥへ送信する段階であって、上記第２のセットは、Ｋ２の少なくとも１つの異なる値を含む、段階
のうちの少なくとも１つを実行するように構成される、
項目１２または１３に記載のデバイス。
【国際調査報告】
2020523888.tif 000040
2020523888.tif 000041
2020523888.tif 000042
2020523888.tif 000043